(57)【要約】  この出願は、データ伝送方法、端末装置、及びネットワーク装置を提供する。当該方法は、端末装置により、基準情報を決定することと、端末装置により、基準情報とステータスパラメータとの比較結果に基づく第２のチャネル状態情報ＣＳＩを送信することと、を含み、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。この出願の実施形態におけるデータ伝送方法、端末装置、及びネットワーク装置は、ＣＳＩの伝送性能を改善する助けとなる。
2020536428.tif 000002
【特許請求の範囲】
【請求項１】
端末装置により、基準情報を決定することと、
前記端末装置により、前記基準情報とステータスパラメータとの比較結果に基づく第２のチャネル状態情報ＣＳＩを送信することと、
を有し、
前記第２のＣＳＩは、第１のＣＳＩ内の全てのパラメータを有し、又は前記第１のＣＳＩ内の一部のパラメータを有し、前記第１のＣＳＩは、報告される必要があり且つ前記端末装置のためにネットワーク装置によって設定されたＣＳＩであり、前記ステータスパラメータは、アップリンクデータの伝送パラメータ、前記第１のＣＳＩ内のパラメータ、及び前記第１のＣＳＩの伝送パラメータ、のうちの少なくとも１つを有する、
データ伝送方法。
【請求項２】
前記端末装置により第２のＣＳＩを前記送信することは、
前記端末装置により、前記第２のＣＳＩとアップリンクデータとを送信し、前記アップリンクデータと前記第２のＣＳＩとが同じアップリンクチャネル上で運ばれる、
ことを有する、請求項１に記載の方法。
【請求項３】
ネットワーク装置により、第２のＣＳＩ内のランクインジケーションＲＩを受信することと、
前記ネットワーク装置により、ステータスパラメータを基準情報と比較することによって得られた比較結果に基づいて、前記第２のＣＳＩのビット量、及びアップリンクチャネル上で前記第２のＣＳＩによって占有されるリソースエレメントＲＥの量、のうちの少なくとも一方を決定することと、
を有し、
前記ステータスパラメータは、前記ＲＩに基づいて決定され、前記ステータスパラメータは、アップリンクデータの伝送パラメータ、第１のＣＳＩ内のパラメータ、及び前記第１のＣＳＩの伝送パラメータ、のうちの少なくとも１つを有し、前記第１のＣＳＩは、報告される必要があり且つ端末装置のために前記ネットワーク装置によって設定されたＣＳＩであり、前記第２のＣＳＩは、前記第１のＣＳＩ内の全てのパラメータを有し、又は前記第１のＣＳＩ内の一部のパラメータを有する、
データ伝送方法。
【請求項４】
ネットワーク装置により第２のＣＳＩ内のランクインジケーションＲＩを前記受信することは、
前記ネットワーク装置により、前記第２のＣＳＩと前記アップリンクデータとを受信し、前記アップリンクデータと前記第２のＣＳＩとが同じアップリンクチャネル上で運ばれる、
ことを有する、請求項３に記載の方法。
【請求項５】
端末装置であって、
基準情報を決定するように構成されたプロセッサと、
前記基準情報とステータスパラメータとの比較結果に基づく第２のチャネル状態情報ＣＳＩを送信するように構成されたトランシーバと、
を有し、
前記第２のＣＳＩは、第１のＣＳＩ内の全てのパラメータを有し、又は前記第１のＣＳＩ内の一部のパラメータを有し、前記第１のＣＳＩは、報告される必要があり且つ当該端末装置のためにネットワーク装置によって設定されたＣＳＩであり、前記ステータスパラメータは、アップリンクデータの伝送パラメータ、前記第１のＣＳＩ内のパラメータ、及び前記第１のＣＳＩの伝送パラメータ、のうちの少なくとも１つを有する、
端末装置。
【請求項６】
前記トランシーバは特に、
前記第２のＣＳＩとアップリンクデータとを送信し、前記アップリンクデータと前記第２のＣＳＩとが同じアップリンクチャネル上で運ばれる、
ように構成される、請求項５に記載の端末装置。
【請求項７】
ネットワーク装置であって、
第２のチャネル状態情報ＣＳＩ内のランクインジケーションＲＩを受信するように構成されたトランシーバと、
ステータスパラメータを基準情報と比較することによって得られた比較結果に基づいて、前記第２のＣＳＩのビット量、及びアップリンクチャネル上で前記第２のＣＳＩによって占有されるリソースエレメントＲＥの量、のうちの少なくとも一方を決定するように構成されたプロセッサと、
を有し、
前記ステータスパラメータは、前記ＲＩに基づいて決定され、前記ステータスパラメータは、アップリンクデータの伝送パラメータ、第１のＣＳＩ内のパラメータ、及び前記第１のＣＳＩの伝送パラメータ、のうちの少なくとも１つを有し、前記第１のＣＳＩは、報告される必要があり且つ端末装置のために当該ネットワーク装置によって設定されたＣＳＩであり、前記第２のＣＳＩは、前記第１のＣＳＩ内の全てのパラメータを有し、又は前記第１のＣＳＩ内の一部のパラメータを有する、
ネットワーク装置。
【請求項８】
前記トランシーバは特に、
前記第２のＣＳＩと前記アップリンクデータとを受信し、前記アップリンクデータと前記第２のＣＳＩとが同じアップリンクチャネル上で運ばれる、
ように構成される、請求項７に記載のネットワーク装置。
【請求項９】
前記基準情報は、前記ランクインジケーションＲＩの閾値及び前記第２のＣＳＩの伝送パラメータの閾値のうちの少なくとも一方を指し示すために使用され、
前記第２のＣＳＩの前記伝送パラメータは、以下のパラメータ、すなわち、
前記アップリンクチャネル上で前記第２のＣＳＩによって占有されるリソースエレメントＲＥの量、前記第２のＣＳＩの変調シンボルの量、前記第２のＣＳＩの情報ビット量、及びチャネルコーディングが実行された後の前記第２のＣＳＩのビット量、
のうちの少なくとも１つを有する、
請求項１乃至４のいずれか一項に記載の方法、請求項５若しくは６に記載の端末装置、又は請求項７若しくは８に記載のネットワーク装置。
【請求項１０】
前記基準情報は、前記ＲＩの前記閾値を指し示すために使用され、前記ステータスパラメータは、前記第１のＣＳＩ内のＲＩであり、
前記第１のＣＳＩ内の前記ＲＩが前記ＲＩの前記閾値よりも大きい場合、前記第２のＣＳＩは、前記第１のＣＳＩ内の一部のパラメータを有し、
前記第１のＣＳＩ内の前記ＲＩが前記ＲＩの前記閾値以下である場合、前記第２のＣＳＩは、前記第１のＣＳＩ内の全てのパラメータを有する、
請求項９に記載の方法、請求項９に記載の端末装置、又は請求項９に記載のネットワーク装置。
【請求項１１】
前記基準情報は、前記アップリンクチャネル上で前記第２のＣＳＩによって占有されるＲＥの量の第１の閾値を指し示すために使用され、前記ステータスパラメータは、前記アップリンクチャネル上で前記第１のＣＳＩによって占有されるＲＥの量であり、
前記アップリンクチャネル上で前記第１のＣＳＩによって占有されるＲＥの前記量が前記第１の閾値よりも大きい場合、前記第２のＣＳＩは、前記第１のＣＳＩ内の一部のパラメータを有し、
前記アップリンクチャネル上で前記第１のＣＳＩによって占有されるＲＥの前記量が前記第１の閾値以下である場合、前記第２のＣＳＩは、前記第１のＣＳＩ内の全てのパラメータを有する、
請求項９に記載の方法、請求項９に記載の端末装置、又は請求項９に記載のネットワーク装置。
【請求項１２】
前記基準情報は、前記第２のＣＳＩの情報ビット量の第３の閾値を指し示すために使用され、前記ステータスパラメータは、前記第１のＣＳＩの情報ビット量であり、
前記第１のＣＳＩの前記情報ビット量が前記第３の閾値よりも大きい場合、前記第２のＣＳＩは、前記第１のＣＳＩ内の一部のパラメータを有し、
前記第１のＣＳＩの前記情報ビット量が前記第３の閾値以下である場合、前記第２のＣＳＩは、前記第１のＣＳＩ内の全てのパラメータを有する、
請求項９に記載の方法、請求項９に記載の端末装置、又は請求項９に記載のネットワーク装置。
【請求項１３】
前記第２のＣＳＩの前記伝送パラメータは更に、
前記アップリンクチャネル上で前記第２のＣＳＩによって占有されるＲＥの前記量の、前記アップリンクチャネルに含まれるＲＥの総量に対する比、
を有する、請求項９に記載の方法、請求項９に記載の端末装置、又は請求項９に記載のネットワーク装置。
【請求項１４】
前記基準情報は、前記アップリンクチャネル上で前記第２のＣＳＩによって占有されるＲＥの前記量の、前記アップリンクチャネルに含まれるＲＥの前記総量に対する前記比、の第５の閾値を指し示すために使用され、前記ステータスパラメータは、前記アップリンクチャネル上で前記第１のＣＳＩによって占有されるＲＥの量の、前記アップリンクチャネルに含まれるＲＥの前記総量に対する比であり、
前記アップリンクチャネル上で前記第１のＣＳＩによって占有されるＲＥの前記量の、前記アップリンクチャネルに含まれるＲＥの前記総量に対する前記比が、前記第５の閾値よりも大きい場合、前記第２のＣＳＩは、前記第１のＣＳＩ内の一部のパラメータを有し、
前記アップリンクチャネル上で前記第１のＣＳＩによって占有されるＲＥの前記量の、前記アップリンクチャネルに含まれるＲＥの前記総量に対する前記比が、前記第５の閾値以下である場合、前記第２のＣＳＩは、前記第１のＣＳＩ内の全てのパラメータを有する、
請求項１３記載の方法、請求項１３に記載の端末装置、又は請求項１３に記載のネットワーク装置。
【請求項１５】
前記基準情報は、前記アップリンクデータの前記伝送パラメータの閾値を指し示すために使用され、
前記アップリンクデータの前記伝送パラメータは、以下のパラメータ、すなわち、
前記アップリンクデータのチャネルコーディングコードレート、前記アップリンクチャネル上で前記アップリンクデータによって占有されるＲＥの量、前記アップリンクデータの変調シンボルの量、及び前記アップリンクチャネル上で前記アップリンクデータによって占有されるＲＥの前記量の、前記アップリンクチャネルに含まれるＲＥの総量に対する比、
のうちの少なくとも１つを有する、
請求項１乃至４のいずれか一項に記載の方法、請求項５若しくは６に記載の端末装置、又は請求項７若しくは８に記載のネットワーク装置。
【請求項１６】
前記基準情報は、前記アップリンクデータの前記チャネルコーディングコードレートの第６の閾値を指し示すために使用され、前記ステータスパラメータは、前記アップリンクデータの前記チャネルコーディングコードレートであり、
前記アップリンクデータの前記チャネルコーディングコードレートが前記第６の閾値よりも高い場合、前記第２のＣＳＩは、前記第１のＣＳＩ内の一部のパラメータを有し、
前記アップリンクデータの前記チャネルコーディングコードレートが前記第６の閾値以下である場合、前記第２のＣＳＩは、前記第１のＣＳＩ内の全てのパラメータを有する、
請求項１５に記載の方法、請求項１５に記載の端末装置、又は請求項１５に記載のネットワーク装置。
【請求項１７】
前記第１のＣＳＩ内の前記パラメータは、
Ｍ個のサブバンドの第２の周波数ドメイン粒度パラメータ及び第１の周波数ドメイン粒度パラメータを有し、前記第１の周波数ドメイン粒度パラメータはＲＩを有し、前記Ｍ個のサブバンドの前記第２の周波数ドメイン粒度パラメータは、前記Ｍ個のサブバンドの各々のチャネル品質インジケータＣＱＩ及び／又は前記サブバンドのプリコーディング行列インジケータＰＭＩを有し、
前記第２のＣＳＩ内のパラメータは、
Ｎ個のサブバンドの第２の周波数ドメイン粒度パラメータ及び前記第１の周波数ドメイン粒度パラメータ、
前記Ｍ個のサブバンドの各々の第２の周波数ドメイン粒度パラメータのうちの全て若しくは一部、及び前記第１の周波数ドメイン粒度パラメータ、並びに
前記第１の周波数ドメイン粒度パラメータ、前記Ｍ個のサブバンドの各々の前記ＣＱＩ、及び前記Ｎ個のサブバンドの各々のＰＭＩ、
のうちのいずれか１つを有し、
前記Ｍ個のサブバンドは前記Ｎ個のサブバンドを含み、Ｍ及びＮはどちらも１以上の整数であり、ＭはＮより大きい、
請求項１乃至４及び９乃至１６のいずれか一項に記載の方法、請求項５、６及び９乃至１６のいずれか一項に記載の端末装置、又は請求項７、８及び９乃至１６のいずれか一項に記載のネットワーク装置。
【請求項１８】
前記基準情報は予め規定されており、又は前記基準情報は、前記ネットワーク装置の設定に基づいて前記端末装置によって決定される、請求項１乃至４及び９乃至１７のいずれか一項に記載の方法、請求項５、６及び９乃至１７のいずれか一項に記載の端末装置、又は請求項７、８及び９乃至１７のいずれか一項に記載のネットワーク装置。
【請求項１９】
シグナリングが、以下のシグナリング、すなわち、
無線リソース制御ＲＲＣシグナリング、ダウンリンク制御情報ＤＣＩ、及びメディアアクセス制御コントロールエレメントＭＡＣ  ＣＥ、
のうちのいずれか１つである、請求項１８に記載の方法、請求項１８に記載の端末装置、又は請求項１８に記載のネットワーク装置。
【請求項２０】
端末装置であって、
基準情報を決定するように構成された決定ユニットと、
前記基準情報とステータスパラメータとの比較結果に基づく第２のチャネル状態情報ＣＳＩを送信するように構成されたトランシーバユニットと、
を有し、
前記第２のＣＳＩは、第１のＣＳＩ内の全てのパラメータを有し、又は前記第１のＣＳＩ内の一部のパラメータを有し、前記第１のＣＳＩは、報告される必要があり且つ当該端末装置のためにネットワーク装置によって設定されたＣＳＩであり、前記ステータスパラメータは、アップリンクデータの伝送パラメータ、前記第１のＣＳＩ内のパラメータ、及び前記第１のＣＳＩの伝送パラメータ、のうちの少なくとも１つを有する、
端末装置。
【請求項２１】
ネットワーク装置であって、
第２のチャネル状態情報ＣＳＩ内のランクインジケーションＲＩを受信するように構成されたトランシーバユニットと、
ステータスパラメータを基準情報と比較することによって得られた比較結果に基づいて、前記第２のＣＳＩのビット量、及びアップリンクチャネル上で前記第２のＣＳＩによって占有されるリソースエレメントＲＥの量、のうちの少なくとも一方を決定するように構成された決定ユニットと、
を有し、
前記ステータスパラメータは、前記ＲＩに基づいて決定され、前記ステータスパラメータは、アップリンクデータの伝送パラメータ、第１のＣＳＩ内のパラメータ、及び前記第１のＣＳＩの伝送パラメータ、のうちの少なくとも１つを有し、前記第１のＣＳＩは、報告される必要があり且つ端末装置のために当該ネットワーク装置によって設定されたＣＳＩであり、前記第２のＣＳＩは、前記第１のＣＳＩ内の全てのパラメータを有し、又は前記第１のＣＳＩ内の一部のパラメータを有する、
ネットワーク装置。
【請求項２２】
プロセッサを有するチップであり、前記プロセッサは、メモリから命令を呼び出し、当該チップが組み込まれた通信装置が請求項１乃至４のいずれか一項又は請求項９乃至１９のいずれか一項に記載の方法を実行するよう、前記メモリに格納された前記命令を実行するように構成される、チップ。
【請求項２３】
コンピュータプログラムを格納したコンピュータ読み取り可能記憶媒体であって、前記コンピュータプログラムがコンピュータによって実行されるとき、前記コンピュータが請求項１乃至４のいずれか一項又は請求項９乃至１９のいずれか一項に記載の方法を実行する、コンピュータ読み取り可能記憶媒体。
【請求項２４】
命令を有するコンピュータプログラムプロダクトであって、前記命令がコンピュータ上で走るとき、前記コンピュータが請求項１乃至４のいずれか一項又は請求項９乃至１９のいずれか一項に記載の方法を実行する、コンピュータプログラムプロダクト。
【請求項２５】
請求項５、請求項６又は請求項９乃至１９のいずれか一項に記載の端末装置と、請求項７、請求項８又は請求項９乃至１９のいずれか一項に記載のネットワーク装置と、を有するデータ伝送システム。
【発明の詳細な説明】
【技術分野】
【０００１】
この出願は、２０１７年９月３０日に中国特許庁に出願された「データ伝送方法、端末装置、及びネットワーク装置」と題された中国特許出願第２０１７１０９４０７６９．５号に対する優先権を主張するものであり、その全体をここに援用する。
この出願は、通信分野に関し、特に、通信分野におけるデータ伝送方法、端末装置、及びネットワーク装置に関する。
【背景技術】
【０００２】
通常、ネットワーク装置は、端末装置の非周期的なチャネル状態情報（channel  state  information，ＣＳＩ）報告及び／又はアップリンクデータ送信をトリガするために、（ｎ−ｋ）番目のサブフレームにてダウンリンク制御情報（downlink  control  information，ＤＣＩ）フォーマットを送信することができ、ここで、ｎ及びｋはどちらも正の整数であり、ｎはｋより大きい。トリガされたＣＳＩ報告及びアップリンクデータ送信は、ｎ番目のサブフレームにてアップリンクチャネルで運ばれる。ｎ番目のサブフレームにおけるアップリンクチャネルのリソース割当て（resource  allocation，ＲＡ）は、（ｎ−ｋ）番目のサブフレームにおけるＤＣＩ内のリソース割当てフィールドによって完了される。端末装置がｎ番目のサブフレームでデータを送信しない場合、アップリンクチャネルはＣＳＩのみを運ぶために使用され得る。端末装置がｎ番目のサブフレームでアップリンクデータを送信することも必要とする場合には、アップリンクチャネルのリソースは、ＣＳＩ及びアップリンクデータの双方を運ぶ必要がある。ＣＳＩ及びアップリンクデータは、データリソースを共有し、ＣＳＩの情報ビット量は、端末装置によって報告されるランクインジケーション（rank  indication，ＲＩ）に関係する。従って、ネットワーク装置は、ＣＳＩが占有すべきリソースの量及びアップリンクデータによって占有されるリソースの量を、リソース割当て中に決定することができない。故に、アップリンクデータ及びＣＳＩによってそれぞれ占有されるアップリンクチャネルリソースは変化し、ＣＳＩの実際の情報ビット量に応じて動的に調整される。
【０００３】
端末装置によってネットワーク装置にフィードバックされるＣＳＩは、通常、例えばランクインジケーション（rank  indication，ＲＩ）、プリコーディング行列インジケータ（pre-coding  matrix  indicator，ＰＭＩ）、及びチャネル品質インジケータ（channel  quality  indication，ＣＱＩ）などのパラメータを含む。ＰＭＩの情報ビット量及びＣＱＩの情報ビット量は、ＲＩが変わると変わり得る。従って、アップリンクデータと共に、最大量のＰＭＩビット及び最大量のＣＱＩビットの双方を、アップリンクチャネルで運ぶことができることを確実にするために、ネットワーク装置は常に、最大のＣＳＩビット量に基づいてリソースを割り当て得る。しかしながら、ネットワーク装置によってトリガされるＣＳＩ報告は、高精度ＣＳＩ報告であることがあり、高精度ＣＳＩのビット量は、異なるＲＩを持つ度に異なり得る。例えば、ＲＩ＝１のとき、ＰＭＩ及び／又はＣＱＩは約３００ビットであり、ＲＩ＝２のとき、ＰＭＩ及び／又はＣＱＩは６００ビットに近い。この場合、ネットワーク装置が常に最大ビット量（換言すれば、ＲＩ＝２）に基づいてアップリンクチャネルリソースを割り当てているのに、端末装置が頻繁にＲＩ＝１であるＣＳＩを報告する場合、アップリンクチャネルリソースが無駄になる。
【０００４】
従って、ネットワーク装置は、ＲＩに対応する最大ＣＳＩビット量に基づいてリソースを割り当てるのではなく、事前の情報に基づいて、端末装置によって報告されるＲＩを推定し得る。この場合、ネットワーク装置によって端末装置に割り当てられるアップリンクチャネルリソースは、端末装置によって報告されるＣＳＩが必要とするアップリンクチャネルリソースを、必ずしも満足することができるわけではない。ネットワーク装置によって端末装置に割り当てられた限られたアップリンクチャネルリソースを使用して、端末装置がどのようにＣＳＩを報告するかが、喫緊に解決されるべき問題となっている。
【発明の概要】
【０００５】
この出願は、ＣＳＩの伝送性能を改善する助けとなるデータ伝送方法、端末装置、及びネットワーク装置を提供する。
【０００６】
第１の態様によれば、データ伝送方法が提供される。当該方法は、端末装置により、基準情報を決定することと、端末装置により、基準情報とステータスパラメータとの比較結果に基づく第２のチャネル状態情報ＣＳＩを送信することと、を含み、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０００７】
具体的には、端末装置は、報告される必要があり且つ端末装置のためにネットワーク装置によって設定された第１のＣＳＩを決定し得る。しかしながら、端末装置のためにネットワーク装置によって設定されたアップリンクチャネルリソースでは不十分であることがある。従って、この出願の一実施形態において、端末装置によって実際に報告されるＣＳＩは、第２のＣＳＩであり、第２のＣＳＩは、第１のＣＳＩ内のパラメータの全て又は一部を含む。ネットワーク装置に報告する前に、端末装置は、先ず基準情報を決定し、該基準情報に基づいて、第１のＣＳＩ内の全てのパラメータが報告される必要があること、又は第１のＣＳＩ内の一部のパラメータが報告されればよいことを決定し得る。換言すれば、端末装置は、ステータスパラメータを基準情報と比較し、得られた比較結果に基づいて、最終的に報告される第２のＣＳＩのパラメータを決定する。
【０００８】
理解されるべきことには、端末装置によって決定される基準情報は、予め規定されたルールに基づいて端末装置によって決定されることもあれば、ネットワーク装置の設定に基づいて端末装置によって決定されることもある。換言すれば、基準情報は、予め規定されていてもよいし、シグナリングを用いることによって、端末装置のためにネットワーク装置によって設定されてもよい。これは、この出願のこの実施形態において限定されることではない。
【０００９】
この明細書において、第１のＣＳＩ内のパラメータは、第１のＣＳＩに含まれるパラメータ、例えば、ＲＩ、ＰＭＩ、及びＣＱＩなどのパラメータであり、第１のＣＳＩの伝送パラメータは、第１のＣＳＩの伝送状況を指し示すために使用されるパラメータ、例えば、アップリンクチャネル上で第１のＣＳＩによって占有されるリソースエレメントＲＥの量、第１のＣＳＩの変調シンボルの量、第１のＣＳＩの情報ビット量、及びチャネルコーディングが実行された後の第１のＣＳＩのビット量である。同様に、アップリンクデータの伝送パラメータは、アップリンクデータの伝送状況を指し示すために使用されるパラメータ、例えば、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比とし得る。
【００１０】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【００１１】
第１の態様を参照するに、第１の態様の一部の実装において、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【００１２】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。例えば、直接的に指し示すものの場合、基準情報は、直接的に、ＲＩの閾値が２であるというものとし得る。間接的に指し示すものの場合、基準情報は、ＲＩの閾値識別子としてもよく、端末装置は、その閾値識別子に基づいて、ＲＩの閾値が２であると決定し得る。これらの状況は全て、この出願の実施形態の保護範囲に入るものである。
【００１３】
第１の態様を参照するに、第１の態様の一部の実装において、基準情報は、ＲＩの閾値を指し示すために使用され、ステータスパラメータは、第１のＣＳＩ内のＲＩである。第１のＣＳＩ内のＲＩがＲＩの閾値よりも大きい場合、第２のＣＳＩは、第１のＣＳＩ内の一部のパラメータを含み、第１のＣＳＩ内のＲＩがＲＩの閾値以下である場合、第２のＣＳＩは、第１のＣＳＩ内の全てのパラメータを含む。
【００１４】
理解されるべきことには、第２のＣＳＩは、第１のＣＳＩ内の全てのパラメータ又は一部のパラメータを含むので、第１のＣＳＩ内のＲＩは、この出願のこの実施形態において第２のＣＳＩ内のＲＩと同じである。更に理解されるべきことには、第１のＣＳＩ内のＲＩがそのＲＩの閾値に等しい場合に、第２のＣＳＩは、代わりに、第１のＣＳＩ内の一部のパラメータを含んでもよい。これは、この出願のこの実施形態において限定されることではない。
【００１５】
第１の態様を参照するに、第１の態様の一部の実装において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【００１６】
理解されるべきことには、端末装置は、アップリンクチャネル上で第１のＣＳＩによって占有されるＲＥの量を直接的に決定してもよいし、あるいは、第１のＣＳＩ内のＲＩに基づいて、アップリンクチャネル上で第１のＣＳＩによって占有されるＲＥの量を計算してもよい。更に理解されるべきことには、アップリンクチャネル上で第１のＣＳＩによって占有されるＲＥの量が第１の閾値に等しい場合に、第２のＣＳＩは、代わりに、第１のＣＳＩ内の一部のパラメータを含んでもよい。これは、この出願のこの実施形態において限定されることではない。
【００１７】
第１の態様を参照するに、第１の態様の一部の実装において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【００１８】
理解されるべきことには、端末装置は、第１のＣＳＩの変調シンボルの量を直接的に決定してもよいし、あるいは、第１のＣＳＩ内のＲＩに基づいて、第１のＣＳＩの変調シンボルの量を計算してもよい。更に理解されるべきことには、第１のＣＳＩの変調シンボルの量が第２の閾値に等しい場合に、第２のＣＳＩは、代わりに、第１のＣＳＩ内の一部のパラメータを含んでもよい。これは、この出願のこの実施形態において限定されることではない。
【００１９】
第１の態様を参照するに、第１の態様の一部の実装において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【００２０】
理解されるべきことには、第１のＣＳＩの情報ビット量は、チャネルコーディングが実行される前の第１のＣＳＩのビット量である。端末装置は第１のＣＳＩの情報ビット量を直接的に決定してもよいし、あるいは、第１のＣＳＩ内のＲＩに基づいて、第１のＣＳＩの情報ビット量を計算してもよい。更に理解されるべきことには、第１のＣＳＩの情報ビット量が第２の閾値に等しい場合に、第２のＣＳＩは、代わりに、第１のＣＳＩ内の一部のパラメータを含んでもよい。これは、この出願のこの実施形態において限定されることではない。
【００２１】
第１の態様を参照するに、第１の態様の一部の実装において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【００２２】
理解されるべきことには、端末装置は、チャネルコーディングが実行された後の第１のＣＳＩのビット量を直接的に決定してもよいし、あるいは、第１のＣＳＩ内のＲＩに基づいて、チャネルコーディングが実行された後の第１のＣＳＩのビット量を計算してもよい。更に理解されるべきことには、チャネルコーディングが実行された後の第１のＣＳＩのビット量が第４の閾値に等しい場合に、第２のＣＳＩは、代わりに、第１のＣＳＩ内の一部のパラメータを含んでもよい。これは、この出願のこの実施形態において限定されることではない。
【００２３】
第１の態様を参照するに、第１の態様の一部の実装において、端末装置により第２のＣＳＩを送信することは、端末装置により、第２のＣＳＩとアップリンクデータとを送信し、アップリンクデータと第２のＣＳＩとが同じアップリンクチャネル上で運ばれる、ことを含む。
【００２４】
具体的には、端末装置は、アップリンクデータと共に第２のＣＳＩをアップリンクチャネルに付加して、第２のＣＳＩ及びアップリンクデータをネットワーク装置に送信し得る。この場合、ネットワーク装置によって割り当てられたアップリンクチャネルリソースが、第２のＣＳＩとアップリンクデータとによって共有される。
【００２５】
第１の態様を参照するに、第１の態様の一部の実装において、第２のＣＳＩの伝送パラメータは更に、アップリンクチャネル上で第２のＣＳＩによって占有されるＲＥの量の、アップリンクチャネルに含まれるＲＥの総量に対する比、を含む。
【００２６】
第１の態様を参照するに、第１の態様の一部の実装において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【００２７】
理解されるべきことには、アップリンクチャネルのリソースエレメントは、まとめてリソースエレメントセットとして参照されることができ、アップリンクチャネル上で第１のＣＳＩによって占有されるＲＥの量の、アップリンクチャネルに含まれるＲＥの総量に対する比はまた、リソースエレメントセットにおける第１のＣＳＩのＲＥの量の、リソースエレメントセットにおけるＲＥの総量に対する比として参照されることができる。これは、この出願のこの実施形態において限定されることではない。端末装置は、アップリンクチャネル上で第１のＣＳＩによって占有されるＲＥの量の、アップリンクチャネルに含まれるＲＥの総量に対する比を直接的に決定してもよいし、あるいは、第１のＣＳＩ内のＲＩに基づいて、アップリンクチャネル上で第１のＣＳＩによって占有されるＲＥの量の、アップリンクチャネルに含まれるＲＥの総量に対する比を計算してもよい。更に理解されるべきことには、アップリンクチャネル上で第１のＣＳＩによって占有されるＲＥの量の、アップリンクチャネルに含まれるＲＥの総量に対する比が、第５の閾値に等しい場合に、第２のＣＳＩは、代わりに、第１のＣＳＩ内の一部のパラメータを含んでもよい。これは、この出願のこの実施形態において限定されることではない。
【００２８】
第１の態様を参照するに、第１の態様の一部の実装において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【００２９】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。
【００３０】
第１の態様を参照するに、第１の態様の一部の実装において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【００３１】
理解されるべきことには、端末装置は、アップリンクデータのチャネルコーディングコードレートを、リソース割当て情報及び第１のＣＳＩ内のパラメータに基づいて計算し得る。更に理解されるべきことには、アップリンクデータのチャネルコーディングコードレートが第６の閾値に等しい場合に、第２のＣＳＩは、代わりに、第１のＣＳＩ内の一部のパラメータを含んでもよい。これは、この出願のこの実施形態において限定されることではない。
【００３２】
第１の態様を参照するに、第１の態様の一部の実装において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【００３３】
理解されるべきことには、端末装置は、アップリンクチャネル上でアップリンクデータによって占有されるＲＥの量を、リソース割当て情報及び第１のＣＳＩ内のパラメータに基づいて計算し得る。更に理解されるべきことには、アップリンクチャネル上でアップリンクデータによって占有されるＲＥの量が第７の閾値に等しい場合に、第２のＣＳＩは、代わりに、第１のＣＳＩ内の一部のパラメータを含んでもよい。これは、この出願のこの実施形態において限定されることではない。
【００３４】
第１の態様を参照するに、第１の態様の一部の実装において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【００３５】
理解されるべきことには、端末装置は、アップリンクデータの変調シンボルの量を、リソース割当て情報及び第１のＣＳＩ内のパラメータに基づいて計算し得る。更に理解されるべきことには、アップリンクデータの変調シンボルの量が第８の閾値に等しい場合に、第２のＣＳＩは、代わりに、第１のＣＳＩ内の一部のパラメータを含んでもよい。これは、この出願のこの実施形態において限定されることではない。
【００３６】
第１の態様を参照するに、第１の態様の一部の実装において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【００３７】
理解されるべきことには、端末装置は、アップリンクチャネル上でアップリンクデータによって占有されるＲＥの量の、アップリンクチャネルに含まれるＲＥの総量に対する比を、リソース割当て情報及び第１のＣＳＩ内のパラメータに基づいて計算し得る。更に理解されるべきことには、アップリンクチャネル上でアップリンクデータによって占有されるＲＥの量の、アップリンクチャネルに含まれるＲＥの総量に対する比が、第９の閾値に等しい場合に、第２のＣＳＩは、代わりに、第１のＣＳＩ内の一部のパラメータを含んでもよい。これは、この出願のこの実施形態において限定されることではない。更に理解されるべきことには、基準情報は１つ以上の閾値を指し示し得る。
【００３８】
第１の態様を参照するに、第１の態様の一部の実装において、端末装置により第２のＣＳＩを送信する前に、当該方法は更に、端末装置により、上記比較結果及び優先度情報に基づいて、アップリンクデータを送信すべきかを決定することであり、優先度情報は、第２のＣＳＩ及びアップリンクデータの優先度を指し示すために使用される、決定することと、端末装置により、第２のＣＳＩを送信することであり、アップリンクデータを送信すべきと端末装置が決定した場合に、端末装置により、第２のＣＳＩ及びアップリンクデータを送信することを含む、送信することと、を含む。
【００３９】
具体的には、端末装置は、先ず、優先度情報に基づいてＣＳＩ及びアップリンクデータの優先度を決定し、次いで、アップリンクデータが送信される必要があるかを決定し、換言すれば、優先度情報に基づいて、好ましくは第１のＣＳＩ内の一部の情報を破棄すべきか、又は好ましくはアップリンクデータを破棄すべきかを決定し得る。理解されるべきことには、優先度情報は、予め規定されていてもよいし、シグナリングを用いることによって、端末装置のためにネットワーク装置によって設定されてもよい。これは、この出願のこの実施形態において限定されることではない。
【００４０】
第１の態様を参照するに、第１の態様の一部の実装において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【００４１】
理解されるべきことには、第１の周波数ドメイン粒度パラメータはまた、ブロードバンドパラメータともしても参照され、Ｍ個のサブバンドについて同じ値を持ち、第２の周波数ドメイン粒度パラメータはまた、サブバンドパラメータとしても参照され、Ｍ個のサブバンドの各々に対して異なる値を持つ。具体的には、端末装置によって報告される第２のＣＳＩが、第１のＣＳＩ内の一部のパラメータを含む場合、端末装置は、報告を行うための予め規定されたルールに基づいて、第１のＣＳＩ内の一部のパラメータを選択し得る。例えば、端末装置は、デフォルトルールに基づいて、第１のＣＳＩ内のある割合のパラメータ（例えば、ＲＩと、ブロードバンドＰＭＩと、全てのサブバンドＣＱＩと、ある割合のサブバンドＰＭＩ；ＲＩと、ブロードバンドＰＭＩと、ある割合のサブバンドＰＭＩ及びサブバンドＣＱＩ；ＲＩと、ブロードバンドＰＭＩと、ブロードバンドＣＱＩと、Ｍ個のサブバンドのうちそのインデックスが最も高い方のサブバンドＰＭＩ及び／又はサブバンドＣＱＩ；又は、ＲＩと、幾つかのＤＦＴベクトルに対応するＰＭＩ及び／又はＣＱＩ）のみを報告し得る。
【００４２】
第１の態様を参照するに、第１の態様の一部の実装において、基準情報は、予め規定されており、又は基準情報は、シグナリングを用いることによって、端末装置のためにネットワーク装置によって設定される。
【００４３】
第１の態様を参照するに、第１の態様の一部の実装において、該シグナリングは、以下のシグナリング、すなわち、無線リソース制御ＲＲＣシグナリング、ダウンリンク制御情報ＤＣＩ、及びメディアアクセス制御コントロールエレメントＭＡＣ  ＣＥ、のうちのいずれか１つである。
【００４４】
理解されるべきことには、ＲＲＣシグナリングを用いて基準情報を設定することは、基準情報の設定が頻繁に変化せず比較的安定であるシナリオに適用可能であり、物理層及びＭＡＣ層のシグナリングのビットオーバヘッドが大幅に低減され得る。ＤＣＩを用いて基準情報を設定することは、端末装置が高速検出を実行して、端末装置がタイムリーに基準情報を受信することを確実にする助けとなる。一方、ＭＡＣ  ＣＥシグナリングを用いて基準情報を設定することは、基準情報が比較的動的に変化するシナリオに適用可能である。
ＭＡＣ  ＣＥシグナリングのデコーディング速度は、ＲＲＣシグナリングのそれよりも高い。従って、そのようなシナリオでは、ネットワーク装置は、より効率的に基準情報を設定するためにＭＡＣ  ＣＥシグナリングを使用する。
【００４５】
第２の態様によれば、別のデータ伝送方法が提供される。当該方法は、ネットワーク装置により、第２のチャネル状態情報ＣＳＩ内のランクインジケーションＲＩを受信することと、ネットワーク装置により、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定することと、を含み、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【００４６】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【００４７】
第２の態様を参照するに、第２の態様の一部の実装において、基準情報は、第２のＣＳＩのランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【００４８】
第２の態様を参照するに、第２の態様の一部の実装において、基準情報は、ＲＩの閾値を指し示すために使用され、ステータスパラメータはＲＩであり、ＲＩがＲＩの閾値よりも大きい場合、第２のＣＳＩは、第１のＣＳＩ内の一部のパラメータを含み、ＲＩがＲＩの閾値以下である場合、第２のＣＳＩは、第１のＣＳＩ内の全てのパラメータを含む。
【００４９】
第２の態様を参照するに、第２の態様の一部の実装において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【００５０】
第２の態様を参照するに、第２の態様の一部の実装において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【００５１】
第２の態様を参照するに、第２の態様の一部の実装において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【００５２】
第２の態様を参照するに、第２の態様の一部の実装において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【００５３】
第２の態様を参照するに、第２の態様の一部の実装において、ネットワーク装置により第２のＣＳＩ内のランクインジケーションＲＩを受信することは、ネットワーク装置により、第２のＣＳＩとアップリンクデータとを受信し、アップリンクデータと第２のＣＳＩとが同じアップリンクチャネル上で運ばれる、ことを含む。
【００５４】
第２の態様を参照するに、第２の態様の一部の実装において、第２のＣＳＩの伝送パラメータは更に、アップリンクチャネル上で第２のＣＳＩによって占有されるＲＥの量の、アップリンクチャネルに含まれるＲＥの総量に対する比、を含む。
【００５５】
第２の態様を参照するに、第２の態様の一部の実装において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【００５６】
第２の態様を参照するに、第２の態様の一部の実装において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【００５７】
第２の態様を参照するに、第２の態様の一部の実装において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【００５８】
第２の態様を参照するに、第２の態様の一部の実装において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【００５９】
第２の態様を参照するに、第２の態様の一部の実装において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【００６０】
第２の態様を参照するに、第２の態様の一部の実装において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【００６１】
第２の態様を参照するに、第２の態様の一部の実装において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【００６２】
第２態様を参照するに、第２の態様の一部の実装において、基準情報は、予め規定されており、又は当該方法は更に、シグナリングを用いることによって、ネットワーク装置により、基準情報を端末装置に送信することを含む。
【００６３】
第２の態様を参照するに、第２の態様の一部の実装において、該シグナリングは、以下のシグナリング、すなわち、無線リソース制御ＲＲＣシグナリング、ダウンリンク制御情報ＤＣＩ、及びメディアアクセス制御コントロールエレメントＭＡＣ  ＣＥ、のうちのいずれか１つである。
【００６４】
第３の態様によれば、端末装置が提供される。当該端末装置は、第１の態様に従った又は第１の態様の任意の取り得る実装に従った方法を実行するように構成される。具体的には、当該端末装置は、第１の態様に従った又は第１の態様の任意の取り得る実装に従った方法を実行するように構成されたユニットを含む。
【００６５】
第４の態様によれば、ネットワーク装置が提供される。当該ネットワーク装置は、第２の態様に従った又は第２の態様の任意の取り得る実装に従った方法を実行するように構成される。具体的には、当該ネットワーク装置は、第２の態様に従った又は第２の態様の任意の取り得る実装に従った方法を実行するように構成されたユニットを含む。
【００６６】
第５の態様によれば、端末装置が提供される。当該端末装置は、トランシーバ、メモリ、及びプロセッサを含む。トランシーバ、メモリ、及びプロセッサは、内部接続経路を使用することによって互いに通信し、メモリは、命令を格納するように構成され、プロセッサは、信号を受信するよう受信器を制御するとともに信号を送信するよう送信器を制御するように、メモリに格納された命令を実行するよう構成され、プロセッサが、メモリに格納された命令を実行するとき、該実行が、第１の態様に従った又は第１の態様の任意の取り得る実装に従った方法をプロセッサが実行することを可能にする。
【００６７】
第６の態様によれば、ネットワーク装置が提供される。当該ネットワーク装置は、トランシーバ、メモリ、及びプロセッサを含む。トランシーバ、メモリ、及びプロセッサは、内部接続経路を使用することによって互いに通信し、メモリは、命令を格納するように構成され、プロセッサは、信号を受信するよう受信器を制御するとともに信号を送信するよう送信器を制御するように、メモリに格納された命令を実行するよう構成され、プロセッサが、メモリに格納された命令を実行するとき、該実行が、第２の態様に従った又は第２の態様の任意の取り得る実装に従った方法をプロセッサが実行することを可能にする。
【００６８】
第７の態様によれば、データ伝送システムが提供される。当該システムは、第３の態様に従った又は第３の態様の任意の取り得る実装に従った端末装置と、第４の態様に従った又は第４の態様の任意の取り得る実装に従ったネットワーク装置とを含み、又は
当該システムは、第５の態様に従った又は第５の態様の任意の取り得る実装に従った端末装置と、第６の態様に従った又は第６の態様の任意の取り得る実装に従ったネットワーク装置とを含む。
【００６９】
第８の態様によれば、コンピュータプログラムプロダクトが提供される。当該コンピュータプログラムプロダクトはコンピュータプログラムコードを含み、該コンピュータプログラムコードがネットワーク装置によって実行されるとき、ネットワーク装置が、第１の態様に従った又は第１の態様の任意の取り得る実装に従った方法を実行する。
【００７０】
第９の態様によれば、コンピュータプログラムプロダクトが提供される。当該コンピュータプログラムプロダクトはコンピュータプログラムコードを含み、該コンピュータプログラムコードが端末装置によって実行されるとき、端末装置が、第２の態様に従った又は第２の態様の任意の取り得る実装に従った方法を実行する。
【００７１】
第１０の態様によれば、チップが提供される。当該チップは、入力インタフェース、出力インタフェース、及び少なくとも１つのプロセッサを含み、また、オプションで更にメモリを含み得る。入力インタフェース、出力インタフェース、プロセッサ、及びメモリは、内部接続経路を使用することによって互いに接続され、また、プロセッサ及びメモリは、内部接続経路又は外部経路を使用することによって互いに接続されてもよく、プロセッサは、メモリ内のコードを実行するように構成され、コードが実行されるとき、プロセッサは、第１の態様に従った又は第１の態様の任意の取り得る実装に従った方法を実行するように構成される。
【００７２】
第１１の態様によれば、チップが提供される。当該チップは、入力インタフェース、出力インタフェース、及び少なくとも１つのプロセッサを含み、また、オプションで更にメモリを含み得る。入力インタフェース、出力インタフェース、プロセッサ、及びメモリは、内部接続経路を使用することによって互いに接続され、また、プロセッサ及びメモリは、内部接続経路又は外部経路を使用することによって互いに接続されてもよく、プロセッサは、メモリ内のコードを実行するように構成され、コードが実行されるとき、プロセッサは、第２の態様に従った又は第２の態様の任意の取り得る実装に従った方法を実行するように構成される。
【００７３】
第１２の態様によれば、プロセッシング装置が提供される。当該プロセッシング装置は、メモリと、該メモリに格納された命令を読み取って上述の方法のうちいずれか１つを実行ように構成されたプロセッサとを含み、送信及び受信に関連するステップは、トランシーバを用いることによりプロセッサによって実行されるものとして理解されるべきである。
【００７４】
メモリは、例えば読み出し専用メモリ（read-only  memory，ＲＯＭ）などの非一時的（non-transitory）なメモリとし得る。メモリ及びプロセッサは、同一チップ上に集積化されてもよいし、又は異なるチップ上に別々に配置されてもよい。メモリのタイプ並びにメモリ及びプロセッサを配置するやり方は、この出願のこの実施形態において限定されることではない。
【００７５】
第１３の態様によれば、コンピュータ読み取り可能媒体が提供される。当該コンピュータ読み取り可能媒体は、コンピュータプログラムを格納するように構成され、該コンピュータプログラムは、第１の態様に従った又は第１の態様の任意の取り得る実装に従った方法を実行するのに使用される命令を含む。
【００７６】
第１４の態様によれば、コンピュータ読み取り可能媒体が提供される。当該コンピュータ読み取り可能媒体は、コンピュータプログラムを格納するように構成され、該コンピュータプログラムは、第２の態様に従った又は第２の態様の任意の取り得る実装に従った方法を実行するのに使用される命令を含む。
【００７７】
コンピュータ読み取り可能記憶媒体は、非一時的（non-transitory）なものである。
【００７８】
第１５の態様によれば、命令を含んだコンピュータプログラムプロダクトが提供される。当該コンピュータプログラムプロダクトがコンピュータ上で走るとき、コンピュータが、上述の方法のうちのいずれか１つを実行する。
【００７９】
この出願の実施形態におけるデータ伝送方法、端末装置、及びネットワーク装置によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【図面の簡単な説明】
【００８０】
【図１】この出願の一実施形態に従った通信システムの概略図である。
【図２】この出願の一実施形態に従ったデータ伝送方法の概略フローチャートである。
【図３】この出願の一実施形態に従った端末装置の概略ブロック図である。
【図４】この出願の一実施形態に従ったネットワーク装置の概略ブロック図である。
【図５】この出願の一実施形態に従った別のネットワーク装置の概略ブロック図である。
【図６】この出願の一実施形態に従った別の端末装置の概略ブロック図である。
【発明を実施するための形態】
【００８１】
以下、添付図面を参照して、この出願の技術的ソリューションを説明する。
【００８２】
現時において研究開発段階にある次世代無線通信システムは、新無線（new  radio，ＮＲ）システム、又は将来の第５世代（5th  generation，５Ｇ）システムとして参照されることもある。次世代無線通信規格の最新の研究進捗は、物理的アップリンク共用チャネル（physical  uplink  shared  channel，ＰＵＳＣＨ）を用いることによって、受信端装置から送信端装置にＣＳＩを送り得ることを示している。当業者が理解するはずのことには、主に制御情報を伝送するために使用される物理的アップリンク制御チャネル（physical  uplink  control  channel，ＰＵＣＣＨ）と比較して、ＰＵＳＣＨは主にデータを伝送するために使用される。従って、ＣＳＩを伝送するとき、ＰＵＳＣＨは、更にデータを伝送することもあれば、データを伝送しないこともある。例えば、アップリンクサブフレーム（subframe）におけるＰＵＳＣＨは、ＣＳＩ及びデータの双方を伝送することもあれば、データは伝送せずにＣＳＩのみを伝送することもある。ＣＳＩは、通常、アップリンク制御情報（uplink  control  information，ＵＣＩ）に含められ、ＵＣＩはＰＵＳＣＨを用いることによって伝送される。
【００８３】
この出願の実施形態における周波数帯域は、キャリア帯域幅（carrier  bandwidth）として参照されることがあり、少なくとも１つの帯域幅部分（bandwidth  part）を更に含むブロードバンドとみなされ得る。各帯域幅部分が、少なくとも１つの連続的なサブバンドを含み、各サブバンドが更に、複数の隣接したサブキャリアを含む。
【００８４】
各帯域幅部分が、以下に限られないが例えばサブキャリア間隔（subcarrier  spacing）及びサイクリックプレフィックス（cyclic  prefix，ＣＰ）を含む一群のシステムパラメータのグループ（numerology）に対応し得るとともに、異なる帯域幅部分が、異なるシステムパラメータに対応し得る。オプションで、同一の送信時間間隔（transmission  time  interval，ＴＴＩ）内では、複数の帯域幅部分のうち、１つの帯域幅部分のみが利用可能であることができ、他の帯域幅部分は利用可能でない。
【００８５】
ＣＳＩ報告においては、ある帯域幅部分の一部又は全てのサブバンドがＣＳ報告バンド（CSI  reporting  band）として割り当てられて使用され、そのＣＳＩ報告バンドに対応するＣＳＩを報告するようにする。報告バンドは帯域幅のセグメントであり、その帯域幅に対応するＣＳＩが報告される必要があり、その帯域幅は複数のサブバンドを含む、ということは理解に難くない。報告バンドは、以下に限られないが、例えば、セル固有基準信号（cell-specific  reference  signal，ＣＲＳ）、チャネル状態情報基準信号（channel  state  information-reference  signal，ＣＳＩ−ＲＳ）、又は復調基準信号（demodulation  reference  signal，ＤＭＲＳ）といった、送信端装置によって送信されてチャネルサウンディングを実行するために使用される基準信号を運ぶ。基準信号の関連する技術的内容は、先行技術に属するものであり、この出願の実施形態において限定されることではない。受信端装置が、基準信号を測定して、対応するＣＳＩを取得し得る。
【００８６】
ＣＳＩ報告においては、報告バンド全体のＣＳＩ、すなわち、報告バンドのブロードバンドＣＳＩが報告されることもあれば、報告バンド内の少なくとも１つのサブバンドのＣＳＩが報告されることもある。代わりに、これら２つの報告手法が組み合わされて使用されることがあり、あるいは他の報告手法が使用される。例えば、報告バンドは複数の隣接したサブバンドを含む。しかしながら、特定の実装において、報告バンドに含まれるサブバンドは隣接していないこともある。例えば、帯域幅部分内の６つの隣接したサブバンドであるサブバンド１からサブバンド６に対して、報告バンドは、サブバンド１、サブバンド２、サブバンド４、及びサブバンド６を含んでもよい。特定の実装において、周波数帯域はまた、別の手法で又は階層に基づいて分割されてもよい。例えば、異なる分割手法では、サブバンドに含まれるサブキャリアの量が異なってもよい。周波数帯域を分割する具体的な手法は、この出願の実施形態において限定されることではない。
【００８７】
上述のように、チャネルサウンディングが実行されるとき、受信端装置は、送信端装置によって送信された基準信号（reference  signal，ＲＳ）に基づいてチャネル状態情報を取得し、取得したＣＳＩを送信端装置にフィードバックする。送信端装置は、ＣＳＩに基づいて被送信信号を処理し、処理した被送信信号を受信端装置に送信し得る。特定の実装において、ＣＳＩは更に、以下に限られないが、例えば、チャネル品質インジケータ（channel  quality  indicator，ＣＱＩ）、プリコーディング行列インジケータ（precoding  matrix  indicator，ＰＭＩ）、ＣＳＩ−ＲＳリソースインジケータ（CSI-RS  resource  indicator，ＣＲＩ）、及びランクインジケーション（rank  indication，ＲＩ）、のうちの少なくとも１つを含み得る。被送信信号を処理するとき、送信端装置は、受信端装置によってフィードバックされたＣＳＩを用いることによって直接的に被送信信号を処理してもよいし、あるいは、受信端装置によってフィードバックされたＣＳＩを調節し、調節したＣＳＩを用いることによって被送信信号を処理してもよい。例えば、特定の実装において、送信端装置は、受信端装置によってフィードバックされたＲＩを低減させ、低減させたＲＩを用いることによって被送信信号を処理し得る。他の一例では、送信端装置は更に、受信端装置によってフィードバックされたＰＭＩに対応するプリコーディング行列を再構成し、再構成したＰＭＩを用いることによって被送信信号を処理してもよく、再構成プロセスは、以下に限られないが、例えば、同時スケジュールされた複数の受信端装置によってフィードバックされたＰＭＩに対応するプリコーディング行列に対して直交化処理を行うこととし得る。データ送信を実行するように複数の受信端装置を同時スケジューリングする方法は、マルチユーザ多入力多出力（multi-user  multiple-input  and  multiple-output（ＭＩＭＯ），ＭＵ−ＭＩＭＯ）技術としても参照される。他の一例では、送信端装置は更に、受信端装置によってフィードバックされたＣＱＩを低減させ、低減させたＣＱＩを用いることによって被送信信号を処理し得る。なお、受信端装置によってフィードバックされたＣＳＩを送信端装置が調節する場合、送信端装置は、受信端装置が、調節されたＣＳＩに基づいて、受信した信号から被送信信号を復元するように、調節したＣＳＩを受信端装置に通知する必要があるとし得る。例えば、基地局がＲＩ又はＣＱＩを調節する場合、基地局は、調節したＲＩ又はＣＱＩを受信端装置に通知する必要がある。特定の実装において、受信端装置によってフィードバックされたＣＳＩを送信端装置によって調節する具体的な手法は、この出願の実施形態において限定されることではない。
【００８８】
理解されるべきことには、この出願の実施形態の技術的ソリューションは、例えば、グローバル・システム・フォー・モバイル・コミュニケーションズ（global  system  of  mobile  communications，ＧＳＭ）システム、符号分割多元接続（code  division  multiple  access，ＣＤＭＡ）システム、広帯域符号分割多元接続（wideband  code  division  multiple  access  wireless，ＷＣＤＭＡ）システム、汎用パケット無線サービス（general  packet  radio  service，ＧＰＲＳ）、ロング・ターム・エボリューション（long  term  evolution，ＬＴＥ）システム、ＬＴＥ周波数分割デュプレックス（frequency  division  duplex，ＦＤＤ）システム、ＬＴＥ時分割デュプレックス（(time  division  duplex，ＴＤＤ）システム、ユニバーサル・モバイル・テレコミュニケーション・システム（universal  mobile  telecommunication  system，ＵＭＴＳ）、ワイマックス（worldwide  interoperability  for  microwave  access，ＷｉＭＡＸ）通信システム、将来の第５世代（5th  generation，５Ｇ）システム、又は新無線（new  radio，ＮＲ）システムなどの様々な通信システムに適用され得る。
【００８９】
更に理解されるべきことには、この出願の実施形態の技術的ソリューションは更に、例えばスパースコード多元接続（sparse  code  multiple  access，ＳＣＭＡ）システムといった、非直交多元接続技術に基づく様々な通信システムに適用され得る。確かなことには、ＳＣＭＡはまた、通信分野において別の名称として参照されることもある。さらに、この出願の実施形態の技術的ソリューションは、例えば、直交周波数分割多重（orthogonal  frequency  division  multiplexing，ＯＦＤＭ）システム、フィルタバンクマルチキャリア（filter  bank  multi-carrier，ＦＢＭＣ）システム、ジェネラライズド周波数分割多重（generalized  frequency  division  multiplexing，ＧＦＤＭ）システム、又は非直交多元接続技術が使用されるフィルタ式直交周波数分割多重（filtered-OFDM，Ｆ−ＯＦＤＭ）システムといった、非直交多元接続技術が使用されるマルチキャリア伝送システムに適用され得る。
【００９０】
理解されるべきことには、この出願の実施形態における端末装置は、無線アクセスネットワーク（radio  access  network，ＲＡＮ）を使用することによって１つ以上のコアネットワークと通信することができ、当該端末装置は、アクセス端末、ユーザ装置（user  equipment，ＵＥ）、加入者ユニット、加入者局、移動局、モバイルコンソール、リモート局、リモート端末、モバイル装置、ユーザ端末、端末、無線通信装置、ユーザエージェント、又はユーザ機器として参照されることがある。アクセス端末は、携帯電話、コードレス電話、セッション初期化プロトコル（session  initiation  protocol，ＳＩＰ）電話、ワイヤレスローカルループ（wireless  local  loop，ＷＬＬ）局、パーソナルデジタルアシスタント（personal  digital  assistant，ＰＤＡ）、無線通信機能を有するハンドヘルド装置、コンピューティング装置、無線モデムに接続された他のプロセッシング装置、車載装置、ウェアラブル装置、将来の５Ｇネットワーク内の端末装置、将来発展する地上波公共移動通信ネットワーク（public  land  mobile  network，ＰＬＭＮ）内の端末装置、又はこれらに類するものとし得る。
【００９１】
更に理解されるべきことには、この出願の実施形態において、ネットワーク装置は、端末装置と通信するように構成され得る。ネットワーク装置は、ＧＳＭシステム又はＣＤＭＡシステムにおける基地局（base  transceiver  station，ＢＴＳ）であってもよいし、ＷＣＤＭＡシステムにおけるＮｏｄｅＢ（NodeB，ＮＢ）であってもよいし、又はＬＴＥシステムにおけるエボルブドＮｏｄｅＢ（evolutional  NodeB，ｅＮＢ若しくはｅＮｏｄｅＢ）であってもよい。あるいは、ネットワーク装置は、中継局、アクセスポイント、車載装置、ウェアラブル装置、将来の５Ｇネットワークにおけるネットワーク側装置、将来の進化型ＰＬＭＮネットワークにおけるネットワーク装置、又はこれらに類するものであってもよい。
【００９２】
この出願の実施形態は、ＬＴＥシステム及び例えば５Ｇなどのその後の進化型システム、又は、例えば符号分割多元接続、周波数分割多元接続、時分割多元接続、直交周波数分割多元接続、若しくは単一搬送波周波数分割多元接続などのアクセス技術が使用されるシステムといった、様々な無線アクセス技術が使用される他の無線通信システム、に適用可能とし得るものであり、特に、例えばマッシブＭＩＭＯ技術が適用される無線ネットワーク又は分散アンテナ技術が適用される無線ネットワークといった、チャネル情報フィードバックを必要とするシナリオ及び／又は補助的なプリコーディング技術が適用されるシナリオに適用可能である。
【００９３】
理解されるべきことには、多入力多出力（multiple-input  multiple-output，ＭＩＭＯ）技術は、送信端装置及び受信端装置がそれぞれ複数の送信アンテナ及び受信アンテナを使用することで、送信端装置及び受信端装置のそれら複数のアンテナを用いることによって信号が送信及び受信され、それにより通信品質を向上させるようにしたものである。多入力多出力技術は、複数のアンテナを使用することによって、空間リソースを十分に使用して多入力多出力を実現することができ、スペクトルリソース及びアンテナ送信出力における増加なしで、システムチャネル容量を増加させることができる。
【００９４】
ＭＩＭＯは、シングルユーザ多入力多出力（single-user  MIMO，ＳＵ‐ＭＩＭＯ）とマルチユーザ多入力多出力（multi-user  MIMO，ＭＵ‐ＭＩＭＯ）とに分けられ得る。マッシブＭＩＭＯでは、マルチユーザビームフォーミング原理に基づいて、何百というアンテナが送信端装置に配置されて、何十というターゲット受信器に対してそれぞれのビームを変調し、そして、空間信号分離を行うことによって何十という信号が同時に同一周波数リソース上で送信される。従って、マッシブＭＩＭＯ技術は、大規模なアンテナ構成によってもたらされる空間自由度を十分に使用してスペクトル効率を向上させることができる。
【００９５】
図１は、この出願の実施形態で使用される通信システムの概略図である。図１に示すように、通信システム１００はネットワーク装置１０２を含み、ネットワーク装置１０２は、複数のアンテナ群を含み得る。各アンテナ群が、１つ以上のアンテナを含み得る。例えば、あるアンテナ群がアンテナ１０４及び１０６を含むことができ、別のアンテナ群がアンテナ１０８及び１１０を含むことができ、そして、更なる群がアンテナ１１２及び１１４を含むことができる。図１では、各アンテナ群に２つのアンテナが示されている。しかしながら、より多数又は少数のアンテナが各群に使用されてもよい。ネットワーク装置１０２は更に、送信器チェーン及び受信器チェーンを含み得る。当業者が理解し得ることには、送信器チェーン及び受信器チェーンはどちらも、例えばプロセッサ、変調器、マルチプレクサ、復調器、デマルチプレクサ、又はアンテナといった、信号送受信に関係する複数のコンポーネントを含み得る。
【００９６】
ネットワーク装置１０２は、複数の端末装置と通信し得る。例えば、ネットワーク装置１０２は、端末装置１１６及び端末装置１２２と通信し得る。しかしながら、理解され得ることには、ネットワーク装置１０２は、端末装置１１６又は１２２と同様の如何なる数の端末装置と通信してもよい。端末装置１１６及び１２２は各々、例えば、携帯電話、スマートフォン、ポータブルコンピュータ、ハンドヘルド通信装置、ハンドヘルドコンピューティング装置、衛星無線装置、全地球測位システム、ＰＤＡ、及び／又は、無線通信システム１００内で通信を行うように構成された任意の他の好適装置とし得る。
【００９７】
図１に示すように、端末装置１１６は、アンテナ１１２及び１１４と通信しており、アンテナ１１２及び１１４は、順方向リンク１１８を用いることによって端末装置１１６に情報を送信し、逆方向リンク１２０を用いることによって端末装置１１６から情報を受信する。また、端末装置１２２は、アンテナ１０４及び１０６と通信しており、アンテナ１０４及び１０６は、順方向リンク１２４を用いることによって端末装置１２２に情報を送信し、逆方向リンク１２６を用いることによって端末装置１２２から情報を受信する。
【００９８】
例えば、周波数分割デュプレックスＦＤＤシステムにおいて、順方向リンク１１８は、逆方向リンク１２０によって使用されるものとは異なる周波数帯域を使用することができ、また、順方向リンク１２４は、逆方向リンク１２６によって使用されるものとは異なる周波数帯域を使用することができる。
【００９９】
他の一例では、時分割デュプレックスＴＤＤシステム及びフルデュプレックス（full  duplex）システムにおいて、順方向リンク１１８及び逆方向リンク１２０は共通の周波数帯域を使用することができ、また、順方向リンク１２４及び逆方向リンク１２６は共通の周波数帯域を使用することができる。
【０１００】
アンテナの各群及び／又は通信用に設計された領域を、ネットワーク装置１０２のセクタとして参照する。例えば、あるアンテナ群は、ネットワーク装置１０２のカバレッジエリアの中のあるセクタ内の端末装置と通信するように設計され得る。ネットワーク装置１０２が、端末装置１１６及び１２２とそれぞれ順方向リンク１１８及び１２４を用いることによって通信するとき、ネットワーク装置１０２の送信アンテナは、ビームフォーミングを行うことによって、順方向リンク１１８及び１２４の信号対雑音比を向上させ得る。また、ネットワーク装置が、該ネットワーク装置がサービス提供する全ての端末装置に、単一のアンテナを用いることによって信号を送信する手法と比較して、ネットワーク装置１０２が、関連するカバレッジエリア内にランダムに分布する端末装置１１６及び１２２に、ビームフォーミングを行うことによって信号を送信するときには、より少ない干渉が、隣接するセル内のモバイル装置に対して生じる。
【０１０１】
所与の時点において、ネットワーク装置１０２、端末装置１１６、又は端末装置１２２は、無線通信送信装置及び／又は無線通信受信装置であり得る。データを送信するとき、無線通信送信装置は、送信のためにデータをエンコードし得る。具体的には、無線通信送信装置は、チャネルを使用することによって無線通信受信装置に送るべき特定量のデータビットを取得し得る。例えば、無線通信送信装置は、チャネルを使用することによって無線通信受信装置に送るべき特定量のデータビットを、生成し、他の通信装置から受信し、又はメモリに格納し得る。そのようなデータビットは、データの１つ以上の輸送ブロックに含められることができ、輸送ブロックは、複数のコードブロックを生成するようにセグメント化されることができる。
【０１０２】
また、通信システム１００は、地上波公共移動通信ネットワークＰＬＭＮネットワーク、デバイスツーデバイス（device  to  device，Ｄ２Ｄ）ネットワーク、マシンツーマシン（machine  to  machine，Ｍ２Ｍ）ネットワーク、又は他のネットワークであってもよい。図１は、単に、理解の便宜上の簡略化された概略図の一例であり、ネットワークは更に、図１に描かれていない他のネットワーク装置を含み得る。
【０１０３】
図２は、この出願の一実施形態に従ったデータ伝送方法の概略フローチャート２００である。方法２００は、図１に示した通信システム１００に適用され得るが、この出願のこの実施形態はそれに限定されるものではない。
【０１０４】
Ｓ２１０．  端末装置が基準情報を決定する。
【０１０５】
Ｓ２２０．  端末装置が、基準情報とステータスパラメータとの比較結果に基づく第２のチャネル状態情報ＣＳＩを送信し、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０１０６】
Ｓ２３０．  ネットワーク装置が、端末装置によって送信された第２のＣＳＩを受信し、第２のＣＳＩ内のＲＩに基づいてステータスパラメータを決定し、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定する。
【０１０７】
具体的には、端末装置は、ネットワーク装置の設定に基づいて第１のＣＳＩを報告する必要がある。理解されるべきことには、第１のＣＳＩは、基準信号を測定することにより端末装置によって取得されるＣＳＩである。しかしながら、実際には、端末装置のためにネットワーク装置によって設定されたアップリンクチャネルリソースでは不十分であることがある。従って、この出願のこの実施形態において、端末装置は、実際に、第１のＣＳＩ内のパラメータの全てを報告するのか、それとも一部を報告するのかを選択し得る。換言すれば、実際に報告されるＣＳＩは、第２のＣＳＩであり、第２のＣＳＩは、第１のＣＳＩ内のパラメータの全て又は一部を含む。具体的に報告される必要があるのが第１のＣＳＩ内の全てのパラメータであるのか、それとも第１のＣＳＩ内の一部のパラメータであるのかが、基準情報に基づいて端末装置によって決定され得る。換言すれば、端末装置は、ステータスパラメータを基準情報と比較し、得られた比較結果に基づいて、最終的に報告される第２のＣＳＩのパラメータを決定する。理解されるべきことには、第１のＣＳＩ及び第２のＣＳＩというのは、単に手短な説明の便宜上のものである。実際の実装においては、測定を通じて端末装置によって取得されるＣＳＩが第１のＣＳＩとして参照され、端末装置によって報告されるＣＳＩが第２のＣＳＩとして参照される。測定を通じて取得されたＣＳＩの全てが報告される必要があるとき、第２のＣＳＩは実際には第１のＣＳＩである。
【０１０８】
理解されるべきことには、基準情報は、予め規定されたルールに基づいて端末装置によって決定されることもあれば、ネットワーク装置の設定に基づいて端末装置によって決定されることもある。換言すれば、基準情報は、予め規定されていてもよいし、シグナリングを用いることによって、端末装置のためにネットワーク装置によって設定されてもよい。これは、この出願のこの実施形態において限定されることではない。
【０１０９】
第１のＣＳＩ、すなわち、報告される必要があり且つ端末装置のためにネットワーク装置によって設定されたＣＳＩを、以下にて詳細に説明及び記述する。端末装置及びネットワーク装置の通信帯域幅がＭ個のサブバンドを含むと仮定し、ただし、Ｍは１以上の整数である。Ｍ個のサブバンドの各々が、複数の物理リソースブロック（physical  resource  block，ＰＲＢ）を含み、複数のＰＲＢの各々が、複数のリソースエレメント（resource  element，ＲＥ）を含む。例えばチャネル状態情報基準信号（channel  state  information-reference  signal，ＣＳＩ−ＲＳ）などの基準信号を測定した後に、端末装置は第１のＣＳＩを取得し得る。第１のＣＳＩは、ＲＩ及びＣＱＩを含んでもよく、あるいは第１のＣＳＩは、ＲＩ、ＣＱＩ、及びＰＭＩを含んでもよく、また、別のパラメータを更に含んでもよい。これは、この出願のこの実施形態において限定されることではない。
【０１１０】
理解されるべきことには、端末装置が第２のＣＳＩを報告するとき、ステータスパラメータは、第１のＣＳＩ内のパラメータ及び第１のＣＳＩの伝送パラメータのうちの少なくとも一方を含むことができ、あるいは端末装置が第２のＣＳＩ及びアップリンクデータの双方を通報するとき、ステータスパラメータは更に、アップリンクデータの伝送パラメータを含んでもよい。これは、この出願のこの実施形態において限定されることではない。
【０１１１】
この明細書において、第１のＣＳＩ内のパラメータは、第１のＣＳＩに含まれるパラメータ、例えば、ＲＩ、ＰＭＩ、及びＣＱＩなどのパラメータであり、第１のＣＳＩの伝送パラメータは、第１のＣＳＩの伝送状況を指し示すために使用されるパラメータ、例えば、アップリンクチャネル上で第１のＣＳＩによって占有されるリソースエレメントＲＥの量、第１のＣＳＩの変調シンボルの量、第１のＣＳＩの情報ビット量、及びチャネルコーディングが実行された後の第１のＣＳＩのビット量である。同様に、アップリンクデータの伝送パラメータは、アップリンクデータの伝送状況を指し示すために使用されるパラメータ、例えば、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比とし得る。
【０１１２】
従って、ステータスパラメータは、上述の例におけるいずれか１つ以上のパラメータとし得る。状態パラメータが１つのパラメータを含むとき、基準情報は、そのパラメータに対応する閾値とすることができ、又はそのパラメータに対応する複数の閾値としてもよい。ステータスパラメータが複数のパラメータを含むとき、基準情報は、それら複数のパラメータの各々に対応する閾値とし得る。これは、この出願のこの実施形態において限定されることではない。
【０１１３】
この本願のこの実施形態において、端末装置は、基準情報に基づいて、既存のパラメータを、同じ特性を持った、基準情報によって指し示されるパラメータに変換し、次いで比較を行ってもよいし、又は、ステータスパラメータに基づいて、基準情報によって指し示されるパラメータを、ステータスパラメータの特性と同じ特性を持ったパラメータに変換し、次いで比較を行ってもよい。これは、この出願のこの実施形態においてもいずれにも限定されることではない。例えば、端末装置は、第１のＣＳＩ内のＲＩを知り、基準情報を用いて、アップリンクチャネル上で第２のＣＳＩによって占有されるＲＥの量の閾値が指し示される。一実装において、端末装置は、第１のＣＳＩ内のＲＩに基づいて、アップリンクチャネル上で第１のＣＳＩによって占有されるＲＥの量を計算し、そして、ステータスパラメータとしての、アップリンクチャネル上で第１のＣＳＩによって占有されるＲＥの量を、アップリンクチャネル上で第２のＣＳＩによって占有されるＲＥの量の閾値と比較し得る。他の一実装において、端末装置は、基準情報を用いて指し示された、アップリンクチャネル上で第２のＣＳＩによって占有されるＲＥの量のものである閾値に基づいて、第２のＣＳＩのＲＩの閾値を計算し、そして、そのＲＩの閾値に対して第１のＣＳＩのＲＩを比較し得る。
【０１１４】
端末装置によってネットワーク装置にフィードバックされるＣＳＩは、通常、例えばランクインジケーション（rank  indication，ＲＩ）、プリコーディング行列インジケータ（pre-coding  matrix  indicator，ＰＭＩ）、及びチャネル品質インジケータ（channel  quality  indication，ＣＱＩ）などのパラメータを含む。ＰＭＩの情報ビット量及びＣＱＩの情報ビット量は、ＲＩが変わると変わり得る。従って、アップリンクデータと共に、最大量のＰＭＩビット及び最大量のＣＱＩビットの双方を、アップリンクチャネルで運ぶことができることを確実にするために、ネットワーク装置は常に、最大のＣＳＩビット量に基づいてリソースを割り当て得る。しかしながら、ネットワーク装置によってトリガされるＣＳＩ報告は、高精度ＣＳＩ報告であることがあり、高精度ＣＳＩのビット量は、異なるＲＩを持つ度に異なり得る。ネットワーク装置が常に最大ＣＳＩビット量に基づいてアップリンクチャネルリソースを割り当てる場合、アップリンクチャネルリソースが無駄になる。
【０１１５】
通常、アップリンクチャネルリソースの無駄を避けるために、ネットワーク装置は、ＲＩに対応する最大ＣＳＩビット量に基づいてリソースを割り当てるのではなく、事前の情報に基づいて、端末装置によって報告されるＲＩを推定し得る。この場合、ネットワーク装置によって端末装置に割り当てられるアップリンクチャネルリソースは、端末装置によって報告される第１のＣＳＩが必要とするアップリンクチャネルリソースを、必ずしも満足することができるわけではない。従って、端末装置は、第１のＣＳＩ内の一部のパラメータを破棄すべきかを決定する必要がある。同様に、ネットワーク装置は、端末装置が第１のＣＳＩ内の一部のパラメータを破棄するのかを知る必要がある。換言すれば、ネットワーク装置は、受信した第２のＣＳＩが第１のＣＳＩ内の全てのパラメータを含んでいるのか、それとも第１のＣＳＩ内の一部のパラメータを含んでいるのかを決定する必要がある。これに鑑み、この出願のこの実施形態においては、一片の基準情報、すなわち、上述の基準情報が導入される。端末装置は、基準情報に基づいて、第１のＣＳＩ内の一部のパラメータを破棄する必要があるかを決定することができ、また、ネットワーク装置も、基準情報に基づく決定を行うことで、端末装置の挙動が制御可能且つ予測可能であるよう、実際に報告された第２のＣＳＩのビット量又はアップリンクチャネル上で占有されるＲＥの量を知ること、及び、端末装置の理解がネットワーク装置のそれと一致しないためにＣＳＩ伝送障害が発生する状況を知ることができる。
【０１１６】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【０１１７】
オプションで、第１のＣＳＩはＲＩ及びＣＱＩを含み得る。第１のＣＳＩ内のＣＱＩについて、このＣＱＩは、ブロードバンドＣＱＩ、換言して、Ｍ個のサブバンドのチャネルに関して計算される値とし得る。オプションで、このＣＱＩは、Ｍ個のサブバンドの各々のＣＱＩであってもよく、サブバンドのＣＱＩは、Ｍ個のサブバンドのうち、そのサブバンドのチャネルに関して計算される。オプションで、Ｍ個のサブバンドのうちそのサブバンドのＣＱＩは、ブロードバンドＣＱＩに対して計算される差分値であってもよく、換言すれば、第１のＣＳＩ内のＣＱＩは、ブロードバンドＣＱＩと、Ｍ個のサブバンドのうちそのサブバンドのＣＱＩとを含んでもよい。これは、この出願のこの実施形態において限定されることではない。
【０１１８】
オプションで、第１のＣＳＩは、ＲＩ、ＣＱＩ、及びＰＭＩを含む。ＰＭＩは、Ｍ個のサブバンドの、ブロードバンドＰＭＩ及びサブバンドＰＭＩを含む。オプションで、Ｍ個のサブバンドの各々のＣＱＩが、ＲＩ、第１のＰＭＩ、及びそのサブバンドのＰＭＩに基づいて計算される。各サブバンドのＰＭＩが独立に計算されてもよく、あるいは全てのサブバンドのＰＭＩが従属的に計算される。独立した計算では、各サブバンドのＰＭＩは、そのサブバンドのチャネルサウンディング結果に基づいて計算することができ、他のサブバンドのチャネルサウンディング結果とは無関係である。従属した計算では、オプションで、一部のサブバンドのＰＭＩは、例えば、他のサブバンドのＰＭＩに基づく補間アルゴリズム又は線形結合アルゴリズムなどのジョイント処理を通じて取得される。これは、この出願のこの実施形態において限定されることではない。一例として補間アルゴリズムを用いると、端末装置は、一部のサブバンドについてのＰＭＩが、これらのサブバンドについてのＣＱＩを計算するために、補間アルゴリズムを通じて取得されると仮定する。各サブバンドのＰＭＩ及び／又はＣＱＩが具体的に計算される基礎となる仮定が、予め規定されたルールに基づいて決定され、ネットワーク装置の指示に基づいて決定され、あるいは、アップリンクデータの伝送パラメータ、第１のＣＳＩ内のパラメータ（例えば、ＲＩ）、第１のＣＳＩの伝送パラメータのうちの少なくとも１つと、この出願の方法に従った基準情報との間の比較に基づいて決定され得る。これは、この出願のこの実施形態において限定されることではない。
【０１１９】
オプションの一の実施形態において、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０１２０】
具体的には、基準情報は、ＲＩの閾値を指し示してもよいし、アップリンクチャネル上で第２のＣＳＩによって占有されるＲＥの量の閾値を指し示してもよいし、第２のＣＳＩの変調シンボルの量の閾値を指し示してもよいし、第２のＣＳＩの情報ビット量（すなわち、エンコーディング前の第２のＣＳＩのビット量）の閾値を指し示してもよいし、また、チャネルエンコーディングが実行された後の第２のＣＳＩのビット量の閾値を指し示してもよい。
【０１２１】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。例えば、直接的に指し示すものの場合、基準情報は、直接的に、ＲＩの閾値が２であるというものとし得る。間接的に指し示すものの場合、基準情報は、ＲＩの閾値識別子としてもよく、端末装置は、その閾値識別子に基づいて、ＲＩの閾値が２であると決定し得る。これらの状況は全て、この出願の実施形態の保護範囲に入るものである。
【０１２２】
オプションの一の実施形態において、基準情報は、ＲＩの閾値を指し示すために使用され、ステータスパラメータは、第１のＣＳＩ内のＲＩであり、第１のＣＳＩ内のＲＩがＲＩの閾値よりも大きい場合、第２のＣＳＩは、第１のＣＳＩ内の一部のパラメータを含み、第１のＣＳＩ内のＲＩがＲＩの閾値以下である場合、第２のＣＳＩは、第１のＣＳＩ内の全てのパラメータを含む。
【０１２３】
具体的には、基準情報がＲＩの閾値を指し示し得るとともに、端末装置が、第１のＣＳＩ内のＲＩをＲＩの閾値と比較し得る。第１のＣＳＩ内のＲＩがＲＩの閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩ内のＲＩがＲＩの閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１２４】
理解されるべきことには、第２のＣＳＩは、第１のＣＳＩ内の全てのパラメータ又は一部のパラメータを含むので、第１のＣＳＩ内のＲＩは、この出願のこの実施形態において第２のＣＳＩ内のＲＩと同じである。更に理解されるべきことには、第１のＣＳＩ内のＲＩがそのＲＩの閾値に等しい場合に、第２のＣＳＩは、代わりに、第１のＣＳＩ内の一部のパラメータを含んでもよい。これは、この出願のこの実施形態において限定されることではない。
【０１２５】
オプションの一の実施形態において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０１２６】
具体的には、基準情報が、アップリンクチャネル上で第２のＣＳＩによって占有されるＲＥの量の第１の閾値を指し示し得るとともに、端末装置が、アップリンクチャネル上で第１のＣＳＩによって占有されるＲＥの量を第１の閾値と比較し得る。アップリンクチャネル上で第１のＣＳＩによって占有されるＲＥの量が第１の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上で第１のＣＳＩによって占有されるＲＥの量が第１の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１２７】
理解されるべきことには、他の一実装では、アップリンクチャネル上で第１のＣＳＩによって占有されるＲＥの量が第１の閾値以上である場合に、第１のＣＳＩ内の一部のパラメータを破棄する必要があると決定され、アップリンクチャネル上で第１のＣＳＩによって占有されるＲＥの量が第１の閾値よりも小さい場合に、第２のＣＳＩは、第１のＣＳＩ内の全てのパラメータを含む。後続の実施形態も同様であり、詳細を再び説明することはしない。
【０１２８】
理解されるべきことには、端末装置は、アップリンクチャネル上で第１のＣＳＩによって占有されるＲＥの量を直接的に決定してもよいし、あるいは、第１のＣＳＩ内のＲＩに基づいて、アップリンクチャネル上で第１のＣＳＩによって占有されるＲＥの量を計算してもよい。更に理解されるべきことには、アップリンクチャネル上で第１のＣＳＩによって占有されるＲＥの量が第１の閾値に等しい場合に、第２のＣＳＩは、代わりに、第１のＣＳＩ内の一部のパラメータを含んでもよい。これは、この出願のこの実施形態において限定されることではない。
【０１２９】
オプションの一の実施形態において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０１３０】
具体的には、基準情報が、第２のＣＳＩの変調シンボルの量の第２の閾値を指し示し得るとともに、端末装置が、第１のＣＳＩの変調シンボルの量を第２の閾値と比較し得る。第１のＣＳＩの変調シンボルの量が第２の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩの変調シンボルの量が第２の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３１】
理解されるべきことには、端末装置は、第１のＣＳＩの変調シンボルの量を直接的に決定してもよいし、あるいは、第１のＣＳＩ内のＲＩに基づいて、第１のＣＳＩの変調シンボルの量を計算してもよい。更に理解されるべきことには、第１のＣＳＩの変調シンボルの量が第２の閾値に等しい場合に、第２のＣＳＩは、代わりに、第１のＣＳＩ内の一部のパラメータを含んでもよい。これは、この出願のこの実施形態において限定されることではない。
【０１３２】
オプションの一の実施形態において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０１３３】
具体的には、基準情報が、第２のＣＳＩの情報ビット量の第３の閾値を指し示し得るとともに、端末装置が、第１のＣＳＩの情報ビット量を第３の閾値と比較し得る。第１のＣＳＩの情報ビット量が第３の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩの情報ビット量が第３の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３４】
理解されるべきことには、第１のＣＳＩの情報ビット量は、チャネルコーディングが実行される前の第１のＣＳＩのビット量である。端末装置は第１のＣＳＩの情報ビット量を直接的に決定してもよいし、あるいは、第１のＣＳＩ内のＲＩに基づいて、第１のＣＳＩの情報ビット量を計算してもよい。更に理解されるべきことには、第１のＣＳＩの情報ビット量が第２の閾値に等しい場合に、第２のＣＳＩは、代わりに、第１のＣＳＩ内の一部のパラメータを含んでもよい。これは、この出願のこの実施形態において限定されることではない。
【０１３５】
オプションの一の実施形態において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０１３６】
具体的には、基準情報が、チャネルコーディングが実行された後の第２のＣＳＩのビット量の第４の閾値を指し示し得るとともに、端末装置が、チャネルコーディングが実行された後の第１のＣＳＩのビット量を第４の閾値と比較し得る。チャネルコーディングが実行された後の第１のＣＳＩのビット量が第４の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、チャネルコーディングが実行された後の第１のＣＳＩのビット量が第４の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３７】
理解されるべきことには、端末装置は、チャネルコーディングが実行された後の第１のＣＳＩのビット量を直接的に決定してもよいし、あるいは、第１のＣＳＩ内のＲＩに基づいて、チャネルコーディングが実行された後の第１のＣＳＩのビット量を計算してもよい。更に理解されるべきことには、チャネルコーディングが実行された後の第１のＣＳＩのビット量が第４の閾値に等しい場合に、第２のＣＳＩは、代わりに、第１のＣＳＩ内の一部のパラメータを含んでもよい。これは、この出願のこの実施形態において限定されることではない。
【０１３８】
オプションの一の実施形態において、端末装置により第２のＣＳＩを送信することは、端末装置により、第２のＣＳＩとアップリンクデータとを送信し、アップリンクデータと第２のＣＳＩとが同じアップリンクチャネル上で運ばれる、ことを含む。
【０１３９】
それに対応して、ネットワーク装置は、第２のＣＳＩとアップリンクデータとを受信する。
【０１４０】
具体的には、端末装置は、アップリンクデータと共に第２のＣＳＩをアップリンクチャネルに付加して、第２のＣＳＩ及びアップリンクデータをネットワーク装置に送信し得る。この場合、ネットワーク装置によって割り当てられたアップリンクチャネルリソースが、第２のＣＳＩとアップリンクデータとによって共有される。
【０１４１】
取り得る一実装において、端末装置は、第１のシグナリングを用いることによって、アップリンクチャネルのリソース割当て情報と、アップリンクデータの変調及びコーディング方式（modulation  and  coding  scheme，ＭＣＳ）コードワードのＭＣＳ情報とを受信する。アップリンクデータ内で１つのコードワードが伝送されるとき、第１の情報は、１つのコードワードのＭＣＳを含み、アップリンクデータ内で２つのコードワードが伝送されるとき、第１の情報は、２つのコードワードのＭＣＳを含む。アップリンクチャネルを用いて、第２のＣＳＩ及びアップリンクデータが運ばれる。オプションで、第１のシグナリングはＤＣＩシグナリングとし得る。端末装置は、第２のシグナリングを用いることによってパラメータβを受信し、パラメータβは、アップリンクチャネル上で運ばれるＣＳＩのパラメータの全て又は一部のチャネルコーディングパラメータを決定するために使用される。例えば、パラメータβは、ＰＭＩのチャネルコーディングパラメータを決定するために使用され得るとともに、ＣＱＩのチャネルコーディングパラメータを決定するために使用され得る。オプションで、第２の情報において、ＲＩ、ＰＭＩ、及びＣＱＩに同じβ又は異なるβが設定され得る。オプションで、第２のシグナリングはＲＲＣシグナリングとし得る。
【０１４２】
端末装置は、基準信号を測定することによって第１のＣＳＩの情報ビットを取得し、被送信データからアップリンクデータの情報ビットを取得し得る。ネットワーク装置の設定に基づいて、第１のＣＳＩは、ＲＩ、ＰＭＩ、及びＣＱＩを含んでもよいし、ＲＩ及びＰＭＩのみを含んでもよいし、あるいはＲＩ及びＣＱＩのみを含んでもよい。これは、この出願のこの実施形態において限定されることではない。帯域幅全体に関して１つのＰＭＩ及び１つのＣＱＩのみがフィードバックされてもよいし、帯域幅全体の中のサブバンドに関して各サブバンドのＰＭＩ及び／又はＣＱＩがフィードバックされてもよい。端末装置は、第１のシグナリング及び第２のシグナリングに基づいて、アップリンクチャネル上で第１のＣＳＩ内のパラメータの全て若しくは一部によって占有される第１のリソースに関する情報、及び／又は、例えば第１のＣＳＩのチャネルコーディングコードレートといった、第１のＣＳＩ内のパラメータの全て又は一部のチャネルコーディングパラメータを決定する。
【０１４３】
端末装置は、複数の手法で、アップリンクチャネル上で第１のＣＳＩ内のパラメータの全て又は一部によって占有される第１のリソースに関する情報を決定し得る。オプションで、端末装置は、第１のＣＳＩ内の各パラメータの情報ビット量（これはＣＲＣチェックビットを含み得る）の、被送信データの情報ビット量（これはＣＲＣチェックビットを含み得る）に対する比、対応するパラメータの値、及び第１のシグナリングに含まれるリソース割当て情報に基づいて、パラメータによって占有されるリソースエレメントＲＥの量、を決定することができ、換言して、パラメータによって占有される第１のリソースに関する情報を決定することができる。オプションで、端末装置が第１のＣＳＩ内の複数のパラメータに対してジョイントチャネルコーディングを行う場合に、端末装置は、それら複数のパラメータの総情報ビット量（これはＣＲＣチェックビットを含み得る）の、被送信データの情報ビット量（これはＣＲＣチェックビットを含み得る）に対する比、対応するパラメータの値、及び第１のシグナリングに含まれるリソース割当て情報に基づいて、それら複数のパラメータによって連帯的に占有されるＲＥの量を決定することができ、換言して、それら複数のパラメータによって占有される第１のリソースに関する情報を決定することができる。これは、この出願のこの実施形態において限定されることではない。次いで、端末装置は、第１のリソースに関する情報及びリソース割当て情報に基づいて、アップリンクチャネル上でアップリンクデータによって占有される第２のリソースに関する情報を決定し得る。端末装置は、第２のリソースに関する情報及びＭＣＳ情報に基づいて、例えばアップリンクデータのチャネルコーディングコードレートなどの、アップリンクデータのチャネルコーディングパラメータを決定し得る。
【０１４４】
端末装置は、第１のリソースに関する情報、第２のリソースに関する情報、第１のＣＳＩのチャネルコーディングパラメータ、及びアップリンクデータのチャネルコーディングパラメータ、の全て又は一部に基づいて、且つ基準情報に基づいて、アップリンクチャネル上で実際に運ばれる情報を決定し得る。例えば、端末装置は、アップリンクチャネルに第１のＣＳＩの全て又は一部を付加するがアップリンクデータは付加しないと決定することができ、端末装置は、全てのＣＳＩ及びアップリンクデータをアップリンクチャネルに付加すると決定し、あるいは、端末装置は、第１のＣＳＩの一部及びアップリンクデータをアップリンクチャネルに付加することを決定する。これは、この出願のこの実施形態において限定されることではない。
【０１４５】
端末装置は、実際に送信されることができる第２のＣＳＩ内のパラメータに基づいて、第２のＣＳＩによって占有される時間−周波数リソース、及びチャネルコーディングパラメータを再び決定する。端末装置は、第２のＣＳＩ内のパラメータにチャネルコーディングを行って、ＣＳＩコーディング後のビットを得る。次いで、端末装置は、ＣＳＩコーディング後のビットを変調して、ＣＳＩ変調シンボルを得る。最後に、端末装置は、決定された時間−周波数リソースに基づいて、ＣＳＩ変調シンボルをＣＳＩ時間−周波数リソースにマッピングする。端末装置がアップリンクデータも送信する場合、端末装置は、ＣＳＩ時間−周波数リソースに基づいて、アップリンクデータのチャネルコーディングコードレート、及びアップリンクデータによって占有される時間−周波数リソースを再び決定し、そして、被送信アップリンクデータにチャネルコーディングを行って、データコーディング後のビットを得る。次いで、端末装置は、データコーディング後のビットを変調し、データ変調シンボルを得る。最後に、端末装置は、対応する時間−周波数リソース上のデータを変調する。端末装置は、アップリンクチャネル上で、第２のＣＳＩを送信し、あるいは第２のＣＳＩ及びアップリンクデータを送信する。
【０１４６】
オプションの一の実施形態において、第２のＣＳＩの伝送パラメータは更に、アップリンクチャネル上で第２のＣＳＩによって占有されるＲＥの量の、アップリンクチャネルに含まれるＲＥの総量に対する比、を含む。
【０１４７】
オプションの一の実施形態において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０１４８】
具体的には、基準情報が、アップリンクチャネル上で第２のＣＳＩによって占有されるＲＥの量の、アップリンクチャネルに含まれるＲＥの総量に対する比、の第５の閾値を指し示し得るとともに、端末装置が、アップリンクチャネル上で第１のＣＳＩによって占有されるＲＥの量の、アップリンクチャネルに含まれるＲＥの総量に対する比を第５の閾値と比較し得る。アップリンクチャネル上で第１のＣＳＩによって占有されるＲＥの量の、アップリンクチャネルに含まれるＲＥの総量に対する比が、第５の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上で第１のＣＳＩによって占有されるＲＥの量の、アップリンクチャネルに含まれるＲＥの総量に対する比が、第５の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１４９】
理解されるべきことには、アップリンクチャネルのリソースエレメントは、まとめてリソースエレメントセットとして参照されることができ、アップリンクチャネル上で第１のＣＳＩによって占有されるＲＥの量の、アップリンクチャネルに含まれるＲＥの総量に対する比はまた、リソースエレメントセットにおける第１のＣＳＩのＲＥの量の、リソースエレメントセットにおけるＲＥの総量に対する比として参照されることができる。これは、この出願のこの実施形態において限定されることではない。端末装置は、アップリンクチャネル上で第１のＣＳＩによって占有されるＲＥの量の、アップリンクチャネルに含まれるＲＥの総量に対する比を直接的に決定してもよいし、あるいは、第１のＣＳＩ内のＲＩに基づいて、アップリンクチャネル上で第１のＣＳＩによって占有されるＲＥの量の、アップリンクチャネルに含まれるＲＥの総量に対する比を計算してもよい。更に理解されるべきことには、アップリンクチャネル上で第１のＣＳＩによって占有されるＲＥの量の、アップリンクチャネルに含まれるＲＥの総量に対する比が、第５の閾値に等しい場合に、第２のＣＳＩは、代わりに、第１のＣＳＩ内の一部のパラメータを含んでもよい。これは、この出願のこの実施形態において限定されることではない。
【０１５０】
オプションの一の実施形態において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０１５１】
具体的には、ネットワーク装置が、第２のＣＳＩ及びアップリンクデータの双方を送信するように端末装置をスケジューリングするとき、基準情報は、アップリンクデータのチャネルコーディングコードレートを指し示してもよいし、アップリンクチャネル上でアップリンクデータによって占有されるＲＥの量を指し示してもよいし、アップリンクデータの変調シンボルの量を指し示してもよいし、あるいは、アップリンクチャネル上でアップリンクデータによって占有されるＲＥの量の、アップリンクチャネルに含まれるＲＥの総量に対する比を指し示してもよい。これは、この出願のこの実施形態において限定されることではない。
【０１５２】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。
【０１５３】
オプションの一の実施形態において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０１５４】
具体的には、基準情報が、アップリンクデータのチャネルコーディングコードレートの第６の閾値を指し示し得るとともに、端末装置が、アップリンクデータのチャネルコーディングコードレートを第６の閾値と比較し得る。アップリンクデータのチャネルコーディングコードレートが第６の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクデータのチャネルコーディングコードレートが第６の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１５５】
理解されるべきことには、端末装置は、アップリンクデータのチャネルコーディングコードレートを、リソース割当て情報及び第１のＣＳＩ内のパラメータに基づいて計算し得る。更に理解されるべきことには、アップリンクデータのチャネルコーディングコードレートが第６の閾値に等しい場合に、第２のＣＳＩは、代わりに、第１のＣＳＩ内の一部のパラメータを含んでもよい。これは、この出願のこの実施形態において限定されることではない。
【０１５６】
オプションの一の実施形態において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０１５７】
具体的には、基準情報が、アップリンクチャネル上でアップリンクデータによって占有されるＲＥの量の第７の閾値を指し示し得るとともに、端末装置が、アップリンクチャネル上でアップリンクデータによって占有されるＲＥの量を第７の閾値と比較し得る。アップリンクチャネル上でアップリンクデータによって占有されるＲＥの量が第７の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上でアップリンクデータによって占有されるＲＥの量が第７の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１５８】
理解されるべきことには、端末装置は、アップリンクチャネル上でアップリンクデータによって占有されるＲＥの量を、リソース割当て情報及び第１のＣＳＩ内のパラメータに基づいて計算し得る。更に理解されるべきことには、アップリンクチャネル上でアップリンクデータによって占有されるＲＥの量が第７の閾値に等しい場合に、第２のＣＳＩは、代わりに、第１のＣＳＩ内の一部のパラメータを含んでもよい。これは、この出願のこの実施形態において限定されることではない。
【０１５９】
オプションの一の実施形態において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０１６０】
具体的には、基準情報が、アップリンクデータの変調シンボルの量の第８の閾値を指し示し得るとともに、端末装置が、アップリンクデータの変調シンボルの量を第８の閾値と比較し得る。アップリンクデータの変調シンボルの量が第８の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクデータの変調シンボルの量が第８の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１６１】
理解されるべきことには、端末装置は、アップリンクデータの変調シンボルの量を、リソース割当て情報及び第１のＣＳＩ内のパラメータに基づいて計算し得る。更に理解されるべきことには、アップリンクデータの変調シンボルの量が第８の閾値に等しい場合に、第２のＣＳＩは、代わりに、第１のＣＳＩ内の一部のパラメータを含んでもよい。これは、この出願のこの実施形態において限定されることではない。
【０１６２】
オプションの一の実施形態において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０１６３】
具体的には、基準情報が、アップリンクチャネル上でアップリンクデータによって占有されるＲＥの量の、アップリンクチャネルに含まれるＲＥの総量に対する比、の第９の閾値を指し示し得るとともに、端末装置が、アップリンクチャネル上でアップリンクデータによって占有されるＲＥの量の、アップリンクチャネルに含まれるＲＥの総量に対する比を第９の閾値と比較し得る。アップリンクチャネル上でアップリンクデータによって占有されるＲＥの量の、アップリンクチャネルに含まれるＲＥの総量に対する比が、第９の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上でアップリンクデータによって占有されるＲＥの量の、アップリンクチャネルに含まれるＲＥの総量に対する比が、第９の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１６４】
理解されるべきことには、端末装置は、アップリンクチャネル上でアップリンクデータによって占有されるＲＥの量の、アップリンクチャネルに含まれるＲＥの総量に対する比を、リソース割当て情報及び第１のＣＳＩ内のパラメータに基づいて計算し得る。更に理解されるべきことには、アップリンクチャネル上でアップリンクデータによって占有されるＲＥの量の、アップリンクチャネルに含まれるＲＥの総量に対する比が、第９の閾値に等しい場合に、第２のＣＳＩは、代わりに、第１のＣＳＩ内の一部のパラメータを含んでもよい。これは、この出願のこの実施形態において限定されることではない。
【０１６５】
更に理解されるべきことには、基準情報は１つ以上の閾値を指し示し得る。基準情報が複数の閾値を指し示す場合、以下の２つの状況が存在し得る。
【０１６６】
１．  基準情報が、複数のステータスパラメータの各々の閾値を指し示す。
【０１６７】
具体的には、基準情報は、以下の閾値のうちの２つ以上、すなわち、ＲＩの閾値、アップリンクチャネル上で第２のＣＳＩによって占有されるリソースエレメントＲＥの量の第１の閾値、第２のＣＳＩの変調シンボルの量の第２の閾値、第２のＣＳＩの情報ビット量の第３の閾値、チャネルコーディングが実行された後の第２のＣＳＩのビット量の第４の閾値、アップリンクチャネル上で第２のＣＳＩによって占有されるＲＥの量の、アップリンクチャネルに含まれるＲＥの総量に対する比の第５の閾値、アップリンクデータのチャネルコーディングコードレートの第６の閾値、アップリンクチャネル上でアップリンクデータによって占有されるＲＥの量の第７の閾値、アップリンクデータの変調シンボルの量の第８の閾値、アップリンクチャネル上でアップリンクデータによって占有されるＲＥの量の、アップリンクチャネルに含まれるＲＥの総量に対する比の第９の閾値、のうちの２つ以上を指し示し得る。端末装置は、第１のＣＳＩのステータスパラメータが、基準情報によって指し示される複数の閾値のうちのいずれか１つの決定条件を満たす場合に、第１のＣＳＩの全てのパラメータを報告すると決定することができ、あるいは、第１のＣＳＩのステータスパラメータが、基準情報によって指し示される全ての閾値の決定条件を満たす場合に、第１のＣＳＩの全てのパラメータを報告すると決定してもよく、そうでない場合には、端末装置は、第１のＣＳＩ内の一部のパラメータを報告する。これは、この出願のこの実施形態において限定されることではない。
【０１６８】
２．  基準情報が、あるステータスパラメータの複数の閾値を指し示す。
【０１６９】
具体的には、基準情報は、あるステータスパラメータに関する例えば２つの閾値などの複数の閾値を指し示し得る。
【０１７０】
ステータスパラメータがアップリンクデータのチャネルコーディングコードレートである例を用いるに、基準情報が、アップリンクデータのチャネルコーディングコードレートの閾値ｒ１及びｒ２を指し示す。アップリンクデータのチャネルコーディングコードレートがｒ１よりは大きいが、ｒ２よりも小さいとき、端末装置は、第１のＣＳＩ内の一部のパラメータ及びアップリンクデータの全てを報告することができ、アップリンクデータのチャネルコーディングコードレートがｒ２よりも大きいとき、端末装置は、第１のＣＳＩ内のパラメータの全て又は一部を報告することができるが、アップリンクデータは報告せず、ここで、アップリンクチャネルが第１のＣＳＩの全てを運び得ると端末装置が決定する場合、端末装置は第１のＣＳＩ内の全てのパラメータを報告し、アップリンクチャネルが第１のＣＳＩの全てを運ぶには十分でないと端末装置が決定する場合には、端末装置は第１のＣＳＩ内の一部のパラメータを報告し、アップリンクデータのチャネルコーディングコードレートがｒ１よりも小さいとき、端末装置は、第１のＣＳＩ内の全てのパラメータ及びアップリンクデータを報告することができる。
【０１７１】
ステータスパラメータが、アップリンクチャネル上でアップリンクデータによって占有されるＲＥの量の、アップリンクチャネルに含まれるＲＥの総量に対する比である例を用いるに、基準情報が、アップリンクチャネル上でアップリンクデータによって占有されるＲＥの量の、アップリンクチャネルに含まれるＲＥの総量に対する比の、閾値ｐ１及びｐ２を指し示す。アップリンクチャネル上でアップリンクデータによって占有されるＲＥの量の、アップリンクチャネルに含まれるＲＥの総量に対する比が、ｐ１より小さいが、ｐ２よりは大きいとき、端末装置は、第１のＣＳＩ内の一部のパラメータ及びアップリンクデータの全てを報告することができ、アップリンクチャネル上でアップリンクデータによって占有されるＲＥの量の、アップリンクチャネルに含まれるＲＥの総量に対する比が、ｐ２より小さいが、０よりは大きいとき、端末装置は、第１のＣＳＩ内のパラメータの全てを報告するが、アップリンクデータは報告せず、そうでなければ、アップリンクチャネルは第１のＣＳＩの全てを運ぶには十分でなく、端末装置は第１のＣＳＩ内の一部のパラメータを報告し、アップリンクチャネル上でアップリンクデータによって占有されるＲＥの量の、アップリンクチャネルに含まれるＲＥの総量に対する比がｐ１よりも大きいとき、端末装置は、第１のＣＳＩ内の全てのパラメータ及びアップリンクデータを報告する。
【０１７２】
理解されるべきことには、この出願のこの実施形態において、アップリンクチャネル上でアップリンクデータと共に第１のＣＳＩを伝送する必要があるので、アップリンクチャネル上で第１のＣＳＩによって占有されるＲＥの量とアップリンクチャネル上でアップリンクデータによって占有されるＲＥの量の合計が、アップリンクデータに含まれるＲＥの総量に等しくなるべきである。例えば、アップリンクチャネルに含まれるＲＥの総量は１００である。このケースにおいて、閾値ｐ２が１／２に等しく、且つＣＳＩが占有する必要があるＲＥの量が７５である場合、比は７５／１００＝３／４であり、これはｐ２より小さく、０より大きい。この場合、端末装置は、第１のＣＳＩ内の全てのパラメータを報告するが、アップリンクデータは報告しない。第１のＣＳＩが占有する必要があるＲＥ数量が１２５である場合、アップリンクチャネルに含まれるＲＥの総量はＣＳＩを送信するのに十分でなく、しかも、アップリンクデータを送信し得るＲＥは存在しない。従って、端末装置は、第１のＣＳＩ内の一部のパラメータのみを報告する。
【０１７３】
ステータスパラメータが、アップリンクチャネル上で第１のＣＳＩによって占有されるＲＥの量の、アップリンクチャネルに含まれるＲＥの総量に対する比である例を使用するに、基準情報が、アップリンクチャネル上で第１のＣＳＩによって占有されるＲＥの量の、アップリンクチャネルに含まれるＲＥの総量に対する比の、閾値ｑ１及びｑ２を指し示す。アップリンクチャネル上で第１のＣＳＩによって占有されるＲＥの量の、アップリンクチャネルに含まれるＲＥの総量に対する比が、ｑ１より大きいが、ｑ２よりは小さいとき、端末装置は、上述のルールに従って、第１のＣＳＩ内の一部のパラメータ及びアップリンクデータの全てを報告し、アップリンクチャネル上で第１のＣＳＩによって占有されるＲＥの量の、アップリンクチャネルに含まれるＲＥの総量に対する比が、ｑ２より大きいが、１よりは小さいとき、端末装置は、第１のＣＳＩ内の全てのパラメータを報告するが、アップリンクデータは報告せず、アップリンクチャネル上で第１のＣＳＩによって占有されるＲＥの量の、アップリンクチャネルに含まれるＲＥの総量に対する比が、１より大きいとき、端末装置は第１のＣＳＩ内の一部のパラメータを報告し、アップリンクチャネル上で第１のＣＳＩによって占有されるＲＥの量の、アップリンクチャネルに含まれるＲＥの総量に対する比がｑ１よりも小さいとき、端末装置は、第１のＣＳＩ内の全てのパラメータ及びアップリンクデータを報告する。
【０１７４】
理解されるべきことには、上述の説明は、単なる説明の例であり、ステータスパラメータが別のパラメータであって２つの閾値を持つ状況は、上述の状況と同様である。詳細をここで再び説明することはしない。
【０１７５】
この出願のこの実施形態において、端末装置が第１のＣＳＩ内のパラメータを基準情報と比較することによって第２のＣＳＩを決定する場合、例えば、第１のＣＳＩ内のパラメータはＲＩであり、基準情報はＲＩの閾値であり、端末装置は、ＲＩがＲＩの閾値を超えているときに、一部のサブバンドのＰＭＩ、全てのサブバンドのＣＱＩ、及びＲＩを報告する。オプションで、この場合、サブバンド全てのＣＱＩにおいて、報告されないサブバンドＰＭＩは、取得されたサブバンドＰＭＩを参照して上述の補間法に従って計算される。ＲＩがＲＩの閾値を超えていないときには、端末装置は、サブバンド全てのＰＭＩ、サブバンド全てのＣＱＩ、及びＲＩを報告する。オプションで、この場合、端末装置がサブバンド全てのＣＱＩを計算するとき、端末装置は、これらのサブバンドのＰＭＩが上述の補間法に従って独立に計算されると仮定し、デフォルトルールが使用されるのでなければ、一部のサブバンドのＣＱＩは、補間法に従って決定されたＰＭＩに基づいて計算される。
【０１７６】
同様に、端末装置が、アップリンクデータの伝送パラメータを基準情報と比較することによって第２のＣＳＩを決定する場合、例えば、アップリンクデータの伝送パラメータは、アップリンクデータのチャネルコーディングコードレートであり、基準情報は、アップリンクデータのチャネルコーディングコードレートの閾値であり、端末装置は、アップリンクデータのチャネルコーディングコードレートがアップリンクデータのチャネルコーディングコードレートの閾値を超える場合に、一部のサブバンドのＰＭＩ、全てのサブバンドのＣＱＩ、及びＲＩを報告する。オプションで、この場合、サブバンド全てのＣＱＩにおいて、報告されないサブバンドＰＭＩは、取得されたサブバンドＰＭＩを参照して上述の補間法に従って計算される。アップリンクデータのチャネルコーディングコードレートがアップリンクデータのチャネルコーディングコードレートの閾値を超えていないときには、端末装置は、サブバンド全てのＰＭＩ、サブバンド全てのＣＱＩ、及びＲＩを報告する。オプションで、この場合、端末装置がサブバンド全てのＣＱＩを計算するとき、端末装置は、これらのサブバンドのＰＭＩが上述の補間法に従って独立に計算されると仮定し、デフォルトルールが使用されるのでなければ、一部のサブバンドのＣＱＩは、補間法に従って決定されたＰＭＩに基づいて計算される。
【０１７７】
基準情報が、例えば、アップリンクチャネル上で第２のＣＳＩによって占有されるリソースエレメントＲＥの量、第２のＣＳＩの変調シンボルの量、第２のＣＳＩの情報ビット量、チャネルコーディングが実行された後の第２のＣＳＩのビット量、アップリンクチャネル上でアップリンクデータによって占有されるＲＥの量、アップリンクデータの変調シンボルの量、アップリンクチャネル上でアップリンクデータによって占有されるＲＥの量の、アップリンクチャネルに含まれるＲＥの総量に対する比などの、別のパラメータである状況は、上述の状況と同様である。詳細をここで再び説明することはしない。
【０１７８】
オプションの一の実施形態において、端末装置により第２のＣＳＩを送信する前に、当該方法は更に、端末装置により、上記比較結果及び優先度情報に基づいて、アップリンクデータを送信すべきかを決定することであり、優先度情報は、第２のＣＳＩ及びアップリンクデータの優先度を指し示すために使用される、決定することと、端末装置により、第２のＣＳＩを送信することであり、アップリンクデータを送信すべきと端末装置が決定した場合に、端末装置により、第２のＣＳＩ及びアップリンクデータを送信することを含む、送信することと、を含む。
【０１７９】
具体的には、端末装置は、先ず、優先度情報に基づいてＣＳＩ及びアップリンクデータの優先度を決定し、次いで、アップリンクデータが送信される必要があるかを決定し、換言すれば、優先度情報に基づいて、好ましくは第１のＣＳＩ内の一部の情報を破棄すべきか、又は好ましくはアップリンクデータを破棄すべきかを決定し得る。説明の一例として、以下の２つの状況を具体的に使用する。
【０１８０】
基準情報は、アップリンクチャネル上で第１のＣＳＩによって占有されるＲＥの量である。ＣＳＩ優先度の方が高い場合、アップリンクチャネル上で第１のＣＳＩによって占有されるＲＥの量が第１の閾値を超えているが、第１のシグナリング（例えば、ＤＣＩ）にて割り当てられたアップリンクチャネルの時間−周波数リソースに含まれるＲＥの量よりも少ないときに、端末装置は、第２のＣＳＩを報告するが、アップリンクデータは報告せず、第２のＣＳＩは、第１のＣＳＩ内の全てのパラメータを含むことができ、アップリンクチャネル上で第１のＣＳＩによって占有されるＲＥの量が、アップリンクチャネルの時間−周波数リソースに含まれるＲＥの量を超えているときには、端末装置は第２のＣＳＩを報告し、第２のＣＳＩは第１のＣＳＩの適切なサブセットである。アップリンクデータの優先度の方が高い場合には、第１のＣＳＩによって占有されるＲＥの量が第１の閾値を超えているときに、端末装置は、第２のＣＳＩ及びアップリンクデータを報告し、第２のＣＳＩは、第１のＣＳＩ内の一部のパラメータを含む。
【０１８１】
基準情報は、アップリンクチャネル上でアップリンクデータによって占有されるＲＥの量の、アップリンクチャネルに含まれるＲＥの総量との比である。ＣＳＩ優先度の方が高い場合、アップリンクチャネル上でアップリンクデータによって占有されるＲＥの量の、アップリンクチャネルに含まれるＲＥの総量との比が、第９の閾値よりも大きいが０より大きいとき、端末装置は、第２のＣＳＩを報告するが、アップリンクデータは報告せず、第２のＣＳＩは第１のＣＳＩを含み、アップリンクチャネル上でアップリンクデータによって占有されるＲＥの量の、アップリンクチャネルに含まれるＲＥの総量との比が、０より小さいときには、端末装置は第２のＣＳＩを報告し、第２のＣＳＩは第１のＣＳＩ内の一部のパラメータを含む。アップリンクデータの優先度の方が高い場合には、アップリンクチャネル上でアップリンクデータによって占有されるＲＥの量の、アップリンクチャネルに含まれるＲＥの総量との比が、第９の閾値よりも小さいときに、端末装置は、第２のＣＳＩ及びアップリンクデータを報告し、第２のＣＳＩは、第１のＣＳＩ内の一部のパラメータを含む。
【０１８２】
理解されるべきことには、優先度情報は、予め規定されていてもよいし、シグナリングを用いることによって、端末装置のためにネットワーク装置によって設定されてもよい。これは、この出願のこの実施形態において限定されることではない。
【０１８３】
オプションの一の実施形態において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０１８４】
理解されるべきことには、第１の周波数ドメイン粒度パラメータはまた、ブロードバンドパラメータともしても参照され、Ｍ個のサブバンドについて同じ値を持ち、第２の周波数ドメイン粒度パラメータはまた、サブバンドパラメータとしても参照され、Ｍ個のサブバンドの各々に対して異なる値を持つ。具体的には、端末装置によって報告される第２のＣＳＩが、第１のＣＳＩ内の一部のパラメータを含む場合、端末装置は、報告を行うための予め規定されたルールに基づいて、第１のＣＳＩ内の一部のパラメータを選択し得る。例えば、端末装置は、デフォルトルールに基づいて、第１のＣＳＩ内のある割合のパラメータ（例えば、ＲＩと、ブロードバンドＰＭＩと、全てのサブバンドＣＱＩと、ある割合のサブバンドＰＭＩ；ＲＩと、ブロードバンドＰＭＩと、ある割合のサブバンドＰＭＩ及びサブバンドＣＱＩ；ＲＩと、ブロードバンドＰＭＩと、ブロードバンドＣＱＩと、Ｍ個のサブバンドのうちそのインデックスが最も高い方のサブバンドＰＭＩ及び／又はサブバンドＣＱＩ；又は、ＲＩと、幾つかのＤＦＴベクトルに対応するＰＭＩ及び／又はＣＱＩ）のみを報告し得る。
【０１８５】
オプションで、端末装置は、端末装置がある割合のＣＳＩパラメータとアップリンクデータを報告するという割合を決定してもよく、その割合は、データ及び第２のＣＳＩをアップリンクチャネル上で運ぶことができることを確実にする。例えば、所定の割合が１／２である場合、端末装置は、ＲＩ、Ｍ個のサブバンド全てのＣＱＩ、ブロードバンドＰＭＩ、及びＭ／２個のサブバンドのサブバンドＰＭＩを報告し得る。新無線（new  radio，ＮＲ）のタイプＩＩコードブック設計（すなわち、高精度ＣＳＩ報告）では、ＲＩ＝２に対応するＰＭＩの情報ビット量が、ＲＩ＝１に対応するＰＭＩの情報ビット量のおよそ２倍に等しい。従って、ネットワーク装置が、端末装置がＲＩ＝１に対応するＣＳＩを報告すると仮定して、ＲＩ＝１に基づくアップリンクチャネルの時間−周波数リソースを割り当てるとき、端末装置は、１／２という割合に基づいて第１のＣＳＩ内の一部のパラメータを報告して、ネットワーク装置によって端末装置に割り当てられたアップリンクチャネルのリソースが第２のＣＳＩ（すなわち、第１のＣＳＩ内の一部のパラメータ）を運ぶのに十分であることを確保する。
【０１８６】
オプションで、端末装置は、ｎ個の割合ｘｉを決定することができ、ここで、０≦ｘｉ≦１、ｉ＝１，…，ｎであり、ｎは１より大きい整数であり、ｘｉは、端末装置が割合ｘｉに基づくＭ×ｘｉ個のサブバンドのサブバンドパラメータ（例えば、サブバンドＣＱＩ及び／又はサブバンドＰＭＩ）を破棄し得ること、又は端末装置がブロードバンドパラメータと割合ｘｉに基づくＭ×ｘｉ個のサブバンドのサブバンドパラメータ（例えば、サブバンドＣＱＩ及び／又はサブバンドＰＭＩ）を報告し得ることを指し示す。特定の実装において、基準情報によって指し示される閾値が満たされるとき、端末装置は、可能な限り少しのパラメータを破棄することができ、換言して、可能な限り多くのパラメータを報告することができる。ｘ１、ｘ２、及びｘ３という３つの割合が存在し、基準情報がＲＩの閾値であり、ＲＩの閾値に対応するＣＳＩビット量の上限がＡであり、且つ第１のＣＳＩに対応するビット量がＢであると仮定する。前者のケースを例として用いると、端末装置は、上記３つの割合の中から、Ｂ×ｘｉ＜Ａとなる最大のｘｉを選択し得る。換言すれば、Ｍ×ｘｉ個のサブバンドのサブバンドパラメータが破棄され、第２のＣＳＩとして使用される第１のＣＳＩ内の残りのパラメータが、アップリンクチャネルで運ばれて送られる。後者のケースを例として用いると、端末装置は、上記３つの割合の中から、Ｂ×（１−ｘｉ）＜Ａとなる最小のｘｉを選択し得る。換言すれば、Ｍ×ｘｉ個のサブバンドのサブバンドパラメータが報告される。
【０１８７】
理解されるべきことには、上述の割合は、予め規定されていてもよいし、シグナリングを用いることによって端末装置のためのネットワーク装置によって設定されてもよい。これは、この出願のこの実施形態において限定されることではない。斯くして、端末装置によって報告される第２のＣＳＩが第１のＣＳＩ内の一部のパラメータであると決定するとき、ネットワーク装置は、上述の割合に基づいて、そのパラメータが端末装置によって破棄されるサブバンド、及びそのパラメータが端末装置によって報告されるサブバンドを直接決定し得る。
【０１８８】
オプションの一の実施形態において、基準情報は、予め規定されており、又は
当該方法は更に、シグナリングを用いることによって、ネットワーク装置により、基準情報を端末装置に送信することと、それに対応して、端末装置により、ネットワーク装置によって送信された基準情報を受信することとを含む。
【０１８９】
オプションの一の実施形態において、該シグナリングは、以下のシグナリング、すなわち、無線リソース制御ＲＲＣシグナリング、ダウンリンク制御情報ＤＣＩ、及びメディアアクセス制御コントロールエレメントＭＡＣ  ＣＥ、のうちのいずれか１つである。
【０１９０】
具体的には、基準情報を運ぶために使用され、ネットワーク装置によって端末装置に送信されるシグナリングは、無線リソース制御（Radio  Resource  Control，ＲＲＣ）シグナリング信号伝達であってもよいし、ダウンリンク制御情報（downlink  control  information，ＤＣＩ）であってもよいし、あるいはメディアアクセス制御（Media  Access  Control，ＭＡＣ）層コントロールエレメント（control  element，ＣＥ）シグナリングであってもよい。これは、この出願のこの実施形態において限定されることではない。
【０１９１】
理解されるべきことには、ＲＲＣシグナリングを用いて基準情報を設定することは、基準情報の設定が頻繁に変化せず比較的安定であるシナリオに適用可能であり、物理層及びＭＡＣ層のシグナリングのビットオーバヘッドが大幅に低減され得る。ＤＣＩを用いて基準情報を設定することは、端末装置が高速検出を実行して、端末装置がタイムリーに基準情報を受信することを確実にする助けとなる。一方、ＭＡＣ  ＣＥシグナリングを用いて基準情報を設定することは、基準情報が比較的動的に変化するシナリオに適用可能である。
ＭＡＣ  ＣＥシグナリングのデコーディング速度は、ＲＲＣシグナリングのそれよりも高い。従って、そのようなシナリオでは、ネットワーク装置は、より効率的に基準情報を設定するためにＭＡＣ  ＣＥシグナリングを使用する。
【０１９２】
理解されるべきことには、上述のプロセスのシーケンス番号は、実行シーケンスを示すものではなく、プロセスの実行シーケンスはその機能及び内部論理に基づいて決定されるものであり、この出願の実施形態の実装プロセスに対する限定を構成するものではない。
【０１９３】
この出願の実施形態に従ったデータ伝送方法は、図１及び図２を参照して詳細に上述されており、この出願の実施形態に従った端末装置及びネットワーク装置は、図３から図６を参照して詳細に後述される。
【０１９４】
図３は、この出願の一実施形態にて提供される端末装置３００を示している。端末装置３００は、決定ユニット３１０及びトランシーバユニット３２０を含む。
【０１９５】
決定ユニット３１０は、基準情報を決定するように構成され、トランシーバユニット３２は、基準情報を決定するように構成され、そして、端末装置は、基準情報とステータスパラメータとの比較結果に基づく第２のチャネル状態情報ＣＳＩを送信するように構成され、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０１９６】
この出願のこの実施形態において、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【０１９７】
オプションで、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０１９８】
オプションで、基準情報は、ＲＩの閾値を指し示すために使用され、ステータスパラメータは、第１のＣＳＩのＲＩであり、第１のＣＳＩのＲＩがＲＩの閾値よりも大きい場合、第２のＣＳＩは、第１のＣＳＩ内の一部のパラメータを含み、第１のＣＳＩのＲＩがＲＩの閾値以下である場合、第２のＣＳＩは、第１のＣＳＩ内の全てのパラメータを含む。
【０１９９】
オプションで、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０２００】
オプションで、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０２０１】
オプションで、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０２０２】
オプションで、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０２０３】
オプションで、トランシーバユニット３２０は、特に、第２のＣＳＩとアップリンクデータとを送信し、アップリンクデータと第２のＣＳＩとが同じアップリンクチャネル上で運ばれる、ように構成される。
【０２０４】
オプションで、第２のＣＳＩの伝送パラメータは更に、アップリンクチャネル上で第２のＣＳＩによって占有されるＲＥの量の、アップリンクチャネルに含まれるＲＥの総量に対する比、を含む。
【０２０５】
オプションで、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０２０６】
オプションで、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０２０７】
オプションで、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０２０８】
オプションで、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０２０９】
オプションで、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０２１０】
オプションで、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０２１１】
オプションで、決定ユニット３１０は更に、第２のＣＳＩが送信される前に、上記比較結果及び優先度情報に基づいて、アップリンクデータを送信されるべきかを決定するように構成され、優先度情報は、第２のＣＳＩ及びアップリンクデータの優先度を指し示すために使用され、そして、トランシーバユニット３２０は特に、アップリンクデータが送信されるべきと決定された場合に、第２のＣＳＩ及びアップリンクデータを送信するように構成される。
【０２１２】
オプションで、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０２１３】
オプションで、基準情報は、予め規定されており、又は基準情報は、シグナリングを用いることによって、端末装置のためのネットワーク装置によって設定される。
【０２１４】
オプションで、該シグナリングは、以下のシグナリング、すなわち、無線リソース制御ＲＲＣシグナリング、ダウンリンク制御情報ＤＣＩ、及びメディアアクセス制御コントロールエレメントＭＡＣ  ＣＥ、のうちのいずれか１つである。
【０２１５】
理解されるべきことには、ここでの端末装置３００は、機能ユニットの形態で具現化される。ここでの用語“ユニット”は、特定用途向け集積回路（application-specific  integrated  circuit，ＡＳＩＣ）、電子回路、１つ以上のソフトウェア又はファームウェアプログラムを実行するように構成されたプロセッサ（例えば、共有プロセッサ、専用プロセッサ、又はグループプロセッサ）、メモリ、融合論理回路、及び／又は記載の機能をサポートする他の適切なコンポーネントとし得る。オプションの一例において、当業者が理解し得ることには、端末装置３００は、具体的に、上述の実施形態における端末装置であってもよく、また、端末装置３００は、上述の方法の実施形態における端末装置に対応する手順及び／又はステップを実行するように構成されてもよい。繰り返しを避けるために、詳細をここで再び説明することはしない。
【０２１６】
図４は、この出願の一実施形態にて提供されるネットワーク装置４００を示している。ネットワーク装置４００は、トランシーバユニット４１０及び決定ユニット４２０を含む。
【０２１７】
トランシーバユニット４１０は、第２のＣＳＩ内のランクインジケーションＲＩを受信するように構成され、決定ユニット４２０は、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定するように構成され、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【０２１８】
この出願のこの実施形態において、ネットワーク装置は、端末装置によって報告された第２のＣＳＩを受信し、第２のＣＳＩは、端末装置が、基準情報と、報告される必要があり且つ端末装置のためにネットワーク装置によって設定されたＣＳＩとに基づいて、実際に報告されることができるＣＳＩを決定した後に、報告され、それ故に、端末装置は、ネットワーク装置によって端末装置に割り当てられた限られたアップリンクチャネルリソースを適切に使用することができ、それにより、ＣＳＩの伝送性能が改善される。
【０２１９】
オプションで、基準情報は、第２のＣＳＩのランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０２２０】
オプションで、基準情報は、ＲＩの閾値を指し示すために使用され、ステータスパラメータはＲＩであり、ＲＩがＲＩの閾値よりも大きい場合、第２のＣＳＩは、第１のＣＳＩ内の一部のパラメータを含み、ＲＩがＲＩの閾値以下である場合、第２のＣＳＩは、第１のＣＳＩ内の全てのパラメータを含む。
【０２２１】
オプションで、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０２２２】
オプションで、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０２２３】
オプションで、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０２２４】
オプションで、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０２２５】
オプションで、トランシーバユニット４１０は、特に、第２のＣＳＩとアップリンクデータとを受信し、アップリンクデータと第２のＣＳＩとが同じアップリンクチャネル上で運ばれる、ように構成される。
【０２２６】
オプションで、第２のＣＳＩの伝送パラメータは更に、アップリンクチャネル上で第２のＣＳＩによって占有されるＲＥの量の、アップリンクチャネルに含まれるＲＥの総量に対する比、を含む。
【０２２７】
オプションで、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０２２８】
オプションで、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０２２９】
オプションで、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０２３０】
オプションで、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０２３１】
オプションで、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０２３２】
オプションで、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０２３３】
オプションで、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０２３４】
オプションで、基準情報は、予め規定されており、又はトランシーバユニット４１０は更に、シグナリングを用いることによって、基準情報を端末装置に送信するように構成される。
【０２３５】
オプションで、該シグナリングは、以下のシグナリング、すなわち、無線リソース制御ＲＲＣシグナリング、ダウンリンク制御情報ＤＣＩ、及びメディアアクセス制御コントロールエレメントＭＡＣ  ＣＥ、のうちのいずれか１つである。
【０２３６】
理解されるべきことには、ここでのネットワーク装置４００は、機能ユニットの形態で具現化される。ここでの用語“ユニット”は、特定用途向け集積回路（application-specific  integrated  circuit，ＡＳＩＣ）、電子回路、１つ以上のソフトウェア又はファームウェアプログラムを実行するように構成されたプロセッサ（例えば、共有プロセッサ、専用プロセッサ、又はグループプロセッサ）、メモリ、融合論理回路、及び／又は記載の機能をサポートする他の適切なコンポーネントとし得る。オプションの一例において、当業者が理解し得ることには、ネットワーク装置４００は、具体的に、上述の実施形態におけるネットワーク装置であってもよく、また、ネットワーク装置４００は、上述の方法の実施形態におけるネットワーク装置に対応する手順及び／又はステップを実行するように構成されてもよい。繰り返しを避けるために、詳細をここで再び説明することはしない。
【０２３７】
図５は、この出願の一実施形態にて提供される別のネットワーク装置５００を示している。ネットワーク装置５００は、プロセッサ５１０及びトランシーバ５２０を含み、そしてオプションで、ネットワーク装置３００は更にメモリ５３０を含み得る。プロセッサ５１０、トランシーバ５２０、及びメモリ５３０は、内部接続経路を使用することによって互いに通信し、メモリ５３０は、命令を格納するように構成され、プロセッサ５１０は、信号を送信する及び／又は信号を受信するようトランシーバ５２０を制御するように、メモリ５３０に格納された命令を実行するよう構成される。
【０２３８】
メモリ５３０に格納されたプログラム命令がプロセッサ５１０によって実行されるとき、プロセッサ５１０は、トランシーバ５２０を用いることによって第２のＣＳＩ内のランクインジケーションＲＩを受信し、そして、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定するように構成され、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【０２３９】
プロセッサ５１０及びメモリ５３０は、プロセッシング装置へと結合されてもよく、プロセッサ５１０は、メモリ５３０に格納されたプログラムコードを実行して上述の機能を果たすように構成される。特定の実装において、メモリ５３０は、プロセッサ５１０に集積されてもよいし、又はプロセッサ５１０とは独立であってもよい。
【０２４０】
ネットワーク装置５００は更に、トランシーバ５２０によって出力されたダウンリンクデータ又はダウンリンク制御シグナリングを無線信号の使用により送信するように構成されたアンテナ５４０を含み得る。理解されるべきことには、ネットワーク装置５００は、具体的に、実施形態２００におけるネットワーク装置であってもよく、また、方法の実施形態２００におけるネットワーク装置に対応するステップ及び／又は手順を実行するように構成されてもよい。オプションで、メモリ５３０は、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。プロセッサ５１０は、メモリに格納された命令を実行するように構成されることができ、プロセッサ５１０がメモリに格納された命令を実行するとき、プロセッサ５１０は、ネットワーク装置に対応する方法の実施形態のステップ及び／又は手順を実行するように構成される。
【０２４１】
図６は、この出願の一実施形態にて提供される別の端末装置６００を示している。図６に示すように、端末装置６００は、プロセッサ６０１及びトランシーバ６０２を含み、そしてオプションで、端末装置６００は更にメモリ６０３を含む。プロセッサ６０２、トランシーバ６０２、及びメモリ６０３は、制御信号及び／又はデータ信号を伝達するために、内部接続経路を使用することによって互いに通信し、メモリ６０３は、コンピュータプログラムを格納するように構成され、プロセッサ６０１は、信号を受信及び／又は送信するようトランシーバ６０２を制御するように、メモリ６０３からコンピュータプログラムを呼び出して、コンピュータプログラムを実行するよう構成される。
【０２４２】
メモリ６０３に格納されたプログラム命令がプロセッサ６０１によって実行されるとき、プロセッサ６０１は、基準情報を決定し、そして、トランシーバ６２０を用いることによって、基準情報とステータスパラメータとの比較結果に基づく第２のチャネル状態情報ＣＳＩを送信するように構成され、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０２４３】
プロセッサ６０１及びメモリ６０３は、プロセッシング装置へと結合されてもよく、プロセッサ６０１は、メモリ６０３に格納されたプログラムコードを実行して上述の機能を果たすように構成される。特定の実装において、メモリ６０３は、プロセッサ６０１に集積されてもよいし、又はプロセッサ６０１とは独立であってもよい。端末装置６００は更に、トランシーバ６０２によって出力されたアップリンクデータ又はアップリンク制御シグナリングを無線信号の使用により送信するように構成されたアンテナ６０４を含み得る。
【０２４４】
理解されるべきことには、端末装置６００は、具体的に、実施形態２００における端末装置であってもよく、また、方法の実施形態２００における端末装置に対応するステップ及び／又は手順を実行するように構成されてもよい。オプションで、メモリ６３０は、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。プロセッサ６１０は、メモリに格納された命令を実行するように構成されることができ、プロセッサ６１０がメモリに格納された命令を実行するとき、プロセッサ６１０は、端末装置に対応する方法の実施形態のステップ及び／又は手順を実行するように構成される。
【０２４５】
プロセッサ６０１は、上述の方法の実施形態にて説明された、端末によって内部で実行されるアクションを実行するように構成されることができ、トランシーバ６０２は、上述の方法の実施形態にて説明された、端末装置に対して端末によって実行される送信又は送信のアクションを実行するように構成されることができる。詳細については、上述の方法の実施形態における説明を参照されたい。詳細をここで再び説明することはしない。
【０２４６】
端末装置６００は更に、端末装置６００内の様々なデバイス又は回路に電力を供給するように構成された電源６０６を含み得る。
【０２４７】
加えて、端末装置の機能を向上させるために、端末装置６００は更に、入力ユニット６０６、表示ユニット６０７、音声周波数回路６０８、カメラ６０９、センサ６１０、及びこれらに類するもののうちの１つ以上を含んでもよく、音声周波数回路は更に、スピーカ６０８２、マイクロフォン６０８４、及びこれらに類するものを含み得る。
【０２４８】
理解されるべきことには、この出願の実施形態において、ネットワーク装置５００及び端末装置６００の中のプロセッサは、中央演算処理装置（central  processing  unit，ＣＰＵ）であってもよく、又はプロセッサは、他の汎用プロセッサ、デジタル信号プロセッサ（ＤＳＰ）、特定用途向け集積回路（ＡＳＩＣ）、フィールドプログラマブルゲートアレイ（ＦＰＧＡ）、又は他のプログラマブル論理デバイス、ディスクリートのゲート若しくはトランジスタ論理デバイス、ディスクリートのハードウェアコンポーネント、又はこれらに類するものであってもよい。汎用プロセッサはマイクロプロセッサであってもよく、又はプロセッサは、任意の従来からのプロセッサ又はそれらに類するものであってもよい。
【０２４９】
一実装プロセスにおいて、上述の方法におけるステップは、プロセッサ内のハードウェア集積論理回路を使用することによって、又はソフトウェアの形態の命令を使用することによって実装され得る。この出願の実施形態を参照して開示された方法のステップは、ハードウェアプロセッサによって直接実行されてもよいし、あるいはプロセッサ内のハードウェアとソフトウェアユニットとの組み合わせを用いることによって実行されてもよい。ソフトウェアユニットは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。記憶媒体がメモリ内に配置され、そして、プロセッサが、メモリ内の命令を読み出し、プロセッサのハードウェアと組み合わさって、上述の方法におけるステップを実行する。繰り返しを避けるために、詳細をここで再び説明することはしない。
【０２５０】
理解されるべきことには、この明細書中の用語“及び／又は”は、関連するオブジェクトを記述するための関連関係のみを記述するものであり、３つの関係が存在し得ることを表す。例えば、Ａ及び／又はＢは、Ａのみが存在する、Ａ及びＢの双方が存在する、Ｂのみが存在する、という３つのケースを表し得る。また、この明細書中の文字“／”は概して、関連するオブジェクト間の“又は”関係を指し示す。
【０２５１】
当業者が認識し得ることには、この明細書に開示された実施形態にて記述された例と組み合わせて、方法ステップ及びユニットは、電子ハードウェア、コンピュータソフトウェア、又はこれらの組み合わせによって実装され得る。ハードウェアとソフトウェアとの間で交換可能であることを明確に説明するために、上述では、機能に基づいて各実施形態のステップ及び組み立てを一般的に記述している。機能がハードウェアによって実行されるのか、それともソフトウェアによって実行されるのかは、技術的ソリューションの特定の用途及び設計制約に依存する。当業者は、特定の用途ごとに、記載された機能を実装するために異なる方法を用いることができるのであり、その実装がこの出願の範囲を超えるものであると考えるべきではない。
【０２５２】
当業者によって明確に理解され得ることには、簡便且つ簡潔な説明の目的のため、上述のシステム、装置、及びユニットの詳細な動作プロセスについては、上述の方法の実施形態における対応するプロセスを参照されたく、ここで再び詳細を説明することはしない。
【０２５３】
この出願にて提供されたこれら幾つかの実施形態において、理解されるべきことには、開示されたシステム、装置、及び方法は、その他のようにして実施されてもよい。例えば、記載された装置の実施形態は単なる例である。例えば、ユニット分割は、単なる論理機能分割であり、実際の実装においてはその他の分割とし得る。例えば、複数のユニット又はコンポーネントが別のシステムへと組み合わされたり統合されたりしてもよく、あるいは、一部の機構が無視されたり実行されなかったりしてもよい。また、図示又は説明された相互結合又は直接結合又は通信接続は、装置又はユニットの間の何らかのインタフェース、間接結合又は通信接続によって実装されてもよいし、あるいは、電気的接続、機械的接続又はその他の形態の接続によって実装されてもよい。
【０２５４】
別々の部分として記載されたユニットは、物理的に別々であってもなくてもよく、また、ユニットとして示された部分は、物理的なユニットであってもなくてもよく、一箇所にあってもよいし複数のネットワークユニットに分散されてもよい。それらユニットの一部又は全てが、この出願における実施形態のソリューションの目的を達成するように、実際の要求に応じて選択され得る。
【０２５５】
また、この出願の実施形態における複数の機能ユニットが１つの処理ユニットへと統合されてもよく、あるいは、それらユニットの各々が物理的に単独で存在してもよく、あるいは、２つ以上のユニットが１つのユニットへと統合されてもよい。統合ユニットは、ハードウェアの形態で実装されてもよく、あるいは、ソフトウェア機能ユニットの形態で実装されてもよい。
【０２５６】
統合ユニットがソフトウェア機能ユニットの形態で実装されて、独立したプロダクトとして販売又は使用されるとき、その統合ユニットはコンピュータ読み取り可能記憶媒体に格納されてもよい。このような理解に基づき、この出願の技術的ソリューションは本質的に、又は先行技術に対して寄与する部分は、又は技術的ソリューションの全て又は一部は、ソフトウェアプロダクトの形態で実装され得る。コンピュータソフトウェアプロダクトは、記憶媒体に格納されるとともに、この出願の実施形態にて記載された方法のステップの全て又は一部を実行するようにコンピュータ装置（これは、パーソナルコンピュータ、サーバ、ネットワーク装置、又はこれらに類するものとし得る）に命令する幾つかの命令を含む。上述の記憶媒体は、例えばＵＳＢフラッシュドライブ、リムーバブルハードディスク、読み出し専用メモリ（read-only  memory，ＲＯＭ）、ランダムアクセスメモリ（random  access  memory，ＲＡＭ）、磁気ディスク、又は光ディスクなどの、プログラムコードを記憶することができる任意の媒体を含む。
【０２５７】
以上の説明は、単に、この出願の特定の実施形態であり、この出願の保護範囲を限定することを意図したものではない。この出願にて開示された技術範囲内で当業者によって容易に考え付かれる如何なる変更又は置換も、この出願の保護範囲に入るものである。故に、この出願の保護範囲は、請求項の保護範囲次第のものである。
【図１】
2020536428.tif 000003
【図２】
2020536428.tif 000004
【図３】
2020536428.tif 000005
【図４】
2020536428.tif 000006
【図５】
2020536428.tif 000007
【図６】
2020536428.tif 000008
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
端末装置により、基準情報を決定することと、
前記端末装置により、前記基準情報とステータスパラメータとの比較結果に基づいて第１のチャネル状態情報，ＣＳＩの全て又は一部を送信することと、
を有し、
前記基準情報は、アップリンクチャネル上でＣＳＩによって占有されるリソースエレメント，ＲＥの量の閾値であり、前記ステータスパラメータは、前記アップリンクチャネル上で前記第１のＣＳＩを運ぶのに必要とされるＲＥの量であり、
前記第１のＣＳＩは、報告される必要があり且つ前記端末装置のためにネットワーク装置によって設定されたＣＳＩである、
ことを特徴とするデータ伝送方法。
【請求項２】
前記端末装置により第１のチャネル状態情報，ＣＳＩの全て又は一部を前記送信することは、
前記端末装置により、アップリンクデータと、前記第１のチャネル状態情報，ＣＳＩの全て又は一部とを送信し、前記アップリンクデータと前記第１のチャネル状態情報，ＣＳＩの全て又は一部とが同じアップリンクチャネル上で運ばれる、
ことを有する、ことを特徴とする請求項１に記載の方法。
【請求項３】
前記アップリンクチャネル上で前記第１のＣＳＩによって占有されるＲＥの前記量が前記閾値よりも大きい場合、前記第１のＣＳＩの一部が送信され、
前記アップリンクチャネル上で前記第１のＣＳＩによって占有されるＲＥの前記量が前記閾値以下である場合、前記第１のＣＳＩの全てが送信される、
ことを特徴とする請求項１に記載の方法。
【請求項４】
前記基準情報は、予め規定されており、又は基準情報は、シグナリングを用いることによって、前記端末装置のために前記ネットワーク装置によって設定される、
ことを特徴とする請求項１乃至３のいずれか一項に記載の方法。
【請求項５】
前記第１のＣＳＩ内のパラメータは、
Ｍ個のサブバンドの第２の周波数ドメイン粒度パラメータ及び第１の周波数ドメイン粒度パラメータを有し、前記第１の周波数ドメイン粒度パラメータはＲＩを有し、前記Ｍ個のサブバンドの前記第２の周波数ドメイン粒度パラメータは、前記Ｍ個のサブバンドの各々のチャネル品質インジケータ，ＣＱＩ及び／又は前記サブバンドのプリコーディング行列インジケータ，ＰＭＩ、
を有し、
第１のチャネル状態情報，ＣＳＩの全て又は一部を前記送信することは、以下のうちのいずれか１つ、すなわち、
Ｎ個のサブバンドの第２の周波数ドメイン粒度パラメータ及び前記第１の周波数ドメイン粒度パラメータを送信すること、
前記Ｍ個のサブバンドの各々の第２の周波数ドメイン粒度パラメータのうちの全て若しくは一部、及び前記第１の周波数ドメイン粒度パラメータを送信すること、並びに
前記第１の周波数ドメイン粒度パラメータ、前記Ｍ個のサブバンドの各々の前記ＣＱＩ、及び前記Ｎ個のサブバンドの各々のＰＭＩを送信すること、
のうちのいずれか１つを有し、
前記Ｍ個のサブバンドは前記Ｎ個のサブバンドを含み、Ｍ及びＮはどちらも１以上の整数であり、ＭはＮより大きい、
ことを特徴とする請求項１乃至３のいずれか一項に記載の方法。
【請求項６】
端末装置であって、
基準情報を決定し、該基準情報をステータスパラメータと比較するように構成されたプロセッサと、
前記基準情報と前記ステータスパラメータとの比較結果に基づいて第１のチャネル状態情報，ＣＳＩの全て又は一部を送信するように構成されたトランシーバと、
を有し、
前記基準情報は、アップリンクチャネル上でＣＳＩによって占有されるリソースエレメント，ＲＥの量の閾値であり、前記ステータスパラメータは、前記アップリンクチャネル上で前記第１のＣＳＩを運ぶのに必要とされるＲＥの量であり、
前記第１のＣＳＩは、報告される必要があり且つ当該端末装置のためにネットワーク装置によって設定されたＣＳＩである、
ことを特徴とする端末装置。
【請求項７】
前記トランシーバは、
アップリンクデータと、前記第１のＣＳＩの全て又は一部とを送信し、前記アップリンクデータと前記第１のＣＳＩの全て又は一部とが同じアップリンクチャネル上で運ばれる、
ように構成される、ことを特徴とする請求項６に記載の端末装置。
【請求項８】
前記アップリンクチャネル上で前記第１のＣＳＩによって占有されるＲＥの前記量が前記閾値よりも大きい場合、前記第１のＣＳＩの一部が送信され、
前記アップリンクチャネル上で前記第１のＣＳＩによって占有されるＲＥの前記量が前記閾値以下である場合、前記第１のＣＳＩの全てが送信される、
ことを特徴とする請求項６に記載の端末装置。
【請求項９】
前記基準情報は、予め規定されており、又は基準情報は、シグナリングを用いることによって、当該端末装置のために前記ネットワーク装置によって設定される、
ことを特徴とする請求項６乃至８のいずれか一項に記載の端末装置。
【請求項１０】
前記第１のＣＳＩ内のパラメータは、
Ｍ個のサブバンドの第２の周波数ドメイン粒度パラメータ及び第１の周波数ドメイン粒度パラメータを有し、前記第１の周波数ドメイン粒度パラメータはＲＩを有し、前記Ｍ個のサブバンドの前記第２の周波数ドメイン粒度パラメータは、前記Ｍ個のサブバンドの各々のチャネル品質インジケータ，ＣＱＩ及び／又は前記サブバンドのプリコーディング行列インジケータ，ＰＭＩ、
を有し、
第１のチャネル状態情報，ＣＳＩの全て又は一部を前記送信することは、以下のうちのいずれか１つ、すなわち、
Ｎ個のサブバンドの第２の周波数ドメイン粒度パラメータ及び前記第１の周波数ドメイン粒度パラメータを送信すること、
前記Ｍ個のサブバンドの各々の第２の周波数ドメイン粒度パラメータのうちの全て若しくは一部、及び前記第１の周波数ドメイン粒度パラメータを送信すること、並びに
前記第１の周波数ドメイン粒度パラメータ、前記Ｍ個のサブバンドの各々の前記ＣＱＩ、及び前記Ｎ個のサブバンドの各々のＰＭＩを送信すること、
のうちのいずれか１つを有し、
前記Ｍ個のサブバンドは前記Ｎ個のサブバンドを含み、Ｍ及びＮはどちらも１以上の整数であり、ＭはＮより大きい、
ことを特徴とする請求項６乃至８のいずれか一項に記載の端末装置。
【請求項１１】
端末装置であって、
基準情報を決定し、該基準情報をステータスパラメータと比較するように構成されたプロセッシングユニットと、
前記基準情報と前記ステータスパラメータとの比較結果に基づいて第１のチャネル状態情報，ＣＳＩの全て又は一部を送信するように構成された送信ユニットと、
を有し、
前記基準情報は、アップリンクチャネル上でＣＳＩによって占有されるリソースエレメント，ＲＥの量の閾値であり、前記ステータスパラメータは、前記アップリンクチャネル上で前記第１のＣＳＩを運ぶのに必要とされるＲＥの量であり、
前記第１のＣＳＩは、報告される必要があり且つ当該端末装置のためにネットワーク装置によって設定されたＣＳＩである、
ことを特徴とする端末装置。
【請求項１２】
ネットワーク装置と、請求項６乃至１１のいずれか一項に記載の端末装置と、を有することを特徴とする通信システム。
【請求項１３】
入力インタフェースと、出力インタフェースと、少なくとも１つのプロセッサとを有し、
前記入力インタフェース、前記出力インタフェース、及び前記プロセッサは、内部接続経路を用いることによって互いに接続され、前記プロセッサは、メモリ内の命令を実行するように構成され、前記命令が実行されるとき、前記プロセッサが請求項１乃至５のいずれか一項に記載の方法を実行するように構成される、
ことを特徴とするチップ。
【請求項１４】
当該チップは更に前記メモリを有し、前記プロセッサ及び前記メモリは、前記内部接続経路を用いることによって互いに接続される又は外部経路を用いることによって互いに接続されることができる、
ことを特徴とする請求項１３に記載のチップ。
【請求項１５】
コンピュータプログラムを格納したコンピュータ読み取り可能記憶媒体であって、前記コンピュータプログラムがコンピュータによって実行されるときに、前記コンピュータが請求項１乃至５のいずれか一項に記載の方法を実行する、ことを特徴とするコンピュータ読み取り可能記憶媒体。
【請求項１６】
命令を有するコンピュータプログラムプロダクトであって、前記命令がコンピュータ上で走るとき、前記コンピュータが請求項１乃至５のいずれか一項に記載の方法を実行する、ことを特徴とするコンピュータプログラムプロダクト。
【請求項１７】
ネットワーク装置により、端末装置によって前記ネットワーク装置に送信されたチャネル状態情報，ＣＳＩを受信することと、
前記ネットワーク装置により、ステータスパラメータを基準情報と比較することによって得られた比較結果に基づいて、前記端末装置によって前記ネットワーク装置に送信された前記ＣＳＩによってアップリンクチャネル上で占有されるリソースエレメント，ＲＥの量を決定することと、
を有し、
前記基準情報は、前記アップリンクチャネル上でＣＳＩを運ぶのに必要とされるリソースエレメント，ＲＥの量の閾値であり、前記ステータスパラメータは、前記アップリンクチャネル上で第１のＣＳＩによって占有されるＲＥの量であり、
前記ステータスパラメータは、前記端末装置によって送信される前記ＣＳＩのランクインジケーション，ＲＩに基づいて決定され、前記第１のＣＳＩは、報告される必要があり且つ前記端末装置のために前記ネットワーク装置によって設定されたＣＳＩである、
ことを特徴とするデータ伝送方法。
【請求項１８】
アップリンクデータと前記ＣＳＩとが同じアップリンクチャネル上で運ばれる、ことを特徴とする請求項１７に記載の方法。
【請求項１９】
前記第１のＣＳＩ内のパラメータは、
Ｍ個のサブバンドの第２の周波数ドメイン粒度パラメータ及び第１の周波数ドメイン粒度パラメータを有し、前記第１の周波数ドメイン粒度パラメータはＲＩを有し、前記Ｍ個のサブバンドの前記第２の周波数ドメイン粒度パラメータは、前記Ｍ個のサブバンドの各々のチャネル品質インジケータ，ＣＱＩ及び／又は前記サブバンドのプリコーディング行列インジケータ，ＰＭＩ、
を有する、ことを特徴とする請求項１７又は１８に記載の方法。
【請求項２０】
前記ネットワーク装置によって前記端末装置から受信される前記第１のＣＳＩ内の前記パラメータは、以下の状況のうちのいずれか１つ、すなわち、
Ｎ個のサブバンドの第２の周波数ドメイン粒度パラメータ及び前記第１の周波数ドメイン粒度パラメータ、
前記Ｍ個のサブバンドの各々の第２の周波数ドメイン粒度パラメータのうちの全て若しくは一部、及び前記第１の周波数ドメイン粒度パラメータ、並びに
前記第１の周波数ドメイン粒度パラメータ、前記Ｍ個のサブバンドの各々の前記ＣＱＩ、及び前記Ｎ個のサブバンドの各々のＰＭＩ、
のうちのいずれか１つを有し、
前記Ｍ個のサブバンドは前記Ｎ個のサブバンドを含み、Ｍ及びＮはどちらも１以上の整数であり、ＭはＮより大きい、
ことを特徴とする請求項１９に記載の方法。
【請求項２１】
ネットワーク装置であって、
端末装置によって当該ネットワーク装置に送信されたチャネル状態情報，ＣＳＩを受信するように構成された受信ユニットと、
ステータスパラメータを基準情報と比較することによって得られた比較結果に基づいて、前記端末装置によって当該ネットワーク装置に送信された前記ＣＳＩのビット量と、アップリンクチャネル上で前記ＣＳＩによって占有されるリソースエレメント，ＲＥの量とを決定するように構成されたプロセッシングユニットと、
を有し、
前記基準情報は、前記アップリンクチャネル上でＣＳＩによって占有されるリソースエレメント，ＲＥの量の閾値であり、前記ステータスパラメータは、前記アップリンクチャネル上で第１のＣＳＩを運ぶのに必要とされるＲＥの量であり、
前記ステータスパラメータは、前記端末装置によって送信される前記ＣＳＩのランクインジケーション，ＲＩに基づいて決定され、前記第１のＣＳＩは、報告される必要があり且つ前記端末装置のために前記ネットワーク装置によって設定されたＣＳＩである、
ことを特徴とするネットワーク装置。
【請求項２２】
アップリンクデータと前記受信ユニットによって受信される前記ＣＳＩとが同じアップリンクチャネル上で運ばれる、ことを特徴とする請求項２１に記載のネットワーク装置。
【請求項２３】
前記第１のＣＳＩ内のパラメータは、
Ｍ個のサブバンドの第２の周波数ドメイン粒度パラメータ及び第１の周波数ドメイン粒度パラメータを有し、前記第１の周波数ドメイン粒度パラメータはＲＩを有し、前記Ｍ個のサブバンドの前記第２の周波数ドメイン粒度パラメータは、前記Ｍ個のサブバンドの各々のチャネル品質インジケータ，ＣＱＩ及び／又は前記サブバンドのプリコーディング行列インジケータ，ＰＭＩ、
を有する、ことを特徴とする請求項２１又は２２に記載のネットワーク装置。
【請求項２４】
前記ネットワーク装置によって前記端末装置から受信される前記第１のＣＳＩ内の前記パラメータは、以下の状況のうちのいずれか１つ、すなわち、
Ｎ個のサブバンドの第２の周波数ドメイン粒度パラメータ及び前記第１の周波数ドメイン粒度パラメータ、
前記Ｍ個のサブバンドの各々の第２の周波数ドメイン粒度パラメータのうちの全て若しくは一部、及び前記第１の周波数ドメイン粒度パラメータ、並びに
前記第１の周波数ドメイン粒度パラメータ、前記Ｍ個のサブバンドの各々の前記ＣＱＩ、及び前記Ｎ個のサブバンドの各々のＰＭＩ、
のうちのいずれか１つを有し、
前記Ｍ個のサブバンドは前記Ｎ個のサブバンドを含み、Ｍ及びＮはどちらも１以上の整数であり、ＭはＮより大きい、
ことを特徴とする請求項２３に記載のネットワーク装置。
【請求項２５】
入力インタフェースと、出力インタフェースと、少なくとも１つのプロセッサとを有し、
前記入力インタフェース、前記出力インタフェース、及び前記プロセッサは、内部接続経路を用いることによって互いに接続され、前記プロセッサは、メモリ内の命令を実行するように構成され、前記命令が実行されるとき、前記プロセッサが請求項１７乃至２０のいずれか一項に記載の方法を実行するように構成される、
ことを特徴とするチップ。
【請求項２６】
当該チップは更に前記メモリを有し、前記プロセッサ及び前記メモリは、前記内部接続経路を用いることによって互いに接続される又は外部経路を用いることによって互いに接続されることができる、
ことを特徴とする請求項２５に記載のチップ。
【請求項２７】
端末装置と、請求項２１乃至２４のいずれか一項に記載のネットワーク装置と、を有することを特徴とする通信システム。
【請求項２８】
コンピュータプログラムを格納したコンピュータ読み取り可能記憶媒体であって、前記コンピュータプログラムがコンピュータによって実行されるときに、前記コンピュータが請求項１７乃至２０のいずれか一項に記載の方法を実行する、ことを特徴とするコンピュータ読み取り可能記憶媒体。
【請求項２９】
命令を有するコンピュータプログラムプロダクトであって、前記命令がコンピュータ上で走るとき、前記コンピュータが請求項１７乃至２０のいずれか一項に記載の方法を実行する、ことを特徴とするコンピュータプログラムプロダクト。
【手続補正２】
【補正対象書類名】明細書
【補正対象項目名】全文
【補正方法】変更
【補正の内容】
【発明の詳細な説明】
【技術分野】
【０００１】
この出願は、通信分野に関し、特に、通信分野におけるデータ伝送方法、端末装置、及びネットワーク装置に関する。
【背景技術】
【０００２】
通常、ネットワーク装置は、端末装置の非周期的なチャネル状態情報（channel  state  information，ＣＳＩ）報告及び／又はアップリンクデータ送信をトリガするために、（ｎ−ｋ）番目のサブフレームにてダウンリンク制御情報（downlink  control  information，ＤＣＩ）を送信することができ、ここで、ｎ及びｋはどちらも正の整数であり、ｎはｋより大きい。トリガされたＣＳＩ報告及びアップリンクデータ送信は、ｎ番目のサブフレームにてアップリンクチャネルで運ばれる。ｎ番目のサブフレームにおけるアップリンクチャネルのリソース割当て（resource  allocation，ＲＡ）は、（ｎ−ｋ）番目のサブフレームにおけるＤＣＩ内のリソース割当てフィールドによって完了される。端末装置がｎ番目のサブフレームでデータを送信しない場合、アップリンクチャネルはＣＳＩのみを運ぶために使用され得る。端末装置がｎ番目のサブフレームでアップリンクデータを送信することも必要とする場合には、アップリンクチャネルのリソースは、ＣＳＩ及びアップリンクデータの双方を運ぶ必要がある。ＣＳＩ及びアップリンクデータは、データリソースを共有し、ＣＳＩの情報ビット量は、端末装置によって報告されるランクインジケーション（rank  indication，ＲＩ）に関係する。従って、ネットワーク装置は、ＣＳＩが占有すべきリソースの量及びアップリンクデータによって占有されるリソースの量を、リソース割当て中に決定することができない。故に、アップリンクデータ及びＣＳＩによってそれぞれ占有されるアップリンクチャネルリソースは変化し、ＣＳＩの実際の情報ビット量に応じて動的に調整される。
【０００３】
端末装置によってネットワーク装置にフィードバックされるＣＳＩは、通常、例えばランクインジケーション（rank  indication，ＲＩ）、プリコーディング行列インジケータ（precoding  matrix  indicator，ＰＭＩ）、及びチャネル品質インジケータ（channel  quality  indicator，ＣＱＩ）などのパラメータを含む。ＰＭＩの情報ビット量及びＣＱＩの情報ビット量は、ＲＩが変わると変わり得る。従って、アップリンクデータと共に、最大量のＰＭＩビット及び最大量のＣＱＩビットの双方を、アップリンクチャネルで運ぶことができることを確実にするために、ネットワーク装置は常に、最大のＣＳＩビット量に基づいてリソースを割り当て得る。しかしながら、ネットワーク装置によってトリガされるＣＳＩ報告は、高精度ＣＳＩ報告であることがあり、高精度ＣＳＩのビット量は、異なるＲＩを持つ度に異なり得る。例えば、ＲＩ＝１のとき、ＰＭＩ及び／又はＣＱＩは約３００ビットであり、ＲＩ＝２のとき、ＰＭＩ及び／又はＣＱＩは６００ビットに近い。この場合、ネットワーク装置が常に最大ビット量（換言すれば、ＲＩ＝２）に基づいてアップリンクチャネルリソースを割り当てているのに、端末装置が頻繁にＲＩ＝１であるＣＳＩを報告する場合、アップリンクチャネルリソースが無駄になる。
【０００４】
従って、ネットワーク装置は、ＲＩに対応する最大ＣＳＩビット量に基づいてリソースを割り当てるのではなく、事前の情報に基づいて、端末装置によって報告されるＲＩを推定し得る。この場合、ネットワーク装置によって端末装置に割り当てられるアップリンクチャネルリソースは、端末装置によって報告されるＣＳＩが必要とするアップリンクチャネルリソースを、必ずしも満足することができるわけではない。ネットワーク装置によって端末装置に割り当てられた限られたアップリンクチャネルリソースを使用して、端末装置がどのようにＣＳＩを報告するかが、喫緊に解決されるべき問題となっている。
【発明の概要】
【０００５】
この出願は、ＣＳＩの伝送性能を改善する助けとなるデータ伝送方法、端末装置、及びネットワーク装置を提供する。
【０００６】
第１の態様によれば、データ伝送方法が提供される。当該方法は、端末装置により、基準情報を決定することと、端末装置により、基準情報とステータスパラメータとの比較結果に基づく第２のチャネル状態情報ＣＳＩを送信することと、を含み、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０００７】
具体的には、端末装置は、報告される必要があり且つ端末装置のためにネットワーク装置によって設定された第１のＣＳＩを決定し得る。しかしながら、端末装置のためにネットワーク装置によって設定されたアップリンクチャネルリソースでは不十分であることがある。従って、この出願の一実施形態において、端末装置によって実際に報告されるＣＳＩは、第２のＣＳＩであり、第２のＣＳＩは、第１のＣＳＩ内のパラメータの全て又は一部を含む。ネットワーク装置に報告する前に、端末装置は、先ず基準情報を決定し、該基準情報に基づいて、第１のＣＳＩ内の全てのパラメータが報告される必要があること、又は第１のＣＳＩ内の一部のパラメータが報告されればよいことを決定し得る。換言すれば、端末装置は、ステータスパラメータを基準情報と比較し、得られた比較結果に基づいて、最終的に報告される第２のＣＳＩのパラメータを決定する。
【０００８】
理解されるべきことには、端末装置によって決定される基準情報は、予め規定されたルールに基づいて端末装置によって決定されることもあれば、ネットワーク装置の設定に基づいて端末装置によって決定されることもある。換言すれば、基準情報は、予め規定されていてもよいし、シグナリングを用いることによって、端末装置のためにネットワーク装置によって設定されてもよい。これは、この出願のこの実施形態において限定されることではない。
【０００９】
この明細書において、第１のＣＳＩ内のパラメータは、第１のＣＳＩに含まれるパラメータ、例えば、ＲＩ、ＰＭＩ、及びＣＱＩなどのパラメータであり、第１のＣＳＩの伝送パラメータは、第１のＣＳＩの伝送状況を指し示すために使用されるパラメータ、例えば、アップリンクチャネル上で第１のＣＳＩによって占有されるリソースエレメントＲＥの量、第１のＣＳＩの変調シンボルの量、第１のＣＳＩの情報ビット量、及びチャネルコーディングが実行された後の第１のＣＳＩのビット量である。同様に、アップリンクデータの伝送パラメータは、アップリンクデータの伝送状況を指し示すために使用されるパラメータ、例えば、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比とし得る。
【００１０】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【００１１】
第１の態様を参照するに、第１の態様の一部の実装において、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【００１２】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。例えば、直接的に指し示すものの場合、基準情報は、直接的に、ＲＩの閾値が２であるというものとし得る。間接的に指し示すものの場合、基準情報は、ＲＩの閾値識別子としてもよく、端末装置は、その閾値識別子に基づいて、ＲＩの閾値が２であると決定し得る。これらの状況は全て、この出願の実施形態の保護範囲に入るものである。
【００１３】
第１の態様を参照するに、第１の態様の一部の実装において、基準情報は、ＲＩの閾値を指し示すために使用され、ステータスパラメータは、第１のＣＳＩ内のＲＩである。第１のＣＳＩ内のＲＩがＲＩの閾値よりも大きい場合、第２のＣＳＩは、第１のＣＳＩ内の一部のパラメータを含み、第１のＣＳＩ内のＲＩがＲＩの閾値以下である場合、第２のＣＳＩは、第１のＣＳＩ内の全てのパラメータを含む。
【００１４】
理解されるべきことには、第２のＣＳＩは、第１のＣＳＩ内の全てのパラメータ又は一部のパラメータを含むので、第１のＣＳＩ内のＲＩは、この出願のこの実施形態において第２のＣＳＩ内のＲＩと同じである。更に理解されるべきことには、第１のＣＳＩ内のＲＩがそのＲＩの閾値に等しい場合に、第２のＣＳＩは、代わりに、第１のＣＳＩ内の一部のパラメータを含んでもよい。これは、この出願のこの実施形態において限定されることではない。
【００１５】
第１の態様を参照するに、第１の態様の一部の実装において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【００１６】
理解されるべきことには、端末装置は、アップリンクチャネル上で第１のＣＳＩによって占有されるＲＥの量を直接的に決定してもよいし、あるいは、第１のＣＳＩ内のＲＩに基づいて、アップリンクチャネル上で第１のＣＳＩによって占有されるＲＥの量を計算してもよい。更に理解されるべきことには、アップリンクチャネル上で第１のＣＳＩによって占有されるＲＥの量が第１の閾値に等しい場合に、第２のＣＳＩは、代わりに、第１のＣＳＩ内の一部のパラメータを含んでもよい。これは、この出願のこの実施形態において限定されることではない。
【００１７】
第１の態様を参照するに、第１の態様の一部の実装において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【００１８】
理解されるべきことには、端末装置は、第１のＣＳＩの変調シンボルの量を直接的に決定してもよいし、あるいは、第１のＣＳＩ内のＲＩに基づいて、第１のＣＳＩの変調シンボルの量を計算してもよい。更に理解されるべきことには、第１のＣＳＩの変調シンボルの量が第２の閾値に等しい場合に、第２のＣＳＩは、代わりに、第１のＣＳＩ内の一部のパラメータを含んでもよい。これは、この出願のこの実施形態において限定されることではない。
【００１９】
第１の態様を参照するに、第１の態様の一部の実装において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【００２０】
理解されるべきことには、第１のＣＳＩの情報ビット量は、チャネルコーディングが実行される前の第１のＣＳＩのビット量である。端末装置は第１のＣＳＩの情報ビット量を直接的に決定してもよいし、あるいは、第１のＣＳＩ内のＲＩに基づいて、第１のＣＳＩの情報ビット量を計算してもよい。更に理解されるべきことには、第１のＣＳＩの情報ビット量が第２の閾値に等しい場合に、第２のＣＳＩは、代わりに、第１のＣＳＩ内の一部のパラメータを含んでもよい。これは、この出願のこの実施形態において限定されることではない。
【００２１】
第１の態様を参照するに、第１の態様の一部の実装において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【００２２】
理解されるべきことには、端末装置は、チャネルコーディングが実行された後の第１のＣＳＩのビット量を直接的に決定してもよいし、あるいは、第１のＣＳＩ内のＲＩに基づいて、チャネルコーディングが実行された後の第１のＣＳＩのビット量を計算してもよい。更に理解されるべきことには、チャネルコーディングが実行された後の第１のＣＳＩのビット量が第４の閾値に等しい場合に、第２のＣＳＩは、代わりに、第１のＣＳＩ内の一部のパラメータを含んでもよい。これは、この出願のこの実施形態において限定されることではない。
【００２３】
第１の態様を参照するに、第１の態様の一部の実装において、端末装置により第２のＣＳＩを送信することは、端末装置により、第２のＣＳＩとアップリンクデータとを送信し、アップリンクデータと第２のＣＳＩとが同じアップリンクチャネル上で運ばれる、ことを含む。
【００２４】
具体的には、端末装置は、アップリンクデータと共に第２のＣＳＩをアップリンクチャネルに付加して、第２のＣＳＩ及びアップリンクデータをネットワーク装置に送信し得る。この場合、ネットワーク装置によって割り当てられたアップリンクチャネルリソースが、第２のＣＳＩとアップリンクデータとによって共有される。
【００２５】
第１の態様を参照するに、第１の態様の一部の実装において、第２のＣＳＩの伝送パラメータは更に、アップリンクチャネル上で第２のＣＳＩによって占有されるＲＥの量の、アップリンクチャネルに含まれるＲＥの総量に対する比、を含む。
【００２６】
第１の態様を参照するに、第１の態様の一部の実装において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【００２７】
理解されるべきことには、アップリンクチャネルのリソースエレメントは、まとめてリソースエレメントセットとして参照されることができ、アップリンクチャネル上で第１のＣＳＩによって占有されるＲＥの量の、アップリンクチャネルに含まれるＲＥの総量に対する比はまた、リソースエレメントセットにおける第１のＣＳＩのＲＥの量の、リソースエレメントセットにおけるＲＥの総量に対する比として参照されることができる。これは、この出願のこの実施形態において限定されることではない。端末装置は、アップリンクチャネル上で第１のＣＳＩによって占有されるＲＥの量の、アップリンクチャネルに含まれるＲＥの総量に対する比を直接的に決定してもよいし、あるいは、第１のＣＳＩ内のＲＩに基づいて、アップリンクチャネル上で第１のＣＳＩによって占有されるＲＥの量の、アップリンクチャネルに含まれるＲＥの総量に対する比を計算してもよい。更に理解されるべきことには、アップリンクチャネル上で第１のＣＳＩによって占有されるＲＥの量の、アップリンクチャネルに含まれるＲＥの総量に対する比が、第５の閾値に等しい場合に、第２のＣＳＩは、代わりに、第１のＣＳＩ内の一部のパラメータを含んでもよい。これは、この出願のこの実施形態において限定されることではない。
【００２８】
第１の態様を参照するに、第１の態様の一部の実装において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【００２９】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。
【００３０】
第１の態様を参照するに、第１の態様の一部の実装において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【００３１】
理解されるべきことには、端末装置は、アップリンクデータのチャネルコーディングコードレートを、リソース割当て情報及び第１のＣＳＩ内のパラメータに基づいて計算し得る。更に理解されるべきことには、アップリンクデータのチャネルコーディングコードレートが第６の閾値に等しい場合に、第２のＣＳＩは、代わりに、第１のＣＳＩ内の一部のパラメータを含んでもよい。これは、この出願のこの実施形態において限定されることではない。
【００３２】
第１の態様を参照するに、第１の態様の一部の実装において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【００３３】
理解されるべきことには、端末装置は、アップリンクチャネル上でアップリンクデータによって占有されるＲＥの量を、リソース割当て情報及び第１のＣＳＩ内のパラメータに基づいて計算し得る。更に理解されるべきことには、アップリンクチャネル上でアップリンクデータによって占有されるＲＥの量が第７の閾値に等しい場合に、第２のＣＳＩは、代わりに、第１のＣＳＩ内の一部のパラメータを含んでもよい。これは、この出願のこの実施形態において限定されることではない。
【００３４】
第１の態様を参照するに、第１の態様の一部の実装において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【００３５】
理解されるべきことには、端末装置は、アップリンクデータの変調シンボルの量を、リソース割当て情報及び第１のＣＳＩ内のパラメータに基づいて計算し得る。更に理解されるべきことには、アップリンクデータの変調シンボルの量が第８の閾値に等しい場合に、第２のＣＳＩは、代わりに、第１のＣＳＩ内の一部のパラメータを含んでもよい。これは、この出願のこの実施形態において限定されることではない。
【００３６】
第１の態様を参照するに、第１の態様の一部の実装において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【００３７】
理解されるべきことには、端末装置は、アップリンクチャネル上でアップリンクデータによって占有されるＲＥの量の、アップリンクチャネルに含まれるＲＥの総量に対する比を、リソース割当て情報及び第１のＣＳＩ内のパラメータに基づいて計算し得る。更に理解されるべきことには、アップリンクチャネル上でアップリンクデータによって占有されるＲＥの量の、アップリンクチャネルに含まれるＲＥの総量に対する比が、第９の閾値に等しい場合に、第２のＣＳＩは、代わりに、第１のＣＳＩ内の一部のパラメータを含んでもよい。これは、この出願のこの実施形態において限定されることではない。更に理解されるべきことには、基準情報は１つ以上の閾値を指し示し得る。
【００３８】
第１の態様を参照するに、第１の態様の一部の実装において、端末装置により第２のＣＳＩを送信する前に、当該方法は更に、端末装置により、上記比較結果及び優先度情報に基づいて、アップリンクデータを送信すべきかを決定することであり、優先度情報は、第２のＣＳＩ及びアップリンクデータの優先度を指し示すために使用される、決定することと、端末装置により、第２のＣＳＩを送信することであり、アップリンクデータを送信すべきと端末装置が決定した場合に、端末装置により、第２のＣＳＩ及びアップリンクデータを送信することを含む、送信することと、を含む。
【００３９】
具体的には、端末装置は、先ず、優先度情報に基づいてＣＳＩ及びアップリンクデータの優先度を決定し、次いで、アップリンクデータが送信される必要があるかを決定し、換言すれば、優先度情報に基づいて、好ましくは第１のＣＳＩ内の一部の情報を破棄すべきか、又は好ましくはアップリンクデータを破棄すべきかを決定し得る。理解されるべきことには、優先度情報は、予め規定されていてもよいし、シグナリングを用いることによって、端末装置のためにネットワーク装置によって設定されてもよい。これは、この出願のこの実施形態において限定されることではない。
【００４０】
第１の態様を参照するに、第１の態様の一部の実装において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【００４１】
理解されるべきことには、第１の周波数ドメイン粒度パラメータはまた、ブロードバンドパラメータともしても参照され、Ｍ個のサブバンドについて同じ値を持ち、第２の周波数ドメイン粒度パラメータはまた、サブバンドパラメータとしても参照され、Ｍ個のサブバンドの各々に対して異なる値を持つ。具体的には、端末装置によって報告される第２のＣＳＩが、第１のＣＳＩ内の一部のパラメータを含む場合、端末装置は、報告を行うための予め規定されたルールに基づいて、第１のＣＳＩ内の一部のパラメータを選択し得る。例えば、端末装置は、デフォルトルールに基づいて、第１のＣＳＩ内のある割合のパラメータ（例えば、ＲＩと、ブロードバンドＰＭＩと、全てのサブバンドＣＱＩと、ある割合のサブバンドＰＭＩ；ＲＩと、ブロードバンドＰＭＩと、ある割合のサブバンドＰＭＩ及びサブバンドＣＱＩ；ＲＩと、ブロードバンドＰＭＩと、ブロードバンドＣＱＩと、Ｍ個のサブバンドのうちそのインデックスが最も高い方のサブバンドＰＭＩ及び／又はサブバンドＣＱＩ；又は、ＲＩと、幾つかのＤＦＴベクトルに対応するＰＭＩ及び／又はＣＱＩ）のみを報告し得る。
【００４２】
第１の態様を参照するに、第１の態様の一部の実装において、基準情報は、予め規定されており、又は基準情報は、シグナリングを用いることによって、端末装置のためにネットワーク装置によって設定される。
【００４３】
第１の態様を参照するに、第１の態様の一部の実装において、該シグナリングは、以下のシグナリング、すなわち、無線リソース制御（ＲＲＣ）シグナリング、ダウンリンク制御情報（ＤＣＩ）シグナリング、及びメディアアクセス制御コントロールエレメント（ＭＡＣ  ＣＥ）シグナリング、のうちのいずれか１つである。
【００４４】
理解されるべきことには、ＲＲＣシグナリングを用いて基準情報を設定することは、基準情報の設定が頻繁に変化せず比較的安定であるシナリオに適用可能であり、物理層及びＭＡＣ層のシグナリングのビットオーバヘッドが大幅に低減され得る。ＤＣＩシグナリングを用いて基準情報を設定することは、端末装置が高速検出を実行して、端末装置がタイムリーに基準情報を受信することを確実にする助けとなる。一方、ＭＡＣ  ＣＥシグナリングを用いて基準情報を設定することは、基準情報が比較的動的に変化するシナリオに適用可能である。
ＭＡＣ  ＣＥシグナリングのデコーディング速度は、ＲＲＣシグナリングのそれよりも高い。従って、そのようなシナリオでは、ネットワーク装置は、より効率的に基準情報を設定するためにＭＡＣ  ＣＥシグナリングを使用する。
【００４５】
第２の態様によれば、別のデータ伝送方法が提供される。当該方法は、ネットワーク装置により、第２のチャネル状態情報ＣＳＩ内のランクインジケーションＲＩを受信することと、ネットワーク装置により、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定することと、を含み、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【００４６】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【００４７】
第２の態様を参照するに、第２の態様の一部の実装において、基準情報は、第２のＣＳＩのランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【００４８】
第２の態様を参照するに、第２の態様の一部の実装において、基準情報は、ＲＩの閾値を指し示すために使用され、ステータスパラメータはＲＩであり、ＲＩがＲＩの閾値よりも大きい場合、第２のＣＳＩは、第１のＣＳＩ内の一部のパラメータを含み、ＲＩがＲＩの閾値以下である場合、第２のＣＳＩは、第１のＣＳＩ内の全てのパラメータを含む。
【００４９】
第２の態様を参照するに、第２の態様の一部の実装において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【００５０】
第２の態様を参照するに、第２の態様の一部の実装において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【００５１】
第２の態様を参照するに、第２の態様の一部の実装において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【００５２】
第２の態様を参照するに、第２の態様の一部の実装において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【００５３】
第２の態様を参照するに、第２の態様の一部の実装において、ネットワーク装置により第２のＣＳＩ内のランクインジケーションＲＩを受信することは、ネットワーク装置により、第２のＣＳＩとアップリンクデータとを受信し、アップリンクデータと第２のＣＳＩとが同じアップリンクチャネル上で運ばれる、ことを含む。
【００５４】
第２の態様を参照するに、第２の態様の一部の実装において、第２のＣＳＩの伝送パラメータは更に、アップリンクチャネル上で第２のＣＳＩによって占有されるＲＥの量の、アップリンクチャネルに含まれるＲＥの総量に対する比、を含む。
【００５５】
第２の態様を参照するに、第２の態様の一部の実装において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【００５６】
第２の態様を参照するに、第２の態様の一部の実装において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【００５７】
第２の態様を参照するに、第２の態様の一部の実装において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【００５８】
第２の態様を参照するに、第２の態様の一部の実装において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【００５９】
第２の態様を参照するに、第２の態様の一部の実装において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【００６０】
第２の態様を参照するに、第２の態様の一部の実装において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【００６１】
第２の態様を参照するに、第２の態様の一部の実装において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【００６２】
第２態様を参照するに、第２の態様の一部の実装において、基準情報は、予め規定されており、又は当該方法は更に、シグナリングを用いることによって、ネットワーク装置により、基準情報を端末装置に送信することを含む。
【００６３】
第２の態様を参照するに、第２の態様の一部の実装において、該シグナリングは、以下のシグナリング、すなわち、無線リソース制御（ＲＲＣ）シグナリング、ダウンリンク制御情報（ＤＣＩ）シグナリング、及びメディアアクセス制御コントロールエレメント（ＭＡＣ  ＣＥ）シグナリング、のうちのいずれか１つである。
【００６４】
第３の態様によれば、端末装置が提供される。当該端末装置は、第１の態様に従った又は第１の態様の任意の取り得る実装に従った方法を実行するように構成される。具体的には、当該端末装置は、第１の態様に従った又は第１の態様の任意の取り得る実装に従った方法を実行するように構成されたユニットを含む。
【００６５】
第４の態様によれば、ネットワーク装置が提供される。当該ネットワーク装置は、第２の態様に従った又は第２の態様の任意の取り得る実装に従った方法を実行するように構成される。具体的には、当該ネットワーク装置は、第２の態様に従った又は第２の態様の任意の取り得る実装に従った方法を実行するように構成されたユニットを含む。
【００６６】
第５の態様によれば、端末装置が提供される。当該端末装置は、トランシーバ、メモリ、及びプロセッサを含む。トランシーバ、メモリ、及びプロセッサは、内部接続経路を使用することによって互いに通信し、メモリは、命令を格納するように構成され、プロセッサは、信号を受信するよう受信器を制御するとともに信号を送信するよう送信器を制御するように、メモリに格納された命令を実行するよう構成され、プロセッサが、メモリに格納された命令を実行するとき、該実行が、第１の態様に従った又は第１の態様の任意の取り得る実装に従った方法をプロセッサが実行することを可能にする。
【００６７】
第６の態様によれば、ネットワーク装置が提供される。当該ネットワーク装置は、トランシーバ、メモリ、及びプロセッサを含む。トランシーバ、メモリ、及びプロセッサは、内部接続経路を使用することによって互いに通信し、メモリは、命令を格納するように構成され、プロセッサは、信号を受信するよう受信器を制御するとともに信号を送信するよう送信器を制御するように、メモリに格納された命令を実行するよう構成され、プロセッサが、メモリに格納された命令を実行するとき、該実行が、第２の態様に従った又は第２の態様の任意の取り得る実装に従った方法をプロセッサが実行することを可能にする。
【００６８】
第７の態様によれば、データ伝送システムが提供される。当該システムは、第３の態様に従った又は第３の態様の任意の取り得る実装に従った端末装置と、第４の態様に従った又は第４の態様の任意の取り得る実装に従ったネットワーク装置とを含み、又は
当該システムは、第５の態様に従った又は第５の態様の任意の取り得る実装に従った端末装置と、第６の態様に従った又は第６の態様の任意の取り得る実装に従ったネットワーク装置とを含む。
【００６９】
第８の態様によれば、コンピュータプログラムプロダクトが提供される。当該コンピュータプログラムプロダクトはコンピュータプログラムコードを含み、該コンピュータプログラムコードがネットワーク装置によって実行されるとき、ネットワーク装置が、第１の態様に従った又は第１の態様の任意の取り得る実装に従った方法を実行する。
【００７０】
第９の態様によれば、コンピュータプログラムプロダクトが提供される。当該コンピュータプログラムプロダクトはコンピュータプログラムコードを含み、該コンピュータプログラムコードが端末装置によって実行されるとき、端末装置が、第２の態様に従った又は第２の態様の任意の取り得る実装に従った方法を実行する。
【００７１】
第１０の態様によれば、チップが提供される。当該チップは、入力インタフェース、出力インタフェース、及び少なくとも１つのプロセッサを含み、また、オプションで更にメモリを含み得る。入力インタフェース、出力インタフェース、プロセッサ、及びメモリは、内部接続経路を使用することによって互いに接続され、また、プロセッサ及びメモリは、内部接続経路又は外部経路を使用することによって互いに接続されてもよく、プロセッサは、メモリ内のコードを実行するように構成され、コードが実行されるとき、プロセッサは、第１の態様に従った又は第１の態様の任意の取り得る実装に従った方法を実行するように構成される。
【００７２】
第１１の態様によれば、チップが提供される。当該チップは、入力インタフェース、出力インタフェース、及び少なくとも１つのプロセッサを含み、また、オプションで更にメモリを含み得る。入力インタフェース、出力インタフェース、プロセッサ、及びメモリは、内部接続経路を使用することによって互いに接続され、また、プロセッサ及びメモリは、内部接続経路又は外部経路を使用することによって互いに接続されてもよく、プロセッサは、メモリ内のコードを実行するように構成され、コードが実行されるとき、プロセッサは、第２の態様に従った又は第２の態様の任意の取り得る実装に従った方法を実行するように構成される。
【００７３】
第１２の態様によれば、プロセッシング装置が提供される。当該プロセッシング装置は、メモリと、該メモリに格納された命令を読み取って上述の方法のうちいずれか１つを実行ように構成されたプロセッサとを含み、送信及び受信に関連するステップは、トランシーバを用いることによりプロセッサによって実行されるものとして理解されるべきである。
【００７４】
メモリは、例えば読み出し専用メモリ（read-only  memory，ＲＯＭ）などの非一時的（non-transitory）なメモリとし得る。メモリ及びプロセッサは、同一チップ上に集積化されてもよいし、又は異なるチップ上に別々に配置されてもよい。メモリのタイプ並びにメモリ及びプロセッサを配置するやり方は、この出願のこの実施形態において限定されることではない。
【００７５】
第１３の態様によれば、コンピュータ読み取り可能媒体が提供される。当該コンピュータ読み取り可能媒体は、コンピュータプログラムを格納するように構成され、該コンピュータプログラムは、第１の態様に従った又は第１の態様の任意の取り得る実装に従った方法を実行するのに使用される命令を含む。
【００７６】
第１４の態様によれば、コンピュータ読み取り可能媒体が提供される。当該コンピュータ読み取り可能媒体は、コンピュータプログラムを格納するように構成され、該コンピュータプログラムは、第２の態様に従った又は第２の態様の任意の取り得る実装に従った方法を実行するのに使用される命令を含む。
【００７７】
コンピュータ読み取り可能記憶媒体は、非一時的（non-transitory）なものである。
【００７８】
第１５の態様によれば、命令を含んだコンピュータプログラムプロダクトが提供される。当該コンピュータプログラムプロダクトがコンピュータ上で走るとき、コンピュータが、上述の方法のうちのいずれか１つを実行する。
【００７９】
この出願の実施形態におけるデータ伝送方法、端末装置、及びネットワーク装置によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【図面の簡単な説明】
【００８０】
【図１】この出願の一実施形態に従った通信システムの概略図である。
【図２】この出願の一実施形態に従ったデータ伝送方法の概略フローチャートである。
【図３】この出願の一実施形態に従った端末装置の概略ブロック図である。
【図４】この出願の一実施形態に従ったネットワーク装置の概略ブロック図である。
【図５】この出願の一実施形態に従った別のネットワーク装置の概略ブロック図である。
【図６】この出願の一実施形態に従った別の端末装置の概略ブロック図である。
【発明を実施するための形態】
【００８１】
以下、添付図面を参照して、この出願の技術的ソリューションを説明する。
【００８２】
現時において研究開発段階にある次世代無線通信システムは、新無線（new  radio，ＮＲ）システム、又は将来の第５世代（5th  generation，５Ｇ）システムとして参照されることもある。次世代無線通信規格の最新の研究進捗は、物理的アップリンク共用チャネル（physical  uplink  shared  channel，ＰＵＳＣＨ）を用いることによって、受信端装置から送信端装置にＣＳＩを送り得ることを示している。当業者が理解するはずのことには、主に制御情報を伝送するために使用される物理的アップリンク制御チャネル（physical  uplink  control  channel，ＰＵＣＣＨ）と比較して、ＰＵＳＣＨは主にデータを伝送するために使用される。従って、ＣＳＩを伝送するとき、ＰＵＳＣＨは、更にデータを伝送することもあれば、データを伝送しないこともある。例えば、アップリンクサブフレーム（subframe）におけるＰＵＳＣＨは、ＣＳＩ及びデータの双方を伝送することもあれば、データは伝送せずにＣＳＩのみを伝送することもある。ＣＳＩは、通常、アップリンク制御情報（uplink  control  information，ＵＣＩ）に含められ、ＵＣＩはＰＵＳＣＨを用いることによって伝送される。
【００８３】
この出願の実施形態における周波数帯域は、キャリア帯域幅（carrier  bandwidth）として参照されることがあり、少なくとも１つの帯域幅部分（bandwidth  part）を更に含むブロードバンドとみなされ得る。各帯域幅部分が、少なくとも１つの連続的なサブバンドを含み、各サブバンドが更に、複数の隣接したサブキャリアを含む。
【００８４】
各帯域幅部分が、以下に限られないが例えばサブキャリア間隔（subcarrier  spacing）及びサイクリックプレフィックス（cyclic  prefix，ＣＰ）を含む一群のシステムパラメータのグループ（numerology）に対応し得るとともに、異なる帯域幅部分が、異なるシステムパラメータに対応し得る。オプションで、同一の送信時間間隔（transmission  time  interval，ＴＴＩ）内では、複数の帯域幅部分のうち、１つの帯域幅部分のみが利用可能であることができ、他の帯域幅部分は利用可能でない。
【００８５】
ＣＳＩ報告においては、ある帯域幅部分の一部又は全てのサブバンドがＣＳ報告帯域幅（CSI  reporting  bandwidth）として割り当てられて使用され、そのＣＳＩ報告帯域幅に対応するＣＳＩを報告するようにする。報告帯域幅は帯域幅のセグメントであり、その帯域幅に対応するＣＳＩが報告される必要があり、その帯域幅は複数のサブバンドを含む、ということは理解に難くない。報告帯域幅は、以下に限られないが、例えば、セル固有基準信号（cell-specific  reference  signal，ＣＲＳ）、チャネル状態情報基準信号（channel  state  information-reference  signal，ＣＳＩ−ＲＳ）、又は復調基準信号（demodulation  reference  signal，ＤＭＲＳ）といった、送信端装置によって送信されてチャネルサウンディングを実行するために使用される基準信号を運ぶ。基準信号の関連する技術的内容は、先行技術に属するものであり、この出願の実施形態において限定されることではない。受信端装置が、基準信号を測定して、対応するＣＳＩを取得し得る。
【００８６】
ＣＳＩ報告においては、報告帯域幅全体のＣＳＩ、すなわち、報告帯域幅のブロードバンドＣＳＩが報告されることもあれば、報告帯域幅内の少なくとも１つのサブバンドのＣＳＩが報告されることもある。代わりに、これら２つの報告手法が組み合わされて使用されることがあり、あるいは他の報告手法が使用される。例えば、報告帯域幅は複数の隣接したサブバンドを含む。しかしながら、特定の実装において、報告帯域幅に含まれるサブバンドは隣接していないこともある。例えば、帯域幅部分内の６つの隣接したサブバンドであるサブバンド１からサブバンド６に対して、報告帯域幅は、サブバンド１、サブバンド２、サブバンド４、及びサブバンド６を含んでもよい。特定の実装において、周波数帯域はまた、別の手法で又は階層に基づいて分割されてもよい。例えば、異なる分割手法では、サブバンドに含まれるサブキャリアの量が異なってもよい。周波数帯域を分割する具体的な手法は、この出願の実施形態において限定されることではない。
【００８７】
上述のように、チャネルサウンディングが実行されるとき、受信端装置は、送信端装置によって送信された基準信号（reference  signal，ＲＳ）に基づいてチャネル状態情報を取得し、取得したＣＳＩを送信端装置にフィードバックする。送信端装置は、ＣＳＩに基づいて被送信信号を処理し、処理した被送信信号を受信端装置に送信し得る。特定の実装において、ＣＳＩは更に、以下に限られないが、例えば、チャネル品質インジケータ（channel  quality  indicator，ＣＱＩ）、プリコーディング行列インジケータ（precoding  matrix  indicator，ＰＭＩ）、ＣＳＩ−ＲＳリソースインジケータ（CSI-RS  resource  indicator，ＣＲＩ）、及びランクインジケーション（rank  indication，ＲＩ）、のうちの少なくとも１つを含み得る。被送信信号を処理するとき、送信端装置は、受信端装置によってフィードバックされたＣＳＩを用いることによって直接的に被送信信号を処理してもよいし、あるいは、受信端装置によってフィードバックされたＣＳＩを調節し、調節したＣＳＩを用いることによって被送信信号を処理してもよい。例えば、特定の実装において、送信端装置は、受信端装置によってフィードバックされたＲＩを低減させ、低減させたＲＩを用いることによって被送信信号を処理し得る。他の一例では、送信端装置は更に、受信端装置によってフィードバックされたＰＭＩに対応するプリコーディング行列を再構成し、再構成したＰＭＩを用いることによって被送信信号を処理してもよく、再構成プロセスは、以下に限られないが、例えば、同時スケジュールされた複数の受信端装置によってフィードバックされたＰＭＩに対応するプリコーディング行列に対して直交化処理を行うこととし得る。データ送信を実行するように複数の受信端装置を同時スケジューリングする方法は、マルチユーザ多入力多出力（multi-user  multiple-input  multiple-output（ＭＩＭＯ），ＭＵ−ＭＩＭＯ）技術としても参照される。他の一例では、送信端装置は更に、受信端装置によってフィードバックされたＣＱＩを低減させ、低減させたＣＱＩを用いることによって被送信信号を処理し得る。なお、受信端装置によってフィードバックされたＣＳＩを送信端装置が調節する場合、送信端装置は、受信端装置が、調節されたＣＳＩに基づいて、受信した信号から被送信信号を復元するように、調節したＣＳＩを受信端装置に通知する必要があるとし得る。例えば、基地局がＲＩ又はＣＱＩを調節する場合、基地局は、調節したＲＩ又はＣＱＩを受信端装置に通知する必要がある。特定の実装において、受信端装置によってフィードバックされたＣＳＩを送信端装置によって調節する具体的な手法は、この出願の実施形態において限定されることではない。
【００８８】
理解されるべきことには、この出願の実施形態の技術的ソリューションは、例えば、グローバル・システム・フォー・モバイル・コミュニケーションズ（global  system  for  mobile  communications，ＧＳＭ）システム、符号分割多元接続（code  division  multiple  access，ＣＤＭＡ）システム、広帯域符号分割多元接続（wideband  code  division  multiple  access  wireless，ＷＣＤＭＡ）システム、汎用パケット無線サービス（general  packet  radio  service，ＧＰＲＳ）、ロング・ターム・エボリューション（long  term  evolution，ＬＴＥ）システム、ＬＴＥ周波数分割デュプレックス（frequency  division  duplex，ＦＤＤ）システム、ＬＴＥ時分割デュプレックス（(time  division  duplex，ＴＤＤ）システム、ユニバーサル・モバイル・テレコミュニケーション・システム（universal  mobile  telecommunication  system，ＵＭＴＳ）、ワイマックス（worldwide  interoperability  for  microwave  access，ＷｉＭＡＸ）通信システム、将来の第５世代（5th  generation，５Ｇ）システム、又は新無線（new  radio，ＮＲ）システムなどの様々な通信システムに適用され得る。
【００８９】
更に理解されるべきことには、この出願の実施形態の技術的ソリューションは更に、例えばスパースコード多元接続（sparse  code  multiple  access，ＳＣＭＡ）システムといった、非直交多元接続技術に基づく様々な通信システムに適用され得る。確かなことには、ＳＣＭＡはまた、通信分野において別の名称として参照されることもある。さらに、この出願の実施形態の技術的ソリューションは、例えば、直交周波数分割多重（orthogonal  frequency  division  multiplexing，ＯＦＤＭ）システム、フィルタバンクマルチキャリア（filter  bank  multi-carrier，ＦＢＭＣ）システム、ジェネラライズド周波数分割多重（generalized  frequency  division  multiplexing，ＧＦＤＭ）システム、又は非直交多元接続技術が使用されるフィルタ式直交周波数分割多重（filtered-OFDM，Ｆ−ＯＦＤＭ）システムといった、非直交多元接続技術が使用されるマルチキャリア伝送システムに適用され得る。
【００９０】
理解されるべきことには、この出願の実施形態における端末装置は、無線アクセスネットワーク（radio  access  network，ＲＡＮ）を使用することによって１つ以上のコアネットワークと通信することができ、当該端末装置は、アクセス端末、ユーザ装置（user  equipment，ＵＥ）、加入者ユニット、加入者局、移動局、モバイルコンソール、リモート局、リモート端末、モバイル装置、ユーザ端末、端末、無線通信装置、ユーザエージェント、又はユーザ機器として参照されることがある。アクセス端末は、携帯電話、コードレス電話、セッション初期化プロトコル（session  initiation  protocol，ＳＩＰ）電話、ワイヤレスローカルループ（wireless  local  loop，ＷＬＬ）局、パーソナルデジタルアシスタント（personal  digital  assistant，ＰＤＡ）、無線通信機能を有するハンドヘルド装置、コンピューティング装置、無線モデムに接続された他のプロセッシング装置、車載装置、ウェアラブル装置、将来の５Ｇネットワーク内の端末装置、将来発展する地上波公共移動通信ネットワーク（public  land  mobile  network，ＰＬＭＮ）内の端末装置、又はこれらに類するものとし得る。
【００９１】
更に理解されるべきことには、この出願の実施形態において、ネットワーク装置は、端末装置と通信するように構成され得る。ネットワーク装置は、ＧＳＭシステム又はＣＤＭＡシステムにおける基地局（base  transceiver  station，ＢＴＳ）であってもよいし、ＷＣＤＭＡシステムにおけるＮｏｄｅＢ（NodeB，ＮＢ）であってもよいし、又はＬＴＥシステムにおけるエボルブドＮｏｄｅＢ（evolved  NodeB，ｅＮＢ若しくはｅＮｏｄｅＢ）であってもよい。あるいは、ネットワーク装置は、中継局、アクセスポイント、車載装置、ウェアラブル装置、将来の５Ｇネットワークにおけるネットワーク側装置、将来の進化型ＰＬＭＮにおけるネットワーク装置、又はこれらに類するものであってもよい。
【００９２】
この出願の実施形態は、ＬＴＥシステム及び例えば５Ｇなどのその後の進化型システム、又は、例えば符号分割多元接続、周波数分割多元接続、時分割多元接続、直交周波数分割多元接続、若しくは単一搬送波周波数分割多元接続などのアクセス技術が使用されるシステムといった、様々な無線アクセス技術が使用される他の無線通信システム、に適用可能とし得るものであり、特に、例えばマッシブＭＩＭＯ技術が適用される無線ネットワーク又は分散アンテナ技術が適用される無線ネットワークといった、チャネル情報フィードバックを必要とするシナリオ及び／又は補助的なプリコーディング技術が適用されるシナリオに適用可能である。
【００９３】
理解されるべきことには、多入力多出力（multiple-input  multiple-output，ＭＩＭＯ）技術は、送信端装置及び受信端装置がそれぞれ複数の送信アンテナ及び受信アンテナを使用することで、送信端装置及び受信端装置のそれら複数のアンテナを用いることによって信号が送信及び受信され、それにより通信品質を向上させるようにしたものである。多入力多出力技術は、複数のアンテナを使用することによって、空間リソースを十分に使用して多入力多出力を実現することができ、スペクトルリソース及びアンテナ送信出力における増加なしで、システムチャネル容量を増加させることができる。
【００９４】
ＭＩＭＯは、シングルユーザ多入力多出力（single-user  MIMO，ＳＵ‐ＭＩＭＯ）とマルチユーザ多入力多出力（multi-user  MIMO，ＭＵ‐ＭＩＭＯ）とに分けられ得る。マッシブＭＩＭＯでは、マルチユーザビームフォーミング原理に基づいて、何百というアンテナが送信端装置に配置されて、何十というターゲット受信器に対してそれぞれのビームを変調し、そして、空間信号分離を行うことによって何十という信号が同時に同一周波数リソース上で送信される。従って、マッシブＭＩＭＯ技術は、大規模なアンテナ構成によってもたらされる空間自由度を十分に使用してスペクトル効率を向上させることができる。
【００９５】
図１は、この出願の実施形態で使用される通信システムの概略図である。図１に示すように、通信システム１００はネットワーク装置１０２を含み、ネットワーク装置１０２は、複数のアンテナ群を含み得る。各アンテナ群が、１つ以上のアンテナを含み得る。例えば、あるアンテナ群がアンテナ１０４及び１０６を含むことができ、別のアンテナ群がアンテナ１０８及び１１０を含むことができ、そして、更なる群がアンテナ１１２及び１１４を含むことができる。図１では、各アンテナ群に２つのアンテナが示されている。しかしながら、より多数又は少数のアンテナが各群に使用されてもよい。ネットワーク装置１０２は更に、送信器チェーン及び受信器チェーンを含み得る。当業者が理解し得ることには、送信器チェーン及び受信器チェーンはどちらも、例えばプロセッサ、変調器、マルチプレクサ、復調器、デマルチプレクサ、又はアンテナといった、信号送受信に関係する複数のコンポーネントを含み得る。
【００９６】
ネットワーク装置１０２は、複数の端末装置と通信し得る。例えば、ネットワーク装置１０２は、端末装置１１６及び端末装置１２２と通信し得る。しかしながら、理解され得ることには、ネットワーク装置１０２は、端末装置１１６又は１２２と同様の如何なる数の端末装置と通信してもよい。端末装置１１６及び１２２は各々、例えば、携帯電話、スマートフォン、ポータブルコンピュータ、ハンドヘルド通信装置、ハンドヘルドコンピューティング装置、衛星無線装置、全地球測位システム、ＰＤＡ、及び／又は、無線通信システム１００内で通信を行うように構成された任意の他の好適装置とし得る。
【００９７】
図１に示すように、端末装置１１６は、アンテナ１１２及び１１４と通信しており、アンテナ１１２及び１１４は、順方向リンク１１８を用いることによって端末装置１１６に情報を送信し、逆方向リンク１２０を用いることによって端末装置１１６から情報を受信する。また、端末装置１２２は、アンテナ１０４及び１０６と通信しており、アンテナ１０４及び１０６は、順方向リンク１２４を用いることによって端末装置１２２に情報を送信し、逆方向リンク１２６を用いることによって端末装置１２２から情報を受信する。
【００９８】
例えば、周波数分割デュプレックスＦＤＤシステムにおいて、順方向リンク１１８は、逆方向リンク１２０によって使用されるものとは異なる周波数帯域を使用することができ、また、順方向リンク１２４は、逆方向リンク１２６によって使用されるものとは異なる周波数帯域を使用することができる。
【００９９】
他の一例では、時分割デュプレックスＴＤＤシステム及びフルデュプレックス（full  duplex）システムにおいて、順方向リンク１１８及び逆方向リンク１２０は共通の周波数帯域を使用することができ、また、順方向リンク１２４及び逆方向リンク１２６は共通の周波数帯域を使用することができる。
【０１００】
アンテナの各群及び／又は通信用に設計された領域を、ネットワーク装置１０２のセクタとして参照する。例えば、あるアンテナ群は、ネットワーク装置１０２のカバレッジエリアの中のあるセクタ内の端末装置と通信するように設計され得る。ネットワーク装置１０２が、端末装置１１６及び１２２とそれぞれ順方向リンク１１８及び１２４を用いることによって通信するとき、ネットワーク装置１０２の送信アンテナは、ビームフォーミングを行うことによって、順方向リンク１１８及び１２４の信号対雑音比を向上させ得る。また、ネットワーク装置が、該ネットワーク装置がサービス提供する全ての端末装置に、単一のアンテナを用いることによって信号を送信する手法と比較して、ネットワーク装置１０２が、関連するカバレッジエリア内にランダムに分布する端末装置１１６及び１２２に、ビームフォーミングを行うことによって信号を送信するときには、より少ない干渉が、隣接するセル内のモバイル装置に対して生じる。
【０１０１】
所与の時点において、ネットワーク装置１０２、端末装置１１６、又は端末装置１２２は、無線通信送信装置及び／又は無線通信受信装置であり得る。データを送信するとき、無線通信送信装置は、送信のためにデータをエンコードし得る。具体的には、無線通信送信装置は、チャネルを使用することによって無線通信受信装置に送るべき特定量のデータビットを取得し得る。例えば、無線通信送信装置は、チャネルを使用することによって無線通信受信装置に送るべき特定量のデータビットを、生成し、他の通信装置から受信し、又はメモリに格納し得る。そのようなデータビットは、データの１つ以上の輸送ブロックに含められることができ、輸送ブロックは、複数のコードブロックを生成するようにセグメント化されることができる。
【０１０２】
また、通信システム１００は、地上波公共移動通信ネットワークＰＬＭＮ、デバイスツーデバイス（device  to  device，Ｄ２Ｄ）ネットワーク、マシンツーマシン（machine  to  machine，Ｍ２Ｍ）ネットワーク、又は他のネットワークであってもよい。図１は、単に、理解の便宜上の簡略化された概略図の一例であり、ネットワークは更に、図１に描かれていない他のネットワーク装置を含み得る。
【０１０３】
図２は、この出願の一実施形態に従ったデータ伝送方法２００の概略フローチャートである。方法２００は、図１に示した通信システム１００に適用され得るが、この出願のこの実施形態はそれに限定されるものではない。
【０１０４】
Ｓ２１０．  端末装置が基準情報を決定する。
【０１０５】
Ｓ２２０．  端末装置が、基準情報とステータスパラメータとの比較結果に基づく第２のチャネル状態情報ＣＳＩを送信し、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０１０６】
Ｓ２３０．  ネットワーク装置が、端末装置によって送信された第２のＣＳＩを受信し、第２のＣＳＩ内のＲＩに基づいてステータスパラメータを決定し、ステータスパラメータを基準情報と比較することによって得られた比較結果に基づいて、第２のＣＳＩのビット量、及びアップリンクチャネル上で第２のＣＳＩによって占有されるリソースエレメント（ＲＥ）の量、のうちの少なくとも一方を決定する。
【０１０７】
具体的には、端末装置は、ネットワーク装置の設定に基づいて第１のＣＳＩを報告する必要がある。理解されるべきことには、第１のＣＳＩは、基準信号を測定することにより端末装置によって取得されるＣＳＩである。しかしながら、実際には、端末装置のためにネットワーク装置によって設定されたアップリンクチャネルリソースでは不十分であることがある。従って、この出願のこの実施形態において、端末装置は、実際に、第１のＣＳＩ内のパラメータの全てを報告するのか、それとも一部を報告するのかを選択し得る。換言すれば、実際に報告されるＣＳＩは、第２のＣＳＩであり、第２のＣＳＩは、第１のＣＳＩ内のパラメータの全て又は一部を含む。具体的に報告される必要があるのが第１のＣＳＩ内の全てのパラメータであるのか、それとも第１のＣＳＩ内の一部のパラメータであるのかが、基準情報に基づいて端末装置によって決定され得る。換言すれば、端末装置は、ステータスパラメータを基準情報と比較し、得られた比較結果に基づいて、最終的に報告される第２のＣＳＩのパラメータを決定する。理解されるべきことには、第１のＣＳＩ及び第２のＣＳＩというのは、単に手短な説明の便宜上のものである。実際の実装においては、測定を通じて端末装置によって取得されるＣＳＩが第１のＣＳＩとして参照され、端末装置によって報告されるＣＳＩが第２のＣＳＩとして参照される。測定を通じて取得されたＣＳＩの全てが報告される必要があるとき、第２のＣＳＩは実際には第１のＣＳＩである。
【０１０８】
理解されるべきことには、基準情報は、予め規定されたルールに基づいて端末装置によって決定されることもあれば、ネットワーク装置の設定に基づいて端末装置によって決定されることもある。換言すれば、基準情報は、予め規定されていてもよいし、シグナリングを用いることによって、端末装置のためにネットワーク装置によって設定されてもよい。これは、この出願のこの実施形態において限定されることではない。
【０１０９】
第１のＣＳＩ、すなわち、報告される必要があり且つ端末装置のためにネットワーク装置によって設定されたＣＳＩを、以下にて詳細に説明及び記述する。端末装置及びネットワーク装置の通信帯域幅がＭ個のサブバンドを含むと仮定し、ただし、Ｍは１以上の整数である。Ｍ個のサブバンドの各々が、複数の物理リソースブロック（physical  resource  block，ＰＲＢ）を含み、複数のＰＲＢの各々が、複数のリソースエレメント（resource  element，ＲＥ）を含む。例えばチャネル状態情報基準信号（channel  state  information-reference  signal，ＣＳＩ−ＲＳ）などの基準信号を測定した後に、端末装置は第１のＣＳＩを取得し得る。第１のＣＳＩは、ＲＩ及びＣＱＩを含んでもよく、あるいは第１のＣＳＩは、ＲＩ、ＣＱＩ、及びＰＭＩを含んでもよく、また、別のパラメータを更に含んでもよい。これは、この出願のこの実施形態において限定されることではない。
【０１１０】
理解されるべきことには、端末装置が第２のＣＳＩを報告するとき、ステータスパラメータは、第１のＣＳＩ内のパラメータ及び第１のＣＳＩの伝送パラメータのうちの少なくとも一方を含むことができ、あるいは端末装置が第２のＣＳＩ及びアップリンクデータの双方を通報するとき、ステータスパラメータは更に、アップリンクデータの伝送パラメータを含んでもよい。これは、この出願のこの実施形態において限定されることではない。
【０１１１】
この明細書において、第１のＣＳＩ内のパラメータは、第１のＣＳＩに含まれるパラメータ、例えば、ＲＩ、ＰＭＩ、及びＣＱＩなどのパラメータであり、第１のＣＳＩの伝送パラメータは、第１のＣＳＩの伝送状況を指し示すために使用されるパラメータ、例えば、アップリンクチャネル上で第１のＣＳＩによって占有されるリソースエレメントＲＥの量、第１のＣＳＩの変調シンボルの量、第１のＣＳＩの情報ビット量、及びチャネルコーディングが実行された後の第１のＣＳＩのビット量である。同様に、アップリンクデータの伝送パラメータは、アップリンクデータの伝送状況を指し示すために使用されるパラメータ、例えば、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比とし得る。
【０１１２】
従って、ステータスパラメータは、上述の例におけるいずれか１つ以上のパラメータとし得る。状態パラメータが１つのパラメータを含むとき、基準情報は、そのパラメータに対応する閾値とすることができ、又はそのパラメータに対応する複数の閾値としてもよい。ステータスパラメータが複数のパラメータを含むとき、基準情報は、それら複数のパラメータの各々に対応する閾値とし得る。これは、この出願のこの実施形態において限定されることではない。
【０１１３】
この本願のこの実施形態において、端末装置は、基準情報に基づいて、既存のパラメータを、同じ特性を持った、基準情報によって指し示されるパラメータに変換し、次いで比較を行ってもよいし、又は、ステータスパラメータに基づいて、基準情報によって指し示されるパラメータを、ステータスパラメータの特性と同じ特性を持ったパラメータに変換し、次いで比較を行ってもよい。これは、この出願のこの実施形態においてもいずれにも限定されることではない。例えば、端末装置は、第１のＣＳＩ内のＲＩを知り、基準情報を用いて、アップリンクチャネル上で第２のＣＳＩによって占有されるＲＥの量の閾値が指し示される。一実装において、端末装置は、第１のＣＳＩ内のＲＩに基づいて、アップリンクチャネル上で第１のＣＳＩによって占有されるＲＥの量を計算し、そして、ステータスパラメータとしての、アップリンクチャネル上で第１のＣＳＩによって占有されるＲＥの量を、アップリンクチャネル上で第２のＣＳＩによって占有されるＲＥの量の閾値と比較し得る。他の一実装において、端末装置は、基準情報を用いて指し示された、アップリンクチャネル上で第２のＣＳＩによって占有されるＲＥの量のものである閾値に基づいて、第２のＣＳＩのＲＩの閾値を計算し、そして、そのＲＩの閾値に対して第１のＣＳＩのＲＩを比較し得る。
【０１１４】
端末装置によってネットワーク装置にフィードバックされるＣＳＩは、通常、例えばランクインジケーション（rank  indication，ＲＩ）、プリコーディング行列インジケータ（precoding  matrix  indicator，ＰＭＩ）、及びチャネル品質インジケータ（channel  quality  indicator，ＣＱＩ）などのパラメータを含む。ＰＭＩの情報ビット量及びＣＱＩの情報ビット量は、ＲＩが変わると変わり得る。従って、アップリンクデータと共に、最大量のＰＭＩビット及び最大量のＣＱＩビットの双方を、アップリンクチャネルで運ぶことができることを確実にするために、ネットワーク装置は常に、最大のＣＳＩビット量に基づいてリソースを割り当て得る。しかしながら、ネットワーク装置によってトリガされるＣＳＩ報告は、高精度ＣＳＩ報告であることがあり、高精度ＣＳＩのビット量は、異なるＲＩを持つ度に異なり得る。ネットワーク装置が常に最大ＣＳＩビット量に基づいてアップリンクチャネルリソースを割り当てる場合、アップリンクチャネルリソースが無駄になる。
【０１１５】
通常、アップリンクチャネルリソースの無駄を避けるために、ネットワーク装置は、ＲＩに対応する最大ＣＳＩビット量に基づいてリソースを割り当てるのではなく、事前の情報に基づいて、端末装置によって報告されるＲＩを推定し得る。この場合、ネットワーク装置によって端末装置に割り当てられるアップリンクチャネルリソースは、端末装置によって報告される第１のＣＳＩが必要とするアップリンクチャネルリソースを、必ずしも満足することができるわけではない。従って、端末装置は、第１のＣＳＩ内の一部のパラメータを破棄すべきかを決定する必要がある。同様に、ネットワーク装置は、端末装置が第１のＣＳＩ内の一部のパラメータを破棄するのかを知る必要がある。換言すれば、ネットワーク装置は、受信した第２のＣＳＩが第１のＣＳＩ内の全てのパラメータを含んでいるのか、それとも第１のＣＳＩ内の一部のパラメータを含んでいるのかを決定する必要がある。これに鑑み、この出願のこの実施形態においては、一片の基準情報、すなわち、上述の基準情報が導入される。端末装置は、基準情報に基づいて、第１のＣＳＩ内の一部のパラメータを破棄する必要があるかを決定することができ、また、ネットワーク装置も、基準情報に基づく決定を行うことで、端末装置の挙動が制御可能且つ予測可能であるよう、実際に報告された第２のＣＳＩのビット量又はアップリンクチャネル上で占有されるＲＥの量を知ること、及び、端末装置の理解がネットワーク装置のそれと一致しないためにＣＳＩ伝送障害が発生する状況を知ることができる。
【０１１６】
この出願のこの実施形態におけるデータ伝送方法によれば、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【０１１７】
オプションで、第１のＣＳＩはＲＩ及びＣＱＩを含み得る。第１のＣＳＩ内のＣＱＩについて、このＣＱＩは、ブロードバンドＣＱＩ、換言して、Ｍ個のサブバンドのチャネルに関して計算される値とし得る。オプションで、このＣＱＩは、Ｍ個のサブバンドの各々のＣＱＩであってもよく、サブバンドのＣＱＩは、Ｍ個のサブバンドのうち、そのサブバンドのチャネルに関して計算される。オプションで、Ｍ個のサブバンドのうちそのサブバンドのＣＱＩは、ブロードバンドＣＱＩに対して計算される差分値であってもよく、換言すれば、第１のＣＳＩ内のＣＱＩは、ブロードバンドＣＱＩと、Ｍ個のサブバンドのうちそのサブバンドのＣＱＩとを含んでもよい。これは、この出願のこの実施形態において限定されることではない。
【０１１８】
オプションで、第１のＣＳＩは、ＲＩ、ＣＱＩ、及びＰＭＩを含む。ＰＭＩは、Ｍ個のサブバンドの、ブロードバンドＰＭＩ及びサブバンドＰＭＩを含む。オプションで、Ｍ個のサブバンドの各々のＣＱＩが、ＲＩ、第１のＰＭＩ、及びそのサブバンドのＰＭＩに基づいて計算される。各サブバンドのＰＭＩが独立に計算されてもよく、あるいは全てのサブバンドのＰＭＩが従属的に計算される。独立した計算では、各サブバンドのＰＭＩは、そのサブバンドのチャネルサウンディング結果に基づいて計算することができ、他のサブバンドのチャネルサウンディング結果とは無関係である。従属した計算では、オプションで、一部のサブバンドのＰＭＩは、例えば、他のサブバンドのＰＭＩに基づく補間アルゴリズム又は線形結合アルゴリズムなどのジョイント処理を通じて取得される。これは、この出願のこの実施形態において限定されることではない。一例として補間アルゴリズムを用いると、端末装置は、一部のサブバンドについてのＰＭＩが、これらのサブバンドについてのＣＱＩを計算するために、補間アルゴリズムを通じて取得されると仮定する。各サブバンドのＰＭＩ及び／又はＣＱＩが具体的に計算される基礎となる仮定が、予め規定されたルールに基づいて決定され、ネットワーク装置の指示に基づいて決定され、あるいは、アップリンクデータの伝送パラメータ、第１のＣＳＩ内のパラメータ（例えば、ＲＩ）、第１のＣＳＩの伝送パラメータのうちの少なくとも１つと、この出願の方法に従った基準情報との間の比較に基づいて決定され得る。これは、この出願のこの実施形態において限定されることではない。
【０１１９】
オプションの一の実施形態において、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０１２０】
具体的には、基準情報は、ＲＩの閾値を指し示してもよいし、アップリンクチャネル上で第２のＣＳＩによって占有されるＲＥの量の閾値を指し示してもよいし、第２のＣＳＩの変調シンボルの量の閾値を指し示してもよいし、第２のＣＳＩの情報ビット量（すなわち、エンコーディング前の第２のＣＳＩのビット量）の閾値を指し示してもよいし、また、チャネルエンコーディングが実行された後の第２のＣＳＩのビット量の閾値を指し示してもよい。
【０１２１】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。例えば、直接的に指し示すものの場合、基準情報は、直接的に、ＲＩの閾値が２であるというものとし得る。間接的に指し示すものの場合、基準情報は、ＲＩの閾値識別子としてもよく、端末装置は、その閾値識別子に基づいて、ＲＩの閾値が２であると決定し得る。これらの状況は全て、この出願の実施形態の保護範囲に入るものである。
【０１２２】
オプションの一の実施形態において、基準情報は、ＲＩの閾値を指し示すために使用され、ステータスパラメータは、第１のＣＳＩ内のＲＩであり、第１のＣＳＩ内のＲＩがＲＩの閾値よりも大きい場合、第２のＣＳＩは、第１のＣＳＩ内の一部のパラメータを含み、第１のＣＳＩ内のＲＩがＲＩの閾値以下である場合、第２のＣＳＩは、第１のＣＳＩ内の全てのパラメータを含む。
【０１２３】
具体的には、基準情報がＲＩの閾値を指し示し得るとともに、端末装置が、第１のＣＳＩ内のＲＩをＲＩの閾値と比較し得る。第１のＣＳＩ内のＲＩがＲＩの閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩ内のＲＩがＲＩの閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１２４】
理解されるべきことには、第２のＣＳＩは、第１のＣＳＩ内の全てのパラメータ又は一部のパラメータを含むので、第１のＣＳＩ内のＲＩは、この出願のこの実施形態において第２のＣＳＩ内のＲＩと同じである。更に理解されるべきことには、第１のＣＳＩ内のＲＩがそのＲＩの閾値に等しい場合に、第２のＣＳＩは、代わりに、第１のＣＳＩ内の一部のパラメータを含んでもよい。これは、この出願のこの実施形態において限定されることではない。
【０１２５】
オプションの一の実施形態において、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０１２６】
具体的には、基準情報が、アップリンクチャネル上で第２のＣＳＩによって占有されるＲＥの量の第１の閾値を指し示し得るとともに、端末装置が、アップリンクチャネル上で第１のＣＳＩによって占有されるＲＥの量を第１の閾値と比較し得る。アップリンクチャネル上で第１のＣＳＩによって占有されるＲＥの量が第１の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上で第１のＣＳＩによって占有されるＲＥの量が第１の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１２７】
理解されるべきことには、他の一実装では、アップリンクチャネル上で第１のＣＳＩによって占有されるＲＥの量が第１の閾値以上である場合に、第１のＣＳＩ内の一部のパラメータを破棄する必要があると決定され、アップリンクチャネル上で第１のＣＳＩによって占有されるＲＥの量が第１の閾値よりも小さい場合に、第２のＣＳＩは、第１のＣＳＩ内の全てのパラメータを含む。後続の実施形態も同様であり、詳細を再び説明することはしない。
【０１２８】
理解されるべきことには、端末装置は、アップリンクチャネル上で第１のＣＳＩによって占有されるＲＥの量を直接的に決定してもよいし、あるいは、第１のＣＳＩ内のＲＩに基づいて、アップリンクチャネル上で第１のＣＳＩによって占有されるＲＥの量を計算してもよい。更に理解されるべきことには、アップリンクチャネル上で第１のＣＳＩによって占有されるＲＥの量が第１の閾値に等しい場合に、第２のＣＳＩは、代わりに、第１のＣＳＩ内の一部のパラメータを含んでもよい。これは、この出願のこの実施形態において限定されることではない。
【０１２９】
オプションの一の実施形態において、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０１３０】
具体的には、基準情報が、第２のＣＳＩの変調シンボルの量の第２の閾値を指し示し得るとともに、端末装置が、第１のＣＳＩの変調シンボルの量を第２の閾値と比較し得る。第１のＣＳＩの変調シンボルの量が第２の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩの変調シンボルの量が第２の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３１】
理解されるべきことには、端末装置は、第１のＣＳＩの変調シンボルの量を直接的に決定してもよいし、あるいは、第１のＣＳＩ内のＲＩに基づいて、第１のＣＳＩの変調シンボルの量を計算してもよい。更に理解されるべきことには、第１のＣＳＩの変調シンボルの量が第２の閾値に等しい場合に、第２のＣＳＩは、代わりに、第１のＣＳＩ内の一部のパラメータを含んでもよい。これは、この出願のこの実施形態において限定されることではない。
【０１３２】
オプションの一の実施形態において、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０１３３】
具体的には、基準情報が、第２のＣＳＩの情報ビット量の第３の閾値を指し示し得るとともに、端末装置が、第１のＣＳＩの情報ビット量を第３の閾値と比較し得る。第１のＣＳＩの情報ビット量が第３の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、第１のＣＳＩの情報ビット量が第３の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３４】
理解されるべきことには、第１のＣＳＩの情報ビット量は、チャネルコーディングが実行される前の第１のＣＳＩのビット量である。端末装置は第１のＣＳＩの情報ビット量を直接的に決定してもよいし、あるいは、第１のＣＳＩ内のＲＩに基づいて、第１のＣＳＩの情報ビット量を計算してもよい。更に理解されるべきことには、第１のＣＳＩの情報ビット量が第２の閾値に等しい場合に、第２のＣＳＩは、代わりに、第１のＣＳＩ内の一部のパラメータを含んでもよい。これは、この出願のこの実施形態において限定されることではない。
【０１３５】
オプションの一の実施形態において、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０１３６】
具体的には、基準情報が、チャネルコーディングが実行された後の第２のＣＳＩのビット量の第４の閾値を指し示し得るとともに、端末装置が、チャネルコーディングが実行された後の第１のＣＳＩのビット量を第４の閾値と比較し得る。チャネルコーディングが実行された後の第１のＣＳＩのビット量が第４の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、チャネルコーディングが実行された後の第１のＣＳＩのビット量が第４の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１３７】
理解されるべきことには、端末装置は、チャネルコーディングが実行された後の第１のＣＳＩのビット量を直接的に決定してもよいし、あるいは、第１のＣＳＩ内のＲＩに基づいて、チャネルコーディングが実行された後の第１のＣＳＩのビット量を計算してもよい。更に理解されるべきことには、チャネルコーディングが実行された後の第１のＣＳＩのビット量が第４の閾値に等しい場合に、第２のＣＳＩは、代わりに、第１のＣＳＩ内の一部のパラメータを含んでもよい。これは、この出願のこの実施形態において限定されることではない。
【０１３８】
オプションの一の実施形態において、端末装置により第２のＣＳＩを送信することは、端末装置により、第２のＣＳＩとアップリンクデータとを送信し、アップリンクデータと第２のＣＳＩとが同じアップリンクチャネル上で運ばれる、ことを含む。
【０１３９】
それに対応して、ネットワーク装置は、第２のＣＳＩとアップリンクデータとを受信する。
【０１４０】
具体的には、端末装置は、アップリンクデータと共に第２のＣＳＩをアップリンクチャネルに付加して、第２のＣＳＩ及びアップリンクデータをネットワーク装置に送信し得る。この場合、ネットワーク装置によって割り当てられたアップリンクチャネルリソースが、第２のＣＳＩとアップリンクデータとによって共有される。
【０１４１】
取り得る一実装において、端末装置は、第１のシグナリングを用いることによって、アップリンクチャネルのリソース割当て情報と、アップリンクデータの変調及びコーディング方式（modulation  and  coding  scheme，ＭＣＳ）コードワードのＭＣＳ情報とを受信する。アップリンクデータ内で１つのコードワードが伝送されるとき、第１のシグナリングは、１つのコードワードのＭＣＳを含み、アップリンクデータ内で２つのコードワードが伝送されるとき、第１のシグナリングは、２つのコードワードのＭＣＳを含む。アップリンクチャネルを用いて、第２のＣＳＩ及びアップリンクデータが運ばれる。オプションで、第１のシグナリングはＤＣＩシグナリングとし得る。端末装置は、第２のシグナリングを用いることによってパラメータβを受信し、パラメータβは、アップリンクチャネル上で運ばれるＣＳＩのパラメータの全て又は一部のチャネルコーディングパラメータを決定するために使用される。例えば、パラメータβは、ＰＭＩのチャネルコーディングパラメータを決定するために使用され得るとともに、ＣＱＩのチャネルコーディングパラメータを決定するために使用され得る。オプションで、第２のシグナリングにおいて、ＲＩ、ＰＭＩ、及びＣＱＩに同じβ又は異なるβが設定され得る。オプションで、第２のシグナリングはＲＲＣシグナリングとし得る。
【０１４２】
端末装置は、基準信号を測定することによって第１のＣＳＩの情報ビットを取得し、被送信データからアップリンクデータの情報ビットを取得し得る。ネットワーク装置の設定に基づいて、第１のＣＳＩは、ＲＩ、ＰＭＩ、及びＣＱＩを含んでもよいし、ＲＩ及びＰＭＩのみを含んでもよいし、あるいはＲＩ及びＣＱＩのみを含んでもよい。これは、この出願のこの実施形態において限定されることではない。帯域幅全体に関して１つのＰＭＩ及び１つのＣＱＩのみがフィードバックされてもよいし、帯域幅全体の中のサブバンドに関して各サブバンドのＰＭＩ及び／又はＣＱＩがフィードバックされてもよい。端末装置は、第１のシグナリング及び第２のシグナリングに基づいて、アップリンクチャネル上で第１のＣＳＩ内のパラメータの全て若しくは一部によって占有される第１のリソースに関する情報、及び／又は、例えば第１のＣＳＩのチャネルコーディングコードレートといった、第１のＣＳＩ内のパラメータの全て又は一部のチャネルコーディングパラメータを決定する。
【０１４３】
端末装置は、複数の手法で、アップリンクチャネル上で第１のＣＳＩ内のパラメータの全て又は一部によって占有される第１のリソースに関する情報を決定し得る。オプションで、端末装置は、第１のＣＳＩ内の各パラメータの情報ビット量（これはＣＲＣチェックビットを含み得る）の、被送信データの情報ビット量（これはＣＲＣチェックビットを含み得る）に対する比、対応するパラメータの値、及び第１のシグナリングに含まれるリソース割当て情報に基づいて、パラメータによって占有されるリソースエレメントＲＥの量、を決定することができ、換言して、パラメータによって占有される第１のリソースに関する情報を決定することができる。オプションで、端末装置が第１のＣＳＩ内の複数のパラメータに対してジョイントチャネルコーディングを行う場合に、端末装置は、それら複数のパラメータの総情報ビット量（これはＣＲＣチェックビットを含み得る）の、被送信データの情報ビット量（これはＣＲＣチェックビットを含み得る）に対する比、対応するパラメータの値、及び第１のシグナリングに含まれるリソース割当て情報に基づいて、それら複数のパラメータによって連帯的に占有されるＲＥの量を決定することができ、換言して、それら複数のパラメータによって占有される第１のリソースに関する情報を決定することができる。これは、この出願のこの実施形態において限定されることではない。次いで、端末装置は、第１のリソースに関する情報及びリソース割当て情報に基づいて、アップリンクチャネル上でアップリンクデータによって占有される第２のリソースに関する情報を決定し得る。端末装置は、第２のリソースに関する情報及びＭＣＳ情報に基づいて、例えばアップリンクデータのチャネルコーディングコードレートなどの、アップリンクデータのチャネルコーディングパラメータを決定し得る。
【０１４４】
端末装置は、第１のリソースに関する情報、第２のリソースに関する情報、第１のＣＳＩのチャネルコーディングパラメータ、及びアップリンクデータのチャネルコーディングパラメータ、の全て又は一部に基づいて、且つ基準情報に基づいて、アップリンクチャネル上で実際に運ばれる情報を決定し得る。例えば、端末装置は、アップリンクチャネルに第１のＣＳＩの全て又は一部を付加するがアップリンクデータは付加しないと決定することができ、端末装置は、全てのＣＳＩ及びアップリンクデータをアップリンクチャネルに付加すると決定し、あるいは、端末装置は、第１のＣＳＩの一部及びアップリンクデータをアップリンクチャネルに付加することを決定する。これは、この出願のこの実施形態において限定されることではない。
【０１４５】
端末装置は、実際に送信されることができる第２のＣＳＩ内のパラメータに基づいて、第２のＣＳＩによって占有される時間−周波数リソース、及びチャネルコーディングパラメータを再び決定する。端末装置は、第２のＣＳＩ内のパラメータにチャネルコーディングを行って、ＣＳＩコーディング後のビットを得る。次いで、端末装置は、ＣＳＩコーディング後のビットを変調して、ＣＳＩ変調シンボルを得る。最後に、端末装置は、決定された時間−周波数リソースに基づいて、ＣＳＩ変調シンボルをＣＳＩ時間−周波数リソースにマッピングする。端末装置がアップリンクデータも送信する場合、端末装置は、ＣＳＩ時間−周波数リソースに基づいて、アップリンクデータのチャネルコーディングコードレート、及びアップリンクデータによって占有される時間−周波数リソースを再び決定し、そして、被送信アップリンクデータにチャネルコーディングを行って、データコーディング後のビットを得る。次いで、端末装置は、データコーディング後のビットを変調し、データ変調シンボルを得る。最後に、端末装置は、対応する時間−周波数リソース上のデータを変調する。端末装置は、アップリンクチャネル上で、第２のＣＳＩを送信し、あるいは第２のＣＳＩ及びアップリンクデータを送信する。
【０１４６】
オプションの一の実施形態において、第２のＣＳＩの伝送パラメータは更に、アップリンクチャネル上で第２のＣＳＩによって占有されるＲＥの量の、アップリンクチャネルに含まれるＲＥの総量に対する比、を含む。
【０１４７】
オプションの一の実施形態において、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０１４８】
具体的には、基準情報が、アップリンクチャネル上で第２のＣＳＩによって占有されるＲＥの量の、アップリンクチャネルに含まれるＲＥの総量に対する比、の第５の閾値を指し示し得るとともに、端末装置が、アップリンクチャネル上で第１のＣＳＩによって占有されるＲＥの量の、アップリンクチャネルに含まれるＲＥの総量に対する比を第５の閾値と比較し得る。アップリンクチャネル上で第１のＣＳＩによって占有されるＲＥの量の、アップリンクチャネルに含まれるＲＥの総量に対する比が、第５の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上で第１のＣＳＩによって占有されるＲＥの量の、アップリンクチャネルに含まれるＲＥの総量に対する比が、第５の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１４９】
理解されるべきことには、アップリンクチャネルのリソースエレメントは、まとめてリソースエレメントセットとして参照されることができ、アップリンクチャネル上で第１のＣＳＩによって占有されるＲＥの量の、アップリンクチャネルに含まれるＲＥの総量に対する比はまた、リソースエレメントセットにおける第１のＣＳＩのＲＥの量の、リソースエレメントセットにおけるＲＥの総量に対する比として参照されることができる。これは、この出願のこの実施形態において限定されることではない。端末装置は、アップリンクチャネル上で第１のＣＳＩによって占有されるＲＥの量の、アップリンクチャネルに含まれるＲＥの総量に対する比を直接的に決定してもよいし、あるいは、第１のＣＳＩ内のＲＩに基づいて、アップリンクチャネル上で第１のＣＳＩによって占有されるＲＥの量の、アップリンクチャネルに含まれるＲＥの総量に対する比を計算してもよい。更に理解されるべきことには、アップリンクチャネル上で第１のＣＳＩによって占有されるＲＥの量の、アップリンクチャネルに含まれるＲＥの総量に対する比が、第５の閾値に等しい場合に、第２のＣＳＩは、代わりに、第１のＣＳＩ内の一部のパラメータを含んでもよい。これは、この出願のこの実施形態において限定されることではない。
【０１５０】
オプションの一の実施形態において、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０１５１】
具体的には、ネットワーク装置が、第２のＣＳＩ及びアップリンクデータの双方を送信するように端末装置をスケジューリングするとき、基準情報は、アップリンクデータのチャネルコーディングコードレートを指し示してもよいし、アップリンクチャネル上でアップリンクデータによって占有されるＲＥの量を指し示してもよいし、アップリンクデータの変調シンボルの量を指し示してもよいし、あるいは、アップリンクチャネル上でアップリンクデータによって占有されるＲＥの量の、アップリンクチャネルに含まれるＲＥの総量に対する比を指し示してもよい。これは、この出願のこの実施形態において限定されることではない。
【０１５２】
理解されるべきことには、上述の指し示しは、直接的に指し示すものであってもよいし、間接的に指し示すもの（これは、マッピング関係を使用することによって導き出すことができる対応する閾値である）であってもよい。これは、この出願のこの実施形態において限定されることではない。
【０１５３】
オプションの一の実施形態において、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０１５４】
具体的には、基準情報が、アップリンクデータのチャネルコーディングコードレートの第６の閾値を指し示し得るとともに、端末装置が、アップリンクデータのチャネルコーディングコードレートを第６の閾値と比較し得る。アップリンクデータのチャネルコーディングコードレートが第６の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクデータのチャネルコーディングコードレートが第６の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１５５】
理解されるべきことには、端末装置は、アップリンクデータのチャネルコーディングコードレートを、リソース割当て情報及び第１のＣＳＩ内のパラメータに基づいて計算し得る。更に理解されるべきことには、アップリンクデータのチャネルコーディングコードレートが第６の閾値に等しい場合に、第２のＣＳＩは、代わりに、第１のＣＳＩ内の一部のパラメータを含んでもよい。これは、この出願のこの実施形態において限定されることではない。
【０１５６】
オプションの一の実施形態において、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０１５７】
具体的には、基準情報が、アップリンクチャネル上でアップリンクデータによって占有されるＲＥの量の第７の閾値を指し示し得るとともに、端末装置が、アップリンクチャネル上でアップリンクデータによって占有されるＲＥの量を第７の閾値と比較し得る。アップリンクチャネル上でアップリンクデータによって占有されるＲＥの量が第７の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上でアップリンクデータによって占有されるＲＥの量が第７の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１５８】
理解されるべきことには、端末装置は、アップリンクチャネル上でアップリンクデータによって占有されるＲＥの量を、リソース割当て情報及び第１のＣＳＩ内のパラメータに基づいて計算し得る。更に理解されるべきことには、アップリンクチャネル上でアップリンクデータによって占有されるＲＥの量が第７の閾値に等しい場合に、第２のＣＳＩは、代わりに、第１のＣＳＩ内の一部のパラメータを含んでもよい。これは、この出願のこの実施形態において限定されることではない。
【０１５９】
オプションの一の実施形態において、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０１６０】
具体的には、基準情報が、アップリンクデータの変調シンボルの量の第８の閾値を指し示し得るとともに、端末装置が、アップリンクデータの変調シンボルの量を第８の閾値と比較し得る。アップリンクデータの変調シンボルの量が第８の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクデータの変調シンボルの量が第８の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１６１】
理解されるべきことには、端末装置は、アップリンクデータの変調シンボルの量を、リソース割当て情報及び第１のＣＳＩ内のパラメータに基づいて計算し得る。更に理解されるべきことには、アップリンクデータの変調シンボルの量が第８の閾値に等しい場合に、第２のＣＳＩは、代わりに、第１のＣＳＩ内の一部のパラメータを含んでもよい。これは、この出願のこの実施形態において限定されることではない。
【０１６２】
オプションの一の実施形態において、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０１６３】
具体的には、基準情報が、アップリンクチャネル上でアップリンクデータによって占有されるＲＥの量の、アップリンクチャネルに含まれるＲＥの総量に対する比、の第９の閾値を指し示し得るとともに、端末装置が、アップリンクチャネル上でアップリンクデータによって占有されるＲＥの量の、アップリンクチャネルに含まれるＲＥの総量に対する比を第９の閾値と比較し得る。アップリンクチャネル上でアップリンクデータによって占有されるＲＥの量の、アップリンクチャネルに含まれるＲＥの総量に対する比が、第９の閾値よりも大きい場合、端末装置は、ネットワーク装置によって設定されたアップリンクチャネルリソースでは第１のＣＳＩを伝送するのに十分でなく、第１のＣＳＩ内の一部のパラメータを破棄する必要がある、換言して、第２のＣＳＩは第１のＣＳＩ内の一部のパラメータを含むことができる、と決定することができ、アップリンクチャネル上でアップリンクデータによって占有されるＲＥの量の、アップリンクチャネルに含まれるＲＥの総量に対する比が、第９の閾値以下である場合には、端末装置は、ネットワーク装置によって設定されたアップリンクチャネルリソースが第１のＣＳＩを送信するのに十分であり、第２のＣＳＩは、第１のＣＳＩ内の全てのパラメータを含むことができると決定することができる。
【０１６４】
理解されるべきことには、端末装置は、アップリンクチャネル上でアップリンクデータによって占有されるＲＥの量の、アップリンクチャネルに含まれるＲＥの総量に対する比を、リソース割当て情報及び第１のＣＳＩ内のパラメータに基づいて計算し得る。更に理解されるべきことには、アップリンクチャネル上でアップリンクデータによって占有されるＲＥの量の、アップリンクチャネルに含まれるＲＥの総量に対する比が、第９の閾値に等しい場合に、第２のＣＳＩは、代わりに、第１のＣＳＩ内の一部のパラメータを含んでもよい。これは、この出願のこの実施形態において限定されることではない。
【０１６５】
更に理解されるべきことには、基準情報は１つ以上の閾値を指し示し得る。基準情報が複数の閾値を指し示す場合、以下の２つの状況が存在し得る。
【０１６６】
１．  基準情報が、複数のステータスパラメータの各々の閾値を指し示す。
【０１６７】
具体的には、基準情報は、以下の閾値のうちの２つ以上、すなわち、ＲＩの閾値、アップリンクチャネル上で第２のＣＳＩによって占有されるリソースエレメントＲＥの量の第１の閾値、第２のＣＳＩの変調シンボルの量の第２の閾値、第２のＣＳＩの情報ビット量の第３の閾値、チャネルコーディングが実行された後の第２のＣＳＩのビット量の第４の閾値、アップリンクチャネル上で第２のＣＳＩによって占有されるＲＥの量の、アップリンクチャネルに含まれるＲＥの総量に対する比の第５の閾値、アップリンクデータのチャネルコーディングコードレートの第６の閾値、アップリンクチャネル上でアップリンクデータによって占有されるＲＥの量の第７の閾値、アップリンクデータの変調シンボルの量の第８の閾値、アップリンクチャネル上でアップリンクデータによって占有されるＲＥの量の、アップリンクチャネルに含まれるＲＥの総量に対する比の第９の閾値、のうちの２つ以上を指し示し得る。端末装置は、第１のＣＳＩのステータスパラメータが、基準情報によって指し示される複数の閾値のうちのいずれか１つの決定条件を満たす場合に、第１のＣＳＩの全てのパラメータを報告すると決定することができ、あるいは、第１のＣＳＩのステータスパラメータが、基準情報によって指し示される全ての閾値の決定条件を満たす場合に、第１のＣＳＩの全てのパラメータを報告すると決定してもよく、そうでない場合には、端末装置は、第１のＣＳＩ内の一部のパラメータを報告する。これは、この出願のこの実施形態において限定されることではない。
【０１６８】
２．  基準情報が、あるステータスパラメータの複数の閾値を指し示す。
【０１６９】
具体的には、基準情報は、あるステータスパラメータに関する例えば２つの閾値などの複数の閾値を指し示し得る。
【０１７０】
ステータスパラメータがアップリンクデータのチャネルコーディングコードレートである例を用いるに、基準情報が、アップリンクデータのチャネルコーディングコードレートの閾値ｒ１及びｒ２を指し示す。アップリンクデータのチャネルコーディングコードレートがｒ１よりは大きいが、ｒ２よりも小さいとき、端末装置は、第１のＣＳＩ内の一部のパラメータ及びアップリンクデータの全てを報告することができ、アップリンクデータのチャネルコーディングコードレートがｒ２よりも大きいとき、端末装置は、第１のＣＳＩ内のパラメータの全て又は一部を報告することができるが、アップリンクデータは報告せず、ここで、アップリンクチャネルが第１のＣＳＩの全てを運び得ると端末装置が決定する場合、端末装置は第１のＣＳＩ内の全てのパラメータを報告し、アップリンクチャネルが第１のＣＳＩの全てを運ぶには十分でないと端末装置が決定する場合には、端末装置は第１のＣＳＩ内の一部のパラメータを報告し、アップリンクデータのチャネルコーディングコードレートがｒ１よりも小さいとき、端末装置は、第１のＣＳＩ内の全てのパラメータ及びアップリンクデータを報告することができる。
【０１７１】
ステータスパラメータが、アップリンクチャネル上でアップリンクデータによって占有されるＲＥの量の、アップリンクチャネルに含まれるＲＥの総量に対する比である例を用いるに、基準情報が、アップリンクチャネル上でアップリンクデータによって占有されるＲＥの量の、アップリンクチャネルに含まれるＲＥの総量に対する比の、閾値ｐ１及びｐ２を指し示す。アップリンクチャネル上でアップリンクデータによって占有されるＲＥの量の、アップリンクチャネルに含まれるＲＥの総量に対する比が、ｐ１より小さいが、ｐ２よりは大きいとき、端末装置は、第１のＣＳＩ内の一部のパラメータ及びアップリンクデータの全てを報告することができ、アップリンクチャネル上でアップリンクデータによって占有されるＲＥの量の、アップリンクチャネルに含まれるＲＥの総量に対する比が、ｐ２より小さいが、０よりは大きいとき、端末装置は、第１のＣＳＩ内のパラメータの全てを報告するが、アップリンクデータは報告せず、そうでなければ、アップリンクチャネルは第１のＣＳＩの全てを運ぶには十分でなく、端末装置は第１のＣＳＩ内の一部のパラメータを報告し、アップリンクチャネル上でアップリンクデータによって占有されるＲＥの量の、アップリンクチャネルに含まれるＲＥの総量に対する比がｐ１よりも大きいとき、端末装置は、第１のＣＳＩ内の全てのパラメータ及びアップリンクデータを報告する。
【０１７２】
理解されるべきことには、この出願のこの実施形態において、アップリンクチャネル上でアップリンクデータと共に第１のＣＳＩを伝送する必要があるので、アップリンクチャネル上で第１のＣＳＩによって占有されるＲＥの量とアップリンクチャネル上でアップリンクデータによって占有されるＲＥの量の合計が、アップリンクチャネルに含まれるＲＥの総量に等しくなるべきである。例えば、アップリンクチャネルに含まれるＲＥの総量は１００である。このケースにおいて、閾値ｐ２が１／２に等しく、且つＣＳＩが占有する必要があるＲＥの量が７５である場合、比は７５／１００＝３／４であり、これはｐ２より小さく、０より大きい。この場合、端末装置は、第１のＣＳＩ内の全てのパラメータを報告するが、アップリンクデータは報告しない。第１のＣＳＩが占有する必要があるＲＥ数量が１２５である場合、アップリンクチャネルに含まれるＲＥの総量はＣＳＩを送信するのに十分でなく、しかも、アップリンクデータを送信し得るＲＥは存在しない。従って、端末装置は、第１のＣＳＩ内の一部のパラメータのみを報告する。
【０１７３】
ステータスパラメータが、アップリンクチャネル上で第１のＣＳＩによって占有されるＲＥの量の、アップリンクチャネルに含まれるＲＥの総量に対する比である例を使用するに、基準情報が、アップリンクチャネル上で第１のＣＳＩによって占有されるＲＥの量の、アップリンクチャネルに含まれるＲＥの総量に対する比の、閾値ｑ１及びｑ２を指し示す。アップリンクチャネル上で第１のＣＳＩによって占有されるＲＥの量の、アップリンクチャネルに含まれるＲＥの総量に対する比が、ｑ１より大きいが、ｑ２よりは小さいとき、端末装置は、上述のルールに従って、第１のＣＳＩ内の一部のパラメータ及びアップリンクデータの全てを報告し、アップリンクチャネル上で第１のＣＳＩによって占有されるＲＥの量の、アップリンクチャネルに含まれるＲＥの総量に対する比が、ｑ２より大きいが、１よりは小さいとき、端末装置は、第１のＣＳＩ内の全てのパラメータを報告するが、アップリンクデータは報告せず、アップリンクチャネル上で第１のＣＳＩによって占有されるＲＥの量の、アップリンクチャネルに含まれるＲＥの総量に対する比が、１より大きいとき、端末装置は第１のＣＳＩ内の一部のパラメータを報告し、アップリンクチャネル上で第１のＣＳＩによって占有されるＲＥの量の、アップリンクチャネルに含まれるＲＥの総量に対する比がｑ１よりも小さいとき、端末装置は、第１のＣＳＩ内の全てのパラメータ及びアップリンクデータを報告する。
【０１７４】
理解されるべきことには、上述の説明は、単なる説明の例であり、ステータスパラメータが別のパラメータであって２つの閾値を持つ状況は、上述の状況と同様である。詳細をここで再び説明することはしない。
【０１７５】
この出願のこの実施形態において、端末装置が第１のＣＳＩ内のパラメータを基準情報と比較することによって第２のＣＳＩを決定する場合、例えば、第１のＣＳＩ内のパラメータはＲＩであり、基準情報はＲＩの閾値であり、端末装置は、ＲＩがＲＩの閾値を超えているときに、一部のサブバンドのＰＭＩ、全てのサブバンドのＣＱＩ、及びＲＩを報告する。オプションで、この場合、サブバンド全てのＣＱＩにおいて、報告されないサブバンドＰＭＩは、取得されたサブバンドＰＭＩを参照して上述の補間法に従って計算される。ＲＩがＲＩの閾値を超えていないときには、端末装置は、サブバンド全てのＰＭＩ、サブバンド全てのＣＱＩ、及びＲＩを報告する。オプションで、この場合、端末装置がサブバンド全てのＣＱＩを計算するとき、端末装置は、これらのサブバンドのＰＭＩが上述の補間法に従って独立に計算されると仮定し、デフォルトルールが使用されるのでなければ、一部のサブバンドのＣＱＩは、補間法に従って決定されたＰＭＩに基づいて計算される。
【０１７６】
同様に、端末装置が、アップリンクデータの伝送パラメータを基準情報と比較することによって第２のＣＳＩを決定する場合、例えば、アップリンクデータの伝送パラメータは、アップリンクデータのチャネルコーディングコードレートであり、基準情報は、アップリンクデータのチャネルコーディングコードレートの閾値であり、端末装置は、アップリンクデータのチャネルコーディングコードレートがアップリンクデータのチャネルコーディングコードレートの閾値を超える場合に、一部のサブバンドのＰＭＩ、全てのサブバンドのＣＱＩ、及びＲＩを報告する。オプションで、この場合、サブバンド全てのＣＱＩにおいて、報告されないサブバンドＰＭＩは、取得されたサブバンドＰＭＩを参照して上述の補間法に従って計算される。アップリンクデータのチャネルコーディングコードレートがアップリンクデータのチャネルコーディングコードレートの閾値を超えていないときには、端末装置は、サブバンド全てのＰＭＩ、サブバンド全てのＣＱＩ、及びＲＩを報告する。オプションで、この場合、端末装置がサブバンド全てのＣＱＩを計算するとき、端末装置は、これらのサブバンドのＰＭＩが上述の補間法に従って独立に計算されると仮定し、デフォルトルールが使用されるのでなければ、一部のサブバンドのＣＱＩは、補間法に従って決定されたＰＭＩに基づいて計算される。
【０１７７】
基準情報が、例えば、アップリンクチャネル上で第２のＣＳＩによって占有されるリソースエレメントＲＥの量、第２のＣＳＩの変調シンボルの量、第２のＣＳＩの情報ビット量、チャネルコーディングが実行された後の第２のＣＳＩのビット量、アップリンクチャネル上でアップリンクデータによって占有されるＲＥの量、アップリンクデータの変調シンボルの量、アップリンクチャネル上でアップリンクデータによって占有されるＲＥの量の、アップリンクチャネルに含まれるＲＥの総量に対する比などの、別のパラメータである状況は、上述の状況と同様である。詳細をここで再び説明することはしない。
【０１７８】
オプションの一の実施形態において、端末装置により第２のＣＳＩを送信する前に、当該方法は更に、端末装置により、上記比較結果及び優先度情報に基づいて、アップリンクデータを送信すべきかを決定することであり、優先度情報は、第２のＣＳＩ及びアップリンクデータの優先度を指し示すために使用される、決定することと、端末装置により、第２のＣＳＩを送信することであり、アップリンクデータを送信すべきと端末装置が決定した場合に、端末装置により、第２のＣＳＩ及びアップリンクデータを送信することを含む、送信することと、を含む。
【０１７９】
具体的には、端末装置は、先ず、優先度情報に基づいてＣＳＩ及びアップリンクデータの優先度を決定し、次いで、アップリンクデータが送信される必要があるかを決定し、換言すれば、優先度情報に基づいて、好ましくは第１のＣＳＩ内の一部の情報を破棄すべきか、又は好ましくはアップリンクデータを破棄すべきかを決定し得る。説明の一例として、以下の２つの状況を具体的に使用する。
【０１８０】
基準情報は、アップリンクチャネル上で第１のＣＳＩによって占有されるＲＥの量である。ＣＳＩ優先度の方が高い場合、アップリンクチャネル上で第１のＣＳＩによって占有されるＲＥの量が第１の閾値を超えているが、第１のシグナリング（例えば、ＤＣＩ）にて割り当てられたアップリンクチャネルの時間−周波数リソースに含まれるＲＥの量よりも少ないときに、端末装置は、第２のＣＳＩを報告するが、アップリンクデータは報告せず、第２のＣＳＩは、第１のＣＳＩ内の全てのパラメータを含むことができ、アップリンクチャネル上で第１のＣＳＩによって占有されるＲＥの量が、アップリンクチャネルの時間−周波数リソースに含まれるＲＥの量を超えているときには、端末装置は第２のＣＳＩを報告し、第２のＣＳＩは第１のＣＳＩの適切なサブセットである。アップリンクデータの優先度の方が高い場合には、第１のＣＳＩによって占有されるＲＥの量が第１の閾値を超えているときに、端末装置は、第２のＣＳＩ及びアップリンクデータを報告し、第２のＣＳＩは、第１のＣＳＩ内の一部のパラメータを含む。
【０１８１】
基準情報は、アップリンクチャネル上でアップリンクデータによって占有されるＲＥの量の、アップリンクチャネルに含まれるＲＥの総量との比である。ＣＳＩ優先度の方が高い場合、アップリンクチャネル上でアップリンクデータによって占有されるＲＥの量の、アップリンクチャネルに含まれるＲＥの総量との比が、第９の閾値よりも大きいが０より大きいとき、端末装置は、第２のＣＳＩを報告するが、アップリンクデータは報告せず、第２のＣＳＩは第１のＣＳＩを含み、アップリンクチャネル上でアップリンクデータによって占有されるＲＥの量の、アップリンクチャネルに含まれるＲＥの総量との比が、０より小さいときには、端末装置は第２のＣＳＩを報告し、第２のＣＳＩは第１のＣＳＩ内の一部のパラメータを含む。アップリンクデータの優先度の方が高い場合には、アップリンクチャネル上でアップリンクデータによって占有されるＲＥの量の、アップリンクチャネルに含まれるＲＥの総量との比が、第９の閾値よりも小さいときに、端末装置は、第２のＣＳＩ及びアップリンクデータを報告し、第２のＣＳＩは、第１のＣＳＩ内の一部のパラメータを含む。
【０１８２】
理解されるべきことには、優先度情報は、予め規定されていてもよいし、シグナリングを用いることによって、端末装置のためにネットワーク装置によって設定されてもよい。これは、この出願のこの実施形態において限定されることではない。
【０１８３】
オプションの一の実施形態において、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０１８４】
理解されるべきことには、第１の周波数ドメイン粒度パラメータはまた、ブロードバンドパラメータともしても参照され、Ｍ個のサブバンドについて同じ値を持ち、第２の周波数ドメイン粒度パラメータはまた、サブバンドパラメータとしても参照され、Ｍ個のサブバンドの各々に対して異なる値を持つ。具体的には、端末装置によって報告される第２のＣＳＩが、第１のＣＳＩ内の一部のパラメータを含む場合、端末装置は、報告を行うための予め規定されたルールに基づいて、第１のＣＳＩ内の一部のパラメータを選択し得る。例えば、端末装置は、デフォルトルールに基づいて、第１のＣＳＩ内のある割合のパラメータ（例えば、ＲＩと、ブロードバンドＰＭＩと、全てのサブバンドＣＱＩと、ある割合のサブバンドＰＭＩ；ＲＩと、ブロードバンドＰＭＩと、ある割合のサブバンドＰＭＩ及びサブバンドＣＱＩ；ＲＩと、ブロードバンドＰＭＩと、ブロードバンドＣＱＩと、Ｍ個のサブバンドのうちそのインデックスが最も高い方のサブバンドＰＭＩ及び／又はサブバンドＣＱＩ；又は、ＲＩと、幾つかのＤＦＴベクトルに対応するＰＭＩ及び／又はＣＱＩ）のみを報告し得る。
【０１８５】
オプションで、端末装置は、端末装置がある割合のＣＳＩパラメータとアップリンクデータを報告するという割合を決定してもよく、その割合は、データ及び第２のＣＳＩをアップリンクチャネル上で運ぶことができることを確実にする。例えば、所定の割合が１／２である場合、端末装置は、ＲＩ、Ｍ個のサブバンド全てのＣＱＩ、ブロードバンドＰＭＩ、及びＭ／２個のサブバンドのサブバンドＰＭＩを報告し得る。新無線（new  radio，ＮＲ）のタイプＩＩコードブック設計（すなわち、高精度ＣＳＩ報告）では、ＲＩ＝２に対応するＰＭＩの情報ビット量が、ＲＩ＝１に対応するＰＭＩの情報ビット量のおよそ２倍に等しい。従って、ネットワーク装置が、端末装置がＲＩ＝１に対応するＣＳＩを報告すると仮定して、ＲＩ＝１に基づくアップリンクチャネルの時間−周波数リソースを割り当てるとき、端末装置は、１／２という割合に基づいて第１のＣＳＩ内の一部のパラメータを報告して、ネットワーク装置によって端末装置に割り当てられたアップリンクチャネルのリソースが第２のＣＳＩ（すなわち、第１のＣＳＩ内の一部のパラメータ）を運ぶのに十分であることを確保する。
【０１８６】
オプションで、端末装置は、ｎ個の割合ｘｉを決定することができ、ここで、０≦ｘｉ≦１、ｉ＝１，…，ｎであり、ｎは１より大きい整数であり、ｘｉは、端末装置が割合ｘｉに基づくＭ×ｘｉ個のサブバンドのサブバンドパラメータ（例えば、サブバンドＣＱＩ及び／又はサブバンドＰＭＩ）を破棄し得ること、又は端末装置がブロードバンドパラメータと割合ｘｉに基づくＭ×ｘｉ個のサブバンドのサブバンドパラメータ（例えば、サブバンドＣＱＩ及び／又はサブバンドＰＭＩ）を報告し得ることを指し示す。特定の実装において、基準情報によって指し示される閾値が満たされるとき、端末装置は、可能な限り少しのパラメータを破棄することができ、換言して、可能な限り多くのパラメータを報告することができる。ｘ１、ｘ２、及びｘ３という３つの割合が存在し、基準情報がＲＩの閾値であり、ＲＩの閾値に対応するＣＳＩビット量の上限がＡであり、且つ第１のＣＳＩに対応するビット量がＢであると仮定する。端末装置が割合ｘｉに基づくＭ×ｘｉ個のサブバンドのサブバンドパラメータを破棄し得るケースを例として用いると、端末装置は、上記３つの割合の中から、Ｂ×ｘｉ＜Ａとなる最大のｘｉを選択し得る。換言すれば、Ｍ×ｘｉ個のサブバンドのサブバンドパラメータが破棄され、第２のＣＳＩとして使用される第１のＣＳＩ内の残りのパラメータが、アップリンクチャネルで運ばれて送られる。端末装置がブロードバンドパラメータと割合ｘｉに基づくＭ×ｘｉ個のサブバンドのサブバンドパラメータを報告し得るケースを例として用いると、端末装置は、上記３つの割合の中から、Ｂ×（１−ｘｉ）＜Ａとなる最小のｘｉを選択し得る。換言すれば、Ｍ×ｘｉ個のサブバンドのサブバンドパラメータが報告される。
【０１８７】
理解されるべきことには、上述の割合は、予め規定されていてもよいし、シグナリングを用いることによって端末装置のためのネットワーク装置によって設定されてもよい。これは、この出願のこの実施形態において限定されることではない。斯くして、端末装置によって報告される第２のＣＳＩが第１のＣＳＩ内の一部のパラメータであると決定するとき、ネットワーク装置は、上述の割合に基づいて、そのパラメータが端末装置によって破棄されるサブバンド、及びそのパラメータが端末装置によって報告されるサブバンドを直接決定し得る。
【０１８８】
オプションの一の実施形態において、基準情報は、予め規定されており、又は
当該方法は更に、シグナリングを用いることによって、ネットワーク装置により、基準情報を端末装置に送信することと、それに対応して、端末装置により、ネットワーク装置によって送信された基準情報を受信することとを含む。
【０１８９】
オプションの一の実施形態において、該シグナリングは、以下のシグナリング、すなわち、無線リソース制御ＲＲＣシグナリング、ダウンリンク制御情報（ＤＣＩ）シグナリング、及びメディアアクセス制御コントロールエレメント（ＭＡＣ  ＣＥ）シグナリング、のうちのいずれか１つである。
【０１９０】
具体的には、基準情報を運ぶために使用され、ネットワーク装置によって端末装置に送信されるシグナリングは、無線リソース制御（Radio  Resource  Control，ＲＲＣ）シグナリング信号伝達であってもよいし、ダウンリンク制御情報（downlink  control  information，ＤＣＩ）であってもよいし、あるいはメディアアクセス制御（Media  Access  Control，ＭＡＣ）層コントロールエレメント（control  element，ＣＥ）シグナリングであってもよい。これは、この出願のこの実施形態において限定されることではない。
【０１９１】
理解されるべきことには、ＲＲＣシグナリングを用いて基準情報を設定することは、基準情報の設定が頻繁に変化せず比較的安定であるシナリオに適用可能であり、物理層及びＭＡＣ層のシグナリングのビットオーバヘッドが大幅に低減され得る。ＤＣＩを用いて基準情報を設定することは、端末装置が高速検出を実行して、端末装置がタイムリーに基準情報を受信することを確実にする助けとなる。一方、ＭＡＣ  ＣＥシグナリングを用いて基準情報を設定することは、基準情報が比較的動的に変化するシナリオに適用可能である。
ＭＡＣ  ＣＥシグナリングのデコーディング速度は、ＲＲＣシグナリングのそれよりも高い。従って、そのようなシナリオでは、ネットワーク装置は、より効率的に基準情報を設定するためにＭＡＣ  ＣＥシグナリングを使用する。
【０１９２】
理解されるべきことには、上述のプロセスのシーケンス番号は、実行シーケンスを示すものではなく、プロセスの実行シーケンスはその機能及び内部論理に基づいて決定されるものであり、この出願の実施形態の実装プロセスに対する限定を構成するものではない。
【０１９３】
この出願の実施形態に従ったデータ伝送方法は、図１及び図２を参照して詳細に上述されており、この出願の実施形態に従った端末装置及びネットワーク装置は、図３から図６を参照して詳細に後述される。
【０１９４】
図３は、この出願の一実施形態にて提供される端末装置３００を示している。端末装置３００は、決定ユニット３１０及びトランシーバユニット３２０を含む。
【０１９５】
決定ユニット３１０は、基準情報を決定するように構成され、トランシーバユニット３２０は、基準情報とステータスパラメータとの比較結果に基づく第２のチャネル状態情報ＣＳＩを送信するように構成され、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０１９６】
この出願のこの実施形態において、端末装置は、基準情報と、報告される必要があり且つ端末装置のためにネットワーク装置によって設定されたＣＳＩとに基づいて、実際に報告されることができるＣＳＩを決定した後に、そのＣＳＩを報告し、それ故に、端末装置は、ネットワーク装置によって端末装置に割り当てられた限られたアップリンクチャネルリソースを適切に使用することができ、それにより、ＣＳＩの伝送性能が改善される。
【０１９７】
オプションで、基準情報は、ランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０１９８】
オプションで、基準情報は、ＲＩの閾値を指し示すために使用され、ステータスパラメータは、第１のＣＳＩのＲＩであり、第１のＣＳＩのＲＩがＲＩの閾値よりも大きい場合、第２のＣＳＩは、第１のＣＳＩ内の一部のパラメータを含み、第１のＣＳＩのＲＩがＲＩの閾値以下である場合、第２のＣＳＩは、第１のＣＳＩ内の全てのパラメータを含む。
【０１９９】
オプションで、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０２００】
オプションで、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０２０１】
オプションで、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０２０２】
オプションで、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０２０３】
オプションで、トランシーバユニット３２０は、特に、第２のＣＳＩとアップリンクデータとを送信し、アップリンクデータと第２のＣＳＩとが同じアップリンクチャネル上で運ばれる、ように構成される。
【０２０４】
オプションで、第２のＣＳＩの伝送パラメータは更に、アップリンクチャネル上で第２のＣＳＩによって占有されるＲＥの量の、アップリンクチャネルに含まれるＲＥの総量に対する比、を含む。
【０２０５】
オプションで、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０２０６】
オプションで、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０２０７】
オプションで、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０２０８】
オプションで、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０２０９】
オプションで、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０２１０】
オプションで、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０２１１】
オプションで、決定ユニット３１０は更に、第２のＣＳＩが送信される前に、上記比較結果及び優先度情報に基づいて、アップリンクデータを送信されるべきかを決定するように構成され、優先度情報は、第２のＣＳＩ及びアップリンクデータの優先度を指し示すために使用され、そして、トランシーバユニット３２０は特に、アップリンクデータが送信されるべきと決定された場合に、第２のＣＳＩ及びアップリンクデータを送信するように構成される。
【０２１２】
オプションで、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０２１３】
オプションで、基準情報は、予め規定されており、又は基準情報は、シグナリングを用いることによって、端末装置のためのネットワーク装置によって設定される。
【０２１４】
オプションで、該シグナリングは、以下のシグナリング、すなわち、無線リソース制御ＲＲＣシグナリング、ダウンリンク制御情報（ＤＣＩ）シグナリング、及びメディアアクセス制御コントロールエレメント（ＭＡＣ  ＣＥ）シグナリング、のうちのいずれか１つである。
【０２１５】
理解されるべきことには、ここでの端末装置３００は、機能ユニットの形態で具現化される。ここでの用語“ユニット”は、特定用途向け集積回路（application-specific  integrated  circuit，ＡＳＩＣ）、電子回路、１つ以上のソフトウェア又はファームウェアプログラムを実行するように構成されたプロセッサ（例えば、共有プロセッサ、専用プロセッサ、又はグループプロセッサ）、メモリ、融合論理回路、及び／又は記載の機能をサポートする他の適切なコンポーネントとし得る。オプションの一例において、当業者が理解し得ることには、端末装置３００は、具体的に、上述の実施形態における端末装置であってもよく、また、端末装置３００は、上述の方法の実施形態における端末装置に対応する手順及び／又はステップを実行するように構成されてもよい。繰り返しを避けるために、詳細をここで再び説明することはしない。
【０２１６】
図４は、この出願の一実施形態にて提供されるネットワーク装置４００を示している。ネットワーク装置４００は、トランシーバユニット４１０及び決定ユニット４２０を含む。
【０２１７】
トランシーバユニット４１０は、第２のＣＳＩ内のランクインジケーションＲＩを受信するように構成され、決定ユニット４２０は、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定するように構成され、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【０２１８】
この出願のこの実施形態において、ネットワーク装置は、端末装置によって報告された第２のＣＳＩを受信し、第２のＣＳＩは、端末装置が、基準情報と、報告される必要があり且つ端末装置のためにネットワーク装置によって設定されたＣＳＩとに基づいて、実際に報告されることができるＣＳＩを決定した後に、報告され、それ故に、端末装置は、ネットワーク装置によって端末装置に割り当てられた限られたアップリンクチャネルリソースを適切に使用することができ、それにより、ＣＳＩの伝送性能が改善される。
【０２１９】
オプションで、基準情報は、第２のＣＳＩのランクインジケーションＲＩの閾値及び第２のＣＳＩの伝送パラメータの閾値のうちの少なくとも一方を指し示すために使用され、第２のＣＳＩの伝送パラメータは、以下のパラメータ、すなわち、アップリンクチャネル上で第２のＣＳＩによって占有されるリソースエレメントＲＥの量、第２のＣＳＩの変調シンボルの量、第２のＣＳＩの情報ビット量、及びチャネルコーディングが実行された後の第２のＣＳＩのビット量、のうちの少なくとも１つを含む。
【０２２０】
オプションで、基準情報は、ＲＩの閾値を指し示すために使用され、ステータスパラメータはＲＩであり、ＲＩがＲＩの閾値よりも大きい場合、第２のＣＳＩは、第１のＣＳＩ内の一部のパラメータを含み、ＲＩがＲＩの閾値以下である場合、第２のＣＳＩは、第１のＣＳＩ内の全てのパラメータを含む。
【０２２１】
オプションで、基準情報は、アップリンクチャネル上で第２のＣＳＩによって占有されるＲＥの量の第１の閾値を指し示すために使用され、ステータスパラメータは、アップリンクチャネル上で第１のＣＳＩによって占有されるＲＥの量であり、アップリンクチャネル上で第１のＣＳＩによって占有されるＲＥの量が第１の閾値よりも大きい場合、第２のＣＳＩは、第１のＣＳＩ内の一部のパラメータを含み、アップリンクチャネル上で第１のＣＳＩによって占有されるＲＥの量が第１の閾値以下である場合、第２のＣＳＩは、第１のＣＳＩ内の全てのパラメータを含む。
【０２２２】
オプションで、基準情報は、第２のＣＳＩの変調シンボルの量の第２の閾値を指し示すために使用され、ステータスパラメータは、第１のＣＳＩの変調シンボルの量であり、第１のＣＳＩの変調シンボルの量が第２の閾値よりも大きい場合、第２のＣＳＩは、第１のＣＳＩ内の一部のパラメータを含み、第１のＣＳＩの変調シンボルの量が第２の閾値以下である場合、第２のＣＳＩは、第１のＣＳＩ内の全てのパラメータを含む。
【０２２３】
オプションで、基準情報は、第２のＣＳＩの情報ビット量の第３の閾値を指し示すために使用され、ステータスパラメータは、第１のＣＳＩの情報ビット量であり、第１のＣＳＩの情報ビット量が第３の閾値よりも大きい場合、第２のＣＳＩは、第１のＣＳＩ内の一部のパラメータを含み、第１のＣＳＩの情報ビット量が第３の閾値以下である場合、第２のＣＳＩは、第１のＣＳＩ内の全てのパラメータを含む。
【０２２４】
オプションで、基準情報は、チャネルコーディングが実行された後の第２のＣＳＩのビット量の第４の閾値を指し示すために使用され、ステータスパラメータは、チャネルコーディングが実行された後の第１のＣＳＩのビット量であり、チャネルコーディングが実行された後の第１のＣＳＩのビット量が第４の閾値よりも大きい場合、第２のＣＳＩは、第１のＣＳＩ内の一部のパラメータを含み、チャネルコーディングが実行された後の第１のＣＳＩのビット量が第４の閾値以下である場合、第２のＣＳＩは、第１のＣＳＩ内の全てのパラメータを含む。
【０２２５】
オプションで、トランシーバユニット４１０は、特に、第２のＣＳＩとアップリンクデータとを受信し、アップリンクデータと第２のＣＳＩとが同じアップリンクチャネル上で運ばれる、ように構成される。
【０２２６】
オプションで、第２のＣＳＩの伝送パラメータは更に、アップリンクチャネル上で第２のＣＳＩによって占有されるＲＥの量の、アップリンクチャネルに含まれるＲＥの総量に対する比、を含む。
【０２２７】
オプションで、基準情報は、アップリンクチャネル上で第２のＣＳＩによって占有されるＲＥの量の、アップリンクチャネルに含まれるＲＥの総量に対する比、の第５の閾値を指し示すために使用され、ステータスパラメータは、アップリンクチャネル上で第１のＣＳＩによって占有されるＲＥの量の、アップリンクチャネルに含まれるＲＥの総量に対する比であり、アップリンクチャネル上で第１のＣＳＩによって占有されるＲＥの量の、アップリンクチャネルに含まれるＲＥの総量に対する比が、第５の閾値よりも大きい場合、第２のＣＳＩは、第１のＣＳＩ内の一部のパラメータを含み、アップリンクチャネル上で第１のＣＳＩによって占有されるＲＥの量の、アップリンクチャネルに含まれるＲＥの総量に対する比が、第５の閾値以下である場合、第２のＣＳＩは、第１のＣＳＩ内の全てのパラメータを含む。
【０２２８】
オプションで、基準情報は、アップリンクデータの伝送パラメータの閾値を指し示すために使用され、アップリンクデータの伝送パラメータは、以下のパラメータ、すなわち、アップリンクデータのチャネルコーディングコードレート、アップリンクチャネル上でアップリンクデータによって占有されるＲＥの量、アップリンクデータの変調シンボルの量、及びアップリンクチャネル上でアップリンクデータによって占有されるＲＥの量の、アップリンクチャネルに含まれるＲＥの総量に対する比、のうちの少なくとも１つを含む。
【０２２９】
オプションで、基準情報は、アップリンクデータのチャネルコーディングコードレートの第６の閾値を指し示すために使用され、ステータスパラメータは、アップリンクデータのチャネルコーディングコードレートであり、アップリンクデータのチャネルコーディングコードレートが第６の閾値よりも高い場合、第２のＣＳＩは、第１のＣＳＩ内の一部のパラメータを含み、アップリンクデータのチャネルコーディングコードレートが第６の閾値以下である場合、第２のＣＳＩは、第１のＣＳＩ内の全てのパラメータを含む。
【０２３０】
オプションで、基準情報は、アップリンクチャネル上でアップリンクデータによって占有されるＲＥの量の第７の閾値を指し示すために使用され、ステータスパラメータは、アップリンクチャネル上でアップリンクデータによって占有されるＲＥの量であり、アップリンクチャネル上でアップリンクデータによって占有されるＲＥの量が第７の閾値よりも大きい場合、第２のＣＳＩは、第１のＣＳＩ内の一部のパラメータを含み、アップリンクチャネル上でアップリンクデータによって占有されるＲＥの量が第７の閾値以下である場合、第２のＣＳＩは、第１のＣＳＩ内の全てのパラメータを含む。
【０２３１】
オプションで、基準情報は、アップリンクデータの変調シンボルの量の第８の閾値を指し示すために使用され、ステータスパラメータは、アップリンクデータの変調シンボルの量であり、アップリンクデータの変調シンボルの量が第８の閾値よりも大きい場合、第２のＣＳＩは、第１のＣＳＩ内の一部のパラメータを含み、アップリンクデータの変調シンボルの量が第８の閾値以下である場合、第２のＣＳＩは、第１のＣＳＩ内の全てのパラメータを含む。
【０２３２】
オプションで、基準情報は、アップリンクチャネル上でアップリンクデータによって占有されるＲＥの量の、アップリンクチャネルに含まれるＲＥの総量に対する比、の第９の閾値を指し示すために使用され、ステータスパラメータは、アップリンクチャネル上でアップリンクデータによって占有されるＲＥの量の、アップリンクチャネルに含まれるＲＥの総量に対する比であり、アップリンクチャネル上でアップリンクデータによって占有されるＲＥの量の、アップリンクチャネルに含まれるＲＥの総量に対する比が、第９の閾値よりも大きい場合、第２のＣＳＩは、第１のＣＳＩ内の一部のパラメータを含み、アップリンクチャネル上でアップリンクデータによって占有されるＲＥの量の、アップリンクチャネルに含まれるＲＥの総量に対する比が、第９の閾値以下である場合、第２のＣＳＩは、第１のＣＳＩ内の全てのパラメータを含む。
【０２３３】
オプションで、第１のＣＳＩ内のパラメータは、Ｍ個のサブバンドの第２の周波数ドメイン粒度パラメータ及び第１の周波数ドメイン粒度パラメータを含み、第１の周波数ドメイン粒度パラメータはＲＩを含み、Ｍ個のサブバンドの第２の周波数ドメイン粒度パラメータは、Ｍ個のサブバンドの各々のチャネル品質インジケータＣＱＩ及び／又はサブバンドのプリコーディング行列インジケータＰＭＩを含み、第２のＣＳＩ内のパラメータは：Ｎ個のサブバンドの第２の周波数ドメイン粒度パラメータ及び第１の周波数ドメイン粒度パラメータ；Ｍ個のサブバンドの各々の第２の周波数ドメイン粒度パラメータのうちの全て若しくは一部、及び第１の周波数ドメイン粒度パラメータ；並びに第１の周波数ドメイン粒度パラメータ、Ｍ個のサブバンドの各々のＣＱＩ、及びＮ個のサブバンドの各々のＰＭＩ；のうちのいずれか１つを有し、Ｍ個のサブバンドはＮ個のサブバンドを含み、Ｍ及びＮはどちらも１以上の整数であり、ＭはＮより大きい。
【０２３４】
オプションで、基準情報は、予め規定されており、又はトランシーバユニット４１０は更に、シグナリングを用いることによって、基準情報を端末装置に送信するように構成される。
【０２３５】
オプションで、該シグナリングは、以下のシグナリング、すなわち、無線リソース制御ＲＲＣシグナリング、ダウンリンク制御情報（ＤＣＩ）シグナリング、及びメディアアクセス制御コントロールエレメント（ＭＡＣ  ＣＥ）シグナリング、のうちのいずれか１つである。
【０２３６】
理解されるべきことには、ここでのネットワーク装置４００は、機能ユニットの形態で具現化される。ここでの用語“ユニット”は、特定用途向け集積回路（application-specific  integrated  circuit，ＡＳＩＣ）、電子回路、１つ以上のソフトウェア又はファームウェアプログラムを実行するように構成されたプロセッサ（例えば、共有プロセッサ、専用プロセッサ、又はグループプロセッサ）、メモリ、融合論理回路、及び／又は記載の機能をサポートする他の適切なコンポーネントとし得る。オプションの一例において、当業者が理解し得ることには、ネットワーク装置４００は、具体的に、上述の実施形態におけるネットワーク装置であってもよく、また、ネットワーク装置４００は、上述の方法の実施形態におけるネットワーク装置に対応する手順及び／又はステップを実行するように構成されてもよい。繰り返しを避けるために、詳細をここで再び説明することはしない。
【０２３７】
図５は、この出願の一実施形態にて提供される別のネットワーク装置５００を示している。ネットワーク装置５００は、プロセッサ５１０及びトランシーバ５２０を含み、そしてオプションで、ネットワーク装置５００は更にメモリ５３０を含み得る。プロセッサ５１０、トランシーバ５２０、及びメモリ５３０は、内部接続経路を使用することによって互いに通信し、メモリ５３０は、命令を格納するように構成され、プロセッサ５１０は、信号を送信する及び／又は信号を受信するようトランシーバ５２０を制御するように、メモリ５３０に格納された命令を実行するよう構成される。
【０２３８】
メモリ５３０に格納されたプログラム命令がプロセッサ５１０によって実行されるとき、プロセッサ５１０は、トランシーバ５２０を用いることによって第２のＣＳＩ内のランクインジケーションＲＩを受信し、そして、ステータスパラメータを基準情報と比較することによって得られた比較結果に基づいて、第２のＣＳＩのビット量、及びアップリンクチャネル上で第２のＣＳＩによって占有されるリソースエレメントＲＥの量、のうちの少なくとも一方を決定するように構成され、ステータスパラメータは、ＲＩに基づいて決定され、ステータスパラメータは、アップリンクデータの伝送パラメータ、第１のＣＳＩ内のパラメータ、及び第１のＣＳＩの伝送パラメータ、のうちの少なくとも１つを含み、第１のＣＳＩは、報告される必要があり且つ端末装置のためにネットワーク装置によって設定されたＣＳＩであり、第２のＣＳＩは、第１のＣＳＩ内の全てのパラメータを含み、又は第１のＣＳＩ内の一部のパラメータを含む。
【０２３９】
プロセッサ５１０及びメモリ５３０は、プロセッシング装置へと結合されてもよく、プロセッサ５１０は、メモリ５３０に格納されたプログラムコードを実行して上述の機能を果たすように構成される。特定の実装において、メモリ５３０は、プロセッサ５１０に集積されてもよいし、又はプロセッサ５１０とは独立であってもよい。
【０２４０】
ネットワーク装置５００は更に、トランシーバ５２０によって出力されたダウンリンクデータ又はダウンリンク制御シグナリングを無線信号の使用により送信するように構成されたアンテナ５４０を含み得る。理解されるべきことには、ネットワーク装置５００は、具体的に、データ伝送方法２００におけるネットワーク装置であってもよく、また、データ伝送方法２００におけるネットワーク装置に対応するステップ及び／又は手順を実行するように構成されてもよい。オプションで、メモリ５３０は、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。プロセッサ５１０は、メモリに格納された命令を実行するように構成されることができ、プロセッサ５１０がメモリに格納された命令を実行するとき、プロセッサ５１０は、ネットワーク装置に対応する方法の実施形態のステップ及び／又は手順を実行するように構成される。
【０２４１】
図６は、この出願の一実施形態にて提供される別の端末装置６００を示している。図６に示すように、端末装置６００は、プロセッサ６０１及びトランシーバ６０２を含み、そしてオプションで、端末装置６００は更にメモリ６０３を含む。プロセッサ６０１、トランシーバ６０２、及びメモリ６０３は、制御信号及び／又はデータ信号を伝達するために、内部接続経路を使用することによって互いに通信し、メモリ６０３は、コンピュータプログラムを格納するように構成され、プロセッサ６０１は、信号を受信及び／又は送信するようトランシーバ６０２を制御するように、メモリ６０３からコンピュータプログラムを呼び出して、コンピュータプログラムを実行するよう構成される。
【０２４２】
メモリ６０３に格納されたプログラム命令がプロセッサ６０１によって実行されるとき、プロセッサ６０１は、基準情報を決定し、そして、トランシーバ６０２を用いることによって、基準情報とステータスパラメータとの比較結果に基づく第２のチャネル状態情報ＣＳＩを送信するように構成され、第２のＣＳＩは、第１のＣＳＩ内の全てのパラメータを含み、又は第１のＣＳＩ内の一部のパラメータを含み、第１のＣＳＩは、報告される必要があり且つ端末装置のためにネットワーク装置によって設定されたＣＳＩであり、ステータスパラメータは、アップリンクデータの伝送パラメータ、第１のＣＳＩ内のパラメータ、及び第１のＣＳＩの伝送パラメータ、のうちの少なくとも１つを含む。
【０２４３】
プロセッサ６０１及びメモリ６０３は、プロセッシング装置へと結合されてもよく、プロセッサ６０１は、メモリ６０３に格納されたプログラムコードを実行して上述の機能を果たすように構成される。特定の実装において、メモリ６０３は、プロセッサ６０１に集積されてもよいし、又はプロセッサ６０１とは独立であってもよい。端末装置６００は更に、トランシーバ６０２によって出力されたアップリンクデータ又はアップリンク制御シグナリングを無線信号の使用により送信するように構成されたアンテナ６０４を含み得る。
【０２４４】
理解されるべきことには、端末装置６００は、具体的に、データ伝送方法２００における端末装置であってもよく、また、データ伝送方法２００における端末装置に対応するステップ及び／又は手順を実行するように構成されてもよい。オプションで、メモリ６３０は、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。プロセッサ６０１は、メモリに格納された命令を実行するように構成されることができ、プロセッサ６０１がメモリに格納された命令を実行するとき、プロセッサ６０１は、端末装置に対応する方法の実施形態のステップ及び／又は手順を実行するように構成される。
【０２４５】
プロセッサ６０１は、上述の方法の実施形態にて説明された、端末によって内部で実行されるアクションを実行するように構成されることができ、トランシーバ６０２は、上述の方法の実施形態にて説明された、端末装置に対して端末によって実行される送信又は送信のアクションを実行するように構成されることができる。詳細については、上述の方法の実施形態における説明を参照されたい。詳細をここで再び説明することはしない。
【０２４６】
端末装置６００は更に、端末装置６００内の様々なデバイス又は回路に電力を供給するように構成された電源６０５を含み得る。
【０２４７】
加えて、端末装置の機能を向上させるために、端末装置６００は更に、入力ユニット６０６、表示ユニット６０７、音声周波数回路６０８、カメラ６０９、センサ６１０、及びこれらに類するもののうちの１つ以上を含んでもよく、音声周波数回路は更に、スピーカ６０８２、マイクロフォン６０８４、及びこれらに類するものを含み得る。
【０２４８】
理解されるべきことには、この出願の実施形態において、ネットワーク装置５００及び端末装置６００の中のプロセッサは、中央演算処理装置（central  processing  unit，ＣＰＵ）であってもよく、又はプロセッサは、他の汎用プロセッサ、デジタル信号プロセッサ（ＤＳＰ）、特定用途向け集積回路（ＡＳＩＣ）、フィールドプログラマブルゲートアレイ（ＦＰＧＡ）、又は他のプログラマブル論理デバイス、ディスクリートのゲート若しくはトランジスタ論理デバイス、ディスクリートのハードウェアコンポーネント、又はこれらに類するものであってもよい。汎用プロセッサはマイクロプロセッサであってもよく、又はプロセッサは、任意の従来からのプロセッサ又はそれらに類するものであってもよい。
【０２４９】
一実装プロセスにおいて、上述の方法におけるステップは、プロセッサ内のハードウェア集積論理回路を使用することによって、又はソフトウェアの形態の命令を使用することによって実装され得る。この出願の実施形態を参照して開示された方法のステップは、ハードウェアプロセッサによって直接実行されてもよいし、あるいはプロセッサ内のハードウェアとソフトウェアユニットとの組み合わせを用いることによって実行されてもよい。ソフトウェアユニットは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。記憶媒体がメモリ内に配置され、そして、プロセッサが、メモリ内の命令を読み出し、プロセッサのハードウェアと組み合わさって、上述の方法におけるステップを実行する。繰り返しを避けるために、詳細をここで再び説明することはしない。
【０２５０】
理解されるべきことには、この明細書中の用語“及び／又は”は、関連するオブジェクトを記述するための関連関係のみを記述するものであり、３つの関係が存在し得ることを表す。例えば、Ａ及び／又はＢは、Ａのみが存在する、Ａ及びＢの双方が存在する、Ｂのみが存在する、という３つのケースを表し得る。また、この明細書中の文字“／”は概して、関連するオブジェクト間の“又は”関係を指し示す。
【０２５１】
当業者が認識し得ることには、この明細書に開示された実施形態にて記述された例と組み合わせて、方法ステップ及びユニットは、電子ハードウェア、コンピュータソフトウェア、又はこれらの組み合わせによって実装され得る。ハードウェアとソフトウェアとの間で交換可能であることを明確に説明するために、上述では、機能に基づいて各実施形態のステップ及び組み立てを一般的に記述している。機能がハードウェアによって実行されるのか、それともソフトウェアによって実行されるのかは、技術的ソリューションの特定の用途及び設計制約に依存する。当業者は、特定の用途ごとに、記載された機能を実装するために異なる方法を用いることができるのであり、その実装がこの出願の範囲を超えるものであると考えるべきではない。
【０２５２】
当業者によって明確に理解され得ることには、簡便且つ簡潔な説明の目的のため、上述のシステム、装置、及びユニットの詳細な動作プロセスについては、上述の方法の実施形態における対応するプロセスを参照されたく、ここで再び詳細を説明することはしない。
【０２５３】
この出願にて提供されたこれら幾つかの実施形態において、理解されるべきことには、開示されたシステム、装置、及び方法は、その他のようにして実施されてもよい。例えば、記載された装置の実施形態は単なる例である。例えば、ユニット分割は、単なる論理機能分割であり、実際の実装においてはその他の分割とし得る。例えば、複数のユニット又はコンポーネントが別のシステムへと組み合わされたり統合されたりしてもよく、あるいは、一部の機構が無視されたり実行されなかったりしてもよい。また、図示又は説明された相互結合又は直接結合又は通信接続は、装置又はユニットの間の何らかのインタフェース、間接結合又は通信接続によって実装されてもよいし、あるいは、電気的接続、機械的接続又はその他の形態の接続によって実装されてもよい。
【０２５４】
別々の部分として記載されたユニットは、物理的に別々であってもなくてもよく、また、ユニットとして示された部分は、物理的なユニットであってもなくてもよく、一箇所にあってもよいし複数のネットワークユニットに分散されてもよい。それらユニットの一部又は全てが、この出願における実施形態のソリューションの目的を達成するように、実際の要求に応じて選択され得る。
【０２５５】
また、この出願の実施形態における複数の機能ユニットが１つの処理ユニットへと統合されてもよく、あるいは、それらユニットの各々が物理的に単独で存在してもよく、あるいは、２つ以上のユニットが１つのユニットへと統合されてもよい。統合ユニットは、ハードウェアの形態で実装されてもよく、あるいは、ソフトウェア機能ユニットの形態で実装されてもよい。
【０２５６】
統合ユニットがソフトウェア機能ユニットの形態で実装されて、独立したプロダクトとして販売又は使用されるとき、その統合ユニットはコンピュータ読み取り可能記憶媒体に格納されてもよい。このような理解に基づき、この出願の技術的ソリューションは本質的に、又は先行技術に対して寄与する部分は、又は技術的ソリューションの全て又は一部は、ソフトウェアプロダクトの形態で実装され得る。コンピュータソフトウェアプロダクトは、記憶媒体に格納されるとともに、この出願の実施形態にて記載された方法のステップの全て又は一部を実行するようにコンピュータ装置（これは、パーソナルコンピュータ、サーバ、ネットワーク装置、又はこれらに類するものとし得る）に命令する幾つかの命令を含む。上述の記憶媒体は、例えばＵＳＢフラッシュドライブ、リムーバブルハードディスク、読み出し専用メモリ（read-only  memory，ＲＯＭ）、ランダムアクセスメモリ（random  access  memory，ＲＡＭ）、磁気ディスク、又は光ディスクなどの、プログラムコードを記憶することができる任意の媒体を含む。
【０２５７】
以上の説明は、単に、この出願の特定の実施形態であり、この出願の保護範囲を限定することを意図したものではない。この出願にて開示された技術範囲内で当業者によって容易に考え付かれる如何なる変更又は置換も、この出願の保護範囲に入るものである。故に、この出願の保護範囲は、請求項の保護範囲次第のものである。
【手続補正３】
【補正対象書類名】図面
【補正対象項目名】図２
【補正方法】変更
【補正の内容】
【図２】
2020536428.tif 000009
【国際調査報告】
2020536428.tif 000010
2020536428.tif 000011
2020536428.tif 000012
2020536428.tif 000013